(57)【特許請求の範囲】
【請求項１】
平面視において、互いに平行に配置され、それぞれ一方の端部と他方の端部とを有する複数の駆動電極を備え、
前記一方の端部の各々は、前記複数の駆動電極の各々の同じ側に位置し、
前記他方の端部の各々は、前記複数の駆動電極の各々の前記同じ側とは反対の側に位置し、
前記複数の駆動電極のうちの少なくとも１個の第１駆動電極は、その一方の端部に第１駆動電圧が供給され、その他方の端部に前記第１駆動電圧と異なる第２駆動電圧が供給される第１駆動状態と、その一方の端部に前記第２駆動電圧が供給され、その他方の端部に前記第１駆動電圧が供給される第２駆動状態とが、時間的に交互に生じるように、駆動され、
前記複数の駆動電極のうちの第２駆動電極は、
前記第１駆動電極が前記第１駆動状態のとき、前記第２駆動電極の前記一方の端部に前記第２駆動電圧が供給され、前記第２駆動電極の前記他方の端部に前記第１駆動電圧が供給される前記第２駆動状態にされ、
前記第１駆動電極が前記第２駆動状態のとき、前記第２駆動電極の前記一方の端部に前記第１駆動電圧が供給され、前記第２駆動電極の前記他方の端部に前記第２駆動電圧が供給される前記第１駆動状態にされる、入力検出装置。
【請求項２】
請求項１に記載の入力検出装置において、
前記複数の駆動電極は、前記第１駆動電極と前記第２駆動電極との間に配置された第３駆動電極を備え、
前記第１駆動電極および前記第２駆動電極のそれぞれが、時間的に交互に前記第１駆動状態と前記第２駆動状態とされることにより、前記第３駆動電極が配置された領域において、前記第１駆動電極により発生した磁界と、前記第２駆動電極により発生した磁界とが重畳される、入力検出装置。
【請求項３】
請求項２に記載の入力検出装置において、
前記入力検出装置は、前記第１駆動電極と前記第２駆動電極によって、磁界を発生する磁界発生期間と、前記磁界発生期間において発生した磁界に基づいて外部物体が発生する磁界を検出する磁界検出期間を備え、
前記第１駆動電極および前記第２駆動電極のそれぞれは、前記磁界発生期間において、前記第１駆動状態と前記第２駆動状態が、１回以上生じるように駆動される、入力検出装置。
【請求項４】
請求項２または３に記載の入力検出装置において、
前記入力検出装置は、前記第１駆動電極が前記第１駆動状態となり、前記第２駆動電極が前記第２駆動状態となるように、駆動されているとき、前記第１駆動電極および第２駆動電極を流れる電流の変化量が、所定の値よりも小さくなるタイミングで、前記第１駆動電極が前記第２駆動状態となるように駆動し、前記第２駆動電極が前記第１駆動状態となるように駆動する、入力検出装置。
【請求項５】
請求項１から４のいずれか１項に記載の入力検出装置において、
前記入力検出装置は、前記第１駆動電極が前記第１駆動状態となるように、駆動されているとき、前記第１駆動電極を流れる電流が、定常となるタイミングで、前記第１駆動電極が前記第２駆動状態となるように駆動する、入力検出装置。
【請求項６】
請求項１から４のいずれか１項に記載の入力検出装置において、
前記第１駆動電極および前記第２駆動電極のそれぞれが、時間的に交互に、前記第１駆動状態および前記第２駆動状態に駆動されることにより、前記第１駆動電極および前記第２駆動電極のそれぞれを流れる電流の方向が変化し、前記第１駆動電極および前記第２駆動電極のそれぞれで発生する磁界の方向が変化する、入力検出装置。
【請求項７】
請求項１、２、３、４、または６に記載の入力検出装置において、
前記第１駆動電極は、隣り合う複数の駆動電極を有し、前記第２駆動電極は、隣り合う複数の駆動電極を有する、入力検出装置。
【請求項８】
請求項１、２、３、４、６または７に記載の入力検出装置において、
前記入力検出装置は、
前記複数の駆動電極の一方の端部に近接して配置された第１単位スキャナ回路および第２単位スキャナ回路と、
前記第１単位スキャナ回路によって選択された駆動電極の一方の端部に、前記第１駆動電圧を供給し、前記第２単位スキャナ回路によって選択された駆動電極の一方の端部に、前記第２駆動電圧を供給する第１選択駆動回路と、
前記複数の駆動電極の他方の端部に近接して配置された第３単位スキャナ回路および第４単位スキャナ回路と、
前記第３単位スキャナ回路によって選択された駆動電極の他方の端部に、前記第１駆動電圧を供給し、前記第４単位スキャナ回路によって選択された駆動電極の他方の端部に、前記第２駆動電圧を供給する第２選択駆動回路と、
を備え、
前記第１単位スキャナ回路と前記第４単位スキャナ回路は、前記複数の駆動電極において、同じ駆動電極を、前記第１駆動電極として選択し、前記第２単位スキャナ回路と前記第３単位スキャナ回路は、前記複数の駆動電極において、同じ駆動電極を、前記第２駆動電極として選択する、入力検出装置。
【請求項９】
請求項８に記載の入力検出装置において、
前記第１単位スキャナ回路、前記第２単位スキャナ回路、前記第３単位スキャナ回路および前記第４単位スキャナ回路のそれぞれは、直列接続された複数のシフト段を備え、駆動電極の選択を示す選択情報が、シフトクロック信号に従って、前記複数のシフト段をシフトするシフトレジスタを備え、
前記第１単位スキャナ回路のシフトレジスタにおいて、前記選択情報を格納しているシフト段の位置と、前記第２単位スキャナ回路のシフトレジスタにおいて、前記選択情報を格納しているシフト段の位置とは、隔離しており、前記第１選択駆動回路は、前記選択情報を格納しているシフト段の位置に対応した駆動電極に、前記第１駆動電圧と前記第２駆動電圧を供給し、
前記第３単位スキャナ回路のシフトレジスタにおいて、前記選択情報を格納しているシフト段の位置と、前記第４単位スキャナ回路のシフトレジスタにおいて、前記選択情報を格納しているシフト段の位置とは、隔離しており、前記第２選択駆動回路は、前記選択情報を格納しているシフト段の位置に対応した駆動電極に、前記第２駆動電圧と前記第１駆動電圧を供給する、入力検出装置。
【請求項１０】
請求項９に記載の入力検出装置において、
前記入力検出装置は、前記隔離の量を定める情報を格納する第１レジスタを備える、入力検出装置。
【請求項１１】
平面視において、互いに平行に配置され、それぞれ一対の端部を有する複数の駆動電極を備え、
前記複数の駆動電極のうちの少なくとも１個の第１駆動電極は、その一方の端部に第１駆動電圧が供給され、その他方の端部に前記第１駆動電圧と異なる第２駆動電圧が供給される第１駆動状態と、その一方の端部に前記第２駆動電圧が供給され、その他方の端部に前記第１駆動電圧が供給される第２駆動状態とが、時間的に交互に生じるように、駆動され、
前記第１駆動電極が前記第１駆動状態となるように駆動されているとき、前記第１駆動電極を流れる電流が定常となるタイミングで、前記第１駆動電極が前記第２駆動状態となるように駆動する、入力検出装置。
【請求項１２】
第１駆動電極と第２駆動電極とに電流を流すことにより磁界を発生させる入力検出装置において、
前記第１駆動電極と前記第２駆動電極との各々は一方の端部と他方の端部とを有し、
前記第１駆動電極と前記第２駆動電極とは、前記一方の端部から前記他方の端部に電流が流れる第１駆動状態と、前記他方の端部から前記一方の端部に電流が流れる第２駆動状態とが時間的に交互に生じることにより、生成する磁界の向きを時間的に反転させ、
前記第１駆動電極が前記第１駆動状態のとき、前記第２駆動電極が前記第２駆動状態であり、
前記第１駆動電極が前記第２駆動状態のとき、前記第２駆動電極が前記第１駆動状態である、入力検出装置。
【請求項１３】
請求項１２に記載の入力検出装置において、
前記入力検出装置は、
前記駆動電極が形成された第１基板と、
前記第１基板に搭載された第２基板と、
前記第２基板に形成され、平面視において、前記駆動電極と交差するように配置された検出電極と、
を備え、
前記磁界に応じて、外部物体が発生する磁界を前記検出電極によって検出する、入力検出装置。
【請求項１４】
請求項１から１３のいずれか１項に記載された入力検出装置を備えた、電子装置。
【発明の詳細な説明】
【技術分野】
【０００１】
本発明は、入力検出装置および電子装置に関し、特に外部物体の近接を検出可能なタッチ検出機能を有する入力検出装置および電子装置に関する。
【背景技術】
【０００２】
外部物体の近接または接触を検出可能な入力検出装置、いわゆるタッチパネルが知られている。このようなタッチパネルは液晶やＯＬＥＤなどを用いた表示装置と組み合わせて使用することができ、例えば携帯電話やタブレットなどの電子機器に搭載することができる。
【０００３】
指などの外部物体を検出する入力検出装置としては例えば静電容量方式のタッチパネルが知られている。また、外部物体として、スタイラス等のペンを検出可能なタッチパネルについても知られている。ペンを用いることにより、指よりも小さな領域を指定したり、手書き文字の入力が可能となる。ペンによるタッチを検出する方法の一つとして、電磁誘導方式のタッチパネルが知られている。
【０００４】
電磁誘導方式のタッチパネルに関する技術は、例えば特許文献１に記載されている。
【先行技術文献】
【特許文献】
【０００５】
【特許文献１】特開平１０−４９３０１号公報
【発明の概要】
【発明が解決しようとする課題】
【０００６】
電磁誘導方式においては、例えば、入力検出装置に、磁界を発生するコイル（以下、磁界発生コイルとも称する）と磁界を検出するコイル（以下、磁界検出コイルとも称する）が設けられる。また、外部物体であるペンには、共振回路を構成するコイルと容量素子とが内蔵される。
【０００７】
ペンが、入力検出装置に近接していると、磁界発生コイルとペン内のコイルとの間が磁界結合される。この場合、磁界発生コイルを流れる電流が変化すると、電磁誘導によって、ペン内のコイルに誘起電圧が発生し、ペン内の容量素子が充電される。ペン内の容量素子に充電された電荷量に従って、ペン内のコイルが磁界を発生し、これを磁界検出コイルにより検出することで、ペンの近接を検出する。
【０００８】
しかし、このようなタッチパネルにおいては、ペン内の容量の充電量が不足すると、検出感度が下がったり、これらを補うために検出期間が長くなるなどの課題があった。
【０００９】
本発明の目的は、このような電磁誘導方式のタッチパネルにおいて検出感度の向上を図ることが可能な入力検出装置を提供することにある。
【課題を解決するための手段】
【００１０】
本発明の一態様に係わる入力検出装置は、平面視において、互いに平行に配置され、それぞれ一対の端部を有する複数の駆動電極を備える。ここで、複数の駆動電極のうちの少なくとも１個の第１駆動電極は、その一方の端部に第１駆動電圧が供給され、その他方の端部に前記第１駆動電圧と異なる第２駆動電圧が供給される第１駆動状態と、その一方の端部に前記第２駆動電圧が供給され、その他方の端部に前記第１駆動電圧が供給される第２駆動状態とが、時間的に交互に生じるように、駆動される。
【００１１】
また、本発明の一態様に係わる入力検出装置は、駆動電極を備え、駆動電極に電流を流すことにより磁界を発生させる入力検出装置である。ここで、駆動電極は一方の端部と他方の端部とを有し、入力検出装置においては、一方の端部から他方の端部に電流が流れる第１駆動状態と、他方の端部から一方の端部に電流が流れる第２駆動状態とが、同一の駆動電極において時間的に交互に生じることにより駆動電極の生成する磁界の向きを時間的に反転させられる。
【図面の簡単な説明】
【００１２】
【図１】（Ａ）および（Ｂ）は、表示装置の構成を示す平面図および断面図である。
【図２】（Ａ）〜（Ｃ）は、電磁誘導方式の原理を示す説明図である。
【図３】（Ａ）〜（Ｃ）は、静電容量方式の原理を示す説明図である。
【図４】実施の形態１に係わる表示装置の構成を示すブロック図である。
【図５】実施の形態１に係わるモジュールの構成を示す平面図である。
【図６】実施の形態１に係わる第１スキャナ回路、第２スキャナ回路、第１選択駆動回路および第２選択駆動回路の構成を示すブロック図である。
【図７】（Ａ）〜（Ｄ）は、実施の形態１に係わるスキャナ回路の構成を示すブロック図である。
【図８】（Ａ）および（Ｂ）は、実施の形態１に係わる第１選択駆動回路および第２選択駆動回路の構成を示す回路図である。
【図９】（Ａ）および（Ｂ）は、実施の形態１に係わる磁界タッチ検出の動作を説明するための説明図である。
【図１０】（Ａ）および（Ｂ）は、選択された駆動電極の駆動を説明するための説明図である。
【図１１】実施の形態１に係わる磁界タッチ検出の全体動作を説明する波形図である。
【図１２】実施の形態１に係わる磁界タッチ検出の全体動作を説明する波形図である。
【図１３】実施の形態１に係わる電界タッチ検出の動作を説明する波形図である。
【図１４】実施の形態１に係わる電界タッチ検出の動作を説明する波形図である。
【図１５】実施の形態１に係わる電界タッチ検出の動作を説明するブロック図である。
【図１６】実施の形態２に係わる第１スキャナ回路、第２スキャナ回路、第１選択駆動回路および第２選択駆動回路の構成を示すブロック図である。
【図１７】実施の形態２に係わる第２選択駆動回路の構成を示す回路図である。
【図１８】実施の形態２に係わる磁界タッチ検出の全体動作を説明する波形図である。
【図１９】実施の形態２に係わる磁界タッチ検出の全体動作を説明する波形図である。
【図２０】実施の形態２に係わる電界タッチ検出の動作を説明する波形図である。
【図２１】実施の形態２に係わる電界タッチ検出の動作を説明する波形図である。
【図２２】（Ａ）および（Ｂ）は、実施の形態３に係わる駆動電極の状態を示す模式的な平面図である。
【図２３】実施の形態３に係わる磁界タッチ検出の全体動作を説明する波形図である。
【図２４】実施の形態３に係わる磁界タッチ検出の全体動作を説明する波形図である。
【図２５】実施の形態１〜３に係わる電子装置を示す斜視図である。
【図２６】（Ａ）および（Ｂ）は、実施の形態４に係わるタッチパネルの構成を示す平面図である。
【発明を実施するための形態】
【００１３】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
また、本明細書と各図において、既出の図に関して前述したものと同様の要素には、同一の符号を付して、詳細な説明を適宜省略することがある。以下の説明は、入力検出装置として、タッチ検出機能付き液晶表示装置を例として述べるが、これに限定されるものではない。例えば、入力検出装置は、タッチ検出機能付きＯＬＥＤ表示装置でもよいし、表示機能を有していないタッチパネル等であってもよい。
【００１５】
（実施の形態１）
実施の形態１では、ペンによるタッチと指によるタッチの両方を検出することが可能なタッチ検出機能付き液晶表示装置（以下、表示装置とも称する）が提供される。すなわち、実施の形態１では液晶表示装置の中に電磁誘導方式のタッチパネルと静電容量方式のタッチパネルが内蔵されている。先ず、表示装置の基本的な構成を説明し、次にペンによるタッチを検出する磁界検出（以下、磁界タッチ検出とも称する）および指によるタッチを検出する電界検出（以下、電界タッチ検出とも称する）の原理を説明する。
【００１６】
＜表示装置の基本的な構成＞
図１は、表示装置の構成を模式的に示す図である。図１において、１は、表示装置を示しており、図１（Ａ）は、表示装置１の平面を示す平面図であり、図１（Ｂ）は、表示装置１の断面を示す断面図である。表示装置１は、ＴＦＴ（Ｔｈｉｎ  Ｆｉｌｍ  Ｔｒａｎｓｉｓｔｏｒ）ガラス基板（以下、絶縁性第１基板または単に第１基板とも称する）ＴＧＢと、第１基板ＴＧＢに積層されたレイヤ（層）、カラーフィルタＣＦＴ、ＣＦ（Ｃｏｌｏｒ  Ｆｉｌｔｅｒ）ガラス基板（以下、絶縁性第２基板または単に第２基板とも称する）ＣＧＢおよび第２基板ＣＧＢに積層されたレイヤ（層）を備えている。
【００１７】
図１（Ａ）において、ＴＬ（０）〜ＴＬ（ｐ）は、第１基板ＴＧＢの第１主面ＴＳＦ１に形成された駆動電極を示している。また、ＲＬ（０）〜ＲＬ（ｐ）は、第２基板ＣＧＢの第１主面ＣＳＦ１に形成された検出電極を示している。図１（Ａ）では、第１基板ＴＧＢと第２基板ＣＧＢとが分離して、描かれているが、実際には、図１（Ｂ）に示すように、液晶層を挟んで、第１基板ＴＧＢの第１主面ＴＳＦ１と第２基板ＣＧＢの第２主面ＣＳＦ２とが対向するように配置されている。
【００１８】
図１（Ｂ）では、第１基板ＴＧＢの第１主面ＴＳＦ１と第２主面ＣＳＦ２との間に駆動電極ＴＬ（０）〜ＴＬ（ｎ＋２）、液晶層およびカラーフィルタＣＦＴが配置されている。第２基板ＣＧＢの第１主面ＣＳＦ１には、複数の検出電極ＲＬ（０）〜ＲＬ（ｐ）と偏光板が配置されている。１３は検出電極ＲＬ（ｎ）に接続された単位検出回路である。
【００１９】
本明細書では、表示装置１を、図１（Ａ）に示すように、第２基板ＣＧＢおよび第１基板ＴＧＢの第１主面ＣＳＦ１、ＴＳＦ１側から見たときの状態を、平面視として説明する（図１（Ｂ）に示した目視方向）。平面視で見たとき、駆動電極ＴＬ（０）〜ＴＬ（ｐ）は、第１基板ＴＧＢの第１主面ＴＳＦ１において、行方向（横方向）に延在し、列方向（縦方向）に平行に配置されている。また、検出電極ＲＬ（０）〜ＲＬ（ｐ）は、第２基板ＣＧＢの第１主面ＣＳＦ１において、列方向（縦方向）に延在し、行方向（横方向）に平行に配置されている。
【００２０】
駆動電極ＴＬ（０）〜ＴＬ（ｐ）と検出電極ＲＬ（０）〜ＲＬ（ｐ）とは立体交差するように配置され、互いに電気的に分離している。駆動電極ＴＬと検出電極ＲＬとの間に形成される容量を図１（Ｂ）の破線で示す。
【００２１】
図１（Ａ）では駆動電極ＴＬ（０）〜ＴＬ（ｐ）と検出電極ＲＬ（０）〜ＲＬ（ｐ）とが直交するように配置されているがこれに限定されず所定の角度で交差していてもよい。本実施形態では、駆動電極ＴＬ（０）〜ＴＬ（ｐ）を電磁誘導方式または静電容量方式のタッチ駆動電極として兼用し、検出電極ＲＬ（０）〜ＲＬ（ｐ）を電磁誘導方式または静電容量方式のタッチ検出電極として兼用できるようになっている。また、駆動電極ＴＬ（０）〜ＴＬ（ｐ）は表示装置の共通電極としても兼用できるようになっている。
【００２２】
＜磁界検出の原理＞
図２は、ペン検出時すなわち磁界検出の原理を示す説明図である。磁界検出の期間は、磁界を発生する磁界発生期間と磁界を検出する磁界検出期間とによって構成される。図２（Ａ）および（Ｃ）は、磁界発生期間のときの動作を示し、図２（Ｂ）は、磁界検出期間のときの動作を示す。なお図２（Ａ）〜（Ｃ）は、図１（Ａ）を９０度回転させた状態を示す。
【００２３】
磁界発生期間においては、駆動電極ＴＬ（０）〜ＴＬ（ｐ）のうち、所定の駆動電極間の端部が、電気的に接続され、端部が接続された駆動電極に、所定の電圧（例えば接地電圧Ｖｓ）と磁界駆動信号が供給される。例えば、図１に示した駆動電極ＴＬ（０）およびＴＬ（２）のそれぞれの端部のうち、他方の端部が、図１の右側において電気的に接続される。これにより、互いに平行に配置されている駆動電極ＴＬ（０）およびＴＬ（２）が、直列的に接続される。駆動電極ＴＬ（０）の一方の端部に、図１の左側において、接地電圧Ｖｓを供給し、駆動電極ＴＬ（２）の一方の端部に、図１の左側において、磁界駆動信号を供給する。ここで、磁界駆動信号は、その電圧が周期的に変化する信号である。駆動電極ＴＬ（０）およびＴＬ（２）によって、この駆動電極により挟まれた領域（形成された領域）を内側とした磁界発生コイルが構成され、この磁界発生コイルは、磁界駆動信号の電圧の変化に応じた磁界を、その内側で発生する。
【００２４】
図２（Ａ）において、ＧＸ（ｎ−１）は、駆動電極ＴＬ（０）、ＴＬ（２）によって構成された磁界発生コイルを示し、ＧＸ（ｎ）〜ＧＸ（ｎ＋４）のそれぞれは、磁界発生コイルＧＸ（ｎ−１）と同様に、駆動電極ＴＬ（１）、ＴＬ（３）〜ＴＬ（ｐ）によって構成された磁界発生コイルを示している。
【００２５】
図２（Ａ）において、ＣおよびＬ１は、ペンＰｅｎに内蔵されている容量素子およびコイルを示している。容量素子ＣとコイルＬ１は、共振回路を構成するように、並列接続されている。磁界発生期間において、磁界発生コイルＧＸ（ｎ−１）〜ＧＸ（ｎ＋３）のそれぞれの一方の端部には、接地電圧Ｖｓが供給される。磁界駆動信号ＣＬＫが、磁界発生コイルＧＸ（ｎ）の他方の端部に供給される。これにより、磁界発生コイルＧＸ（ｎ）が、磁界駆動信号ＣＬＫの電圧変化に応じた磁界φ１を発生する。ペンＰｅｎが、磁界発生コイルＧＸ（ｎ）に近接していれば、磁界発生コイルＧＸ（ｎ）とコイルＬ１との間は電磁結合され、磁界φ１によってコイルＬ１に相互誘導による誘起電圧が発生し、容量素子Ｃが充電される。
【００２６】
次に、図２（Ｂ）に示す磁界検出期間に移行する。磁界検出期間においては、検出電極ＲＬ（０）〜ＲＬ（ｐ）を用いて、磁界の検出が行われる。検出電極ＲＬ（０）〜ＲＬ（ｐ）は一対の端部を有している。検出電極ＲＬ（０）〜ＲＬ（ｐ）のうち、所定の検出電極間の他方の端部が、互いに電気的に接続される。例えば、図１に示した検出電極ＲＬ（０）とＲＬ（３）のそれぞれの他方の端部が、図１の上側において電気的に接続される。これにより、平行に配置された検出電極ＲＬ（０）、ＲＬ（３）が直列的に接続される。磁界検出期間においては、検出電極ＲＬ（３）の一方の端部に所定の電圧Ｖｓが供給され、検出電極ＲＬ（０）の一方の端部が、単位検出回路に接続される。これにより、検出電極ＲＬ（０）とＲＬ（３）とによって挟まれた領域（形成された領域）を内側とした磁界検出コイルが形成され、この磁界検出コイルによって、ペンＰｅｎからの磁界の検出が行われる。
【００２７】
図２（Ｂ）において、ＤＹ（ｎ−２）は、検出電極ＲＬ（０）、ＲＬ（３）によって構成された磁界検出コイルを示しており、ＤＹ（ｎ−１）〜ＤＹ（ｎ＋１）は、同様に検出電極ＲＬ（２）〜ＲＬ（ｐ）によって構成された磁界検出コイルを示している。磁界検出期間のとき、磁界検出コイルＤＹ（ｎ−１）〜ＤＹ（ｎ＋１）のそれぞれの一方の端部に、所定の電圧Ｖｓが供給され、それぞれの他方の端部における信号Ｒｘ（ｎ−２）〜Ｒｘ（ｎ＋１）が、単位検出回路に供給される。
【００２８】
磁界発生期間において、容量素子Ｃに充電が行われていれば、磁界検出期間のとき、コイルＬ１は、容量素子Ｃに充電されている電荷に従って、共振回路の共振周波数に応じて変化する磁界φ２を発生する。図２（Ｂ）では、磁界検出コイルＤＹ（ｎ）の内側に、コイルＬ１の中心（一点鎖線）が存在している。そのため、磁界検出コイルＤＹ（ｎ）とコイルＬ１との間で電磁結合が発生し、相互誘導によって、磁界検出コイルＤＹ（ｎ）に誘起電圧が発生する。その結果、磁界検出コイルＤＹ（ｎ）の他方の端部における信号Ｒｘ（ｎ）は、容量素子Ｃに充電されている電荷量に応じて変化することになる。磁界検出コイルＤＹ（ｎ）に接続された単位検出回路は、この信号Ｒｘ（ｎ）の変化を検出信号として出力する。これにより、ペンＰｅｎが近接（タッチ）しているか否か、および座標を抽出することが可能となる。また、電荷量に応じて検出信号が変化するため、ペンＰｅｎとの距離を求めることが可能となる。
【００２９】
図２（Ｃ）は、図２（Ｂ）に続いて移行した磁界発生期間を示している。図２（Ａ）と異なるのは、磁界発生コイルＧＸ（ｎ＋１）に磁界駆動信号ＣＬＫが供給されていることである。この時磁界発生コイルＧＸ（ｎ＋１）の内側にコイルＬ１の中心が存在しないので、コイルＬ１に誘起電圧が発生せず、容量素子Ｃは充電されない。これにより、図２（Ｃ）に続いて移行する磁界検出期間においては、ペンＰｅｎの近接が検出されない。以降、同様にして、駆動する磁界発生コイルと磁界検出コイルをスキャンすることにより表示領域におけるペンＰｅｎの検出が行われる。
【００３０】
＜電界検出の原理＞
図３は、指検出時、すなわち電界検出の原理を示す説明図である。図３（Ａ）において、１２−０〜１２−ｐのそれぞれは、電界駆動信号を出力する単位駆動回路を示し、１３−０〜１３−ｐのそれぞれは、単位検出回路を示している。また、図３（Ａ）において、実線の○で囲んだパルス信号は、駆動電極ＴＬ（２）へ供給される電界駆動信号Ｔｘ（２）の波形を示している。外部物体として、指がＦＧとして示されている。
【００３１】
駆動電極ＴＬ（２）に、電界駆動信号Ｔｘ（２）が供給されると、図３（Ｂ）に示すように、駆動電極ＴＬ（２）と、この駆動電極ＴＬ（２）と直交する検出電極ＲＬ（ｎ）との間で電界が発生する。このとき、指ＦＧが、駆動電極ＴＬ（２）の近傍をタッチしていると、指ＦＧと駆動電極ＴＬ（２）との間でも電界が発生し、駆動電極ＴＬ（２）と検出電極ＲＬ（ｎ）との間で発生している電界が減少する。これにより、駆動電極ＴＬ（２）と検出電極ＲＬ（ｎ）との間の電荷量が減少する。その結果、図３（Ｃ）に示すように、駆動信号Ｔｘ（２）の供給に応答して生じる電荷量は、指ＦＧがタッチしているときは、タッチしていないときに比べてΔＱだけ減少する。電荷量の差は、電圧の差として表れ、単位検出回路１３−ｎに供給され、検出信号として出力される。
【００３２】
他の駆動電極についても、同様にして、電界駆動信号を供給することにより、指ＦＧがタッチしているか否かに応じた信号の電圧変化が、検出電極ＲＬ（０）〜ＲＬ（ｐ）に生じ、検出信号として出力されることになる。これにより、指ＦＧがタッチしているか否か、および座標を抽出することが可能となる。
【００３３】
上記したように、磁界検出の際には、駆動電極ＴＬ（０）〜ＴＬ（ｐ）のうち、選択された駆動電極に接地電圧と磁界駆動信号が供給され、電界検出の際には、選択された駆動電極に電界駆動信号が供給される。一方、表示の際には、駆動電極ＴＬ（０）〜ＴＬ（ｐ）に、表示駆動信号が供給される。表示駆動信号によって、駆動電極ＴＬ（０）〜ＴＬ（ｐ）のそれぞれは、同じ電圧とされるため、駆動電極ＴＬ（０）〜ＴＬ（ｐ）は、１個の共通電極と見なすことができる。
【００３４】
＜表示装置の全体構成＞
図４は、実施の形態１に係わる表示装置１の構成を示すブロック図である。図４において、表示装置１は、表示パネル（液晶パネル）、制御装置３、ゲートドライバ４およびタッチ制御装置５を備えている。また、表示装置１は、第１スキャナ回路ＳＣＬ、第２スキャナ回路ＳＣＲ、第１選択駆動回路ＳＤＬ、第２選択駆動回路ＳＤＲおよび検出回路ＤＥＴを備えている。表示パネルは、表示を行う表示領域（表示部）と周辺回路等が配置された周辺領域（周辺部）とを備えている。図４では、２が、表示領域である。
【００３５】
表示領域２は、複数の画素が行列状に配置された画素配列を有している。画素配列には、複数の信号線、複数の駆動電極、複数の走査線および複数の検出電極が配置されている。図４を参照して述べると、画素配列において、信号線ＳＬ（０）〜ＳＬ（ｐ）は、縦方向（列方向）に延在し、横方向（行方向）に平行に配置されている。また、駆動電極ＴＬ（０）〜ＴＬ（ｐ）は、横方向に延在し、縦方向に平行に配置されている。さらに、走査線は、横方向に延在し、縦方向に平行に配置され、検出電極ＲＬ（０）〜ＲＬ（ｐ）は、縦方向に延在し、横方向に平行に配置されている。この場合、画素は、かかる複数の信号線と複数の走査線とが交差することにより形成される空間に配置されている。表示の期間（表示期間）においては、信号線と走査線により、画素が選択され、選択された画素には、そのときの信号線の電圧と、駆動電極の電圧が印加され、信号線と駆動電極との間の電圧差に従った表示が行われる。
【００３６】
制御装置３は、外部端子Ｔｔに供給されるタイミング信号と入力端子Ｔｉに供給される画像情報とを受け、表示期間のとき、画像情報に従った画像信号を形成し、複数の信号線ＳＬ（０）〜ＳＬ（ｐ）に供給する。また、制御装置３は、外部端子Ｔｔに供給されるタイミング信号とタッチ制御装置５からの制御信号ＳＷとを受け、種々の信号を形成する。図４には、制御装置３により形成される信号のうち、説明に必要な信号のみが、代表として描かれている。すなわち、制御装置３は、同期信号ＴＳＨＤ、駆動信号ＴＰＨ、ＴＰＬ、制御信号ＣＯＭＦＬ、検出タイミング信号ＴＰＳＥＬ、状態選択信号ＶＳＥＬ１、ＶＳＥＬ２を形成する。また、制御装置３は、シフトクロック信号ＣＫ−ＡＲ、ＣＫ−ＢＲ、ＣＫ−ＡＬ、ＣＫ−ＢＬおよびスタート信号ＳＴ−ＡＲ、ＳＴ−ＢＲ、ＳＴ−ＡＬ、ＳＴ−ＢＬを形成する。
【００３７】
特に制限されないが、この実施の形態１において、制御装置３は、離間量レジスタ（第１レジスタ）Ｓ−ＲＥＧを備えている。離間量は磁界発生時に複数の駆動電極を選択してコイルを形成する時に、選択される駆動電極の間に配置される非選択の駆動電極の数ｎに相当する。離間量ｎによりペン検出時の検出感度や検出精度が調整可能である。この離間量レジスタＳ−ＲＥＧに格納された情報に基づいて、制御装置３は、スタート信号ＳＴ−ＡＲ、ＳＴ−ＢＲ、ＳＴ−ＡＬ、ＳＴ−ＢＬおよびシフトクロック信号を形成する。また、制御装置３は、破線で示した束レジスタ（第２レジスタ）Ｃ−ＲＥＧを備えている。束レジスタＣ−ＲＥＧに格納される束ね数は複数の駆動電極を選択してコイルを形成するときにそれぞれの駆動電極に含まれる隣接する駆動電極の数ｍである。束ね量ｍはコイルの太さを選択する情報であり、束ね数により入力検出装置の検出感度や検出精度が調整可能である。この束レジスタＣ−ＲＥＧは、後で実施の形態３で説明するので、ここでは説明を省略する。
【００３８】
同期信号ＴＳＨＤは、表示領域２において表示を行う表示期間とタッチ検出を行うタッチ検出期間とを識別する同期信号である。制御装置３は、この同期信号ＴＳＨＤによって、タッチ制御装置５が、タッチ検出期間の際に動作するように制御する。
【００３９】
ゲートドライバ４は、表示のとき、制御装置３からのタイミング信号に従って走査線信号Ｖｓ０〜Ｖｓｐを形成し、表示領域２内の走査線に供給する。表示期間においては、ハイレベルの走査線信号が供給されている走査線に接続されている画素が選択され、選択された画素は、そのとき信号線ＳＬ（０）〜ＳＬ（ｐ）に供給されている画像信号に従った表示を行う。
【００４０】
検出回路ＤＥＴは、磁界タッチ検出および電界タッチ検出の際に、検出電極ＲＬ（０）〜ＲＬ（ｐ）における信号の変化を検出し、検出信号Ｒｘ（０）〜Ｒｘ（ｐ）として出力する。
【００４１】
タッチ制御装置５は、検出信号Ｒｘ（０）〜Ｒｘ（ｐ）を受け、タッチされた位置の座標を抽出し、外部端子Ｔｏから出力する。また、タッチ制御装置５は、制御信号ＳＷを出力するとともに、同期信号ＴＳＨＤを受け、表示制御装置３に同期して動作する。
【００４２】
表示領域２は、画素配列の行に平行した辺２−Ｕ、２−Ｄと、画素配列の列に平行した辺２−Ｒ、２−Ｌを有している。ここで、辺２−Ｕと辺２−Ｄは、互いに対向した辺であり、この２辺の間に、画素配列における複数の駆動電極と複数の走査線が配置されている。また、辺２−Ｒと辺２−Ｌも、互いに対向した辺であり、この２辺の間に、画素配列における複数の信号線と複数の検出電極が配置されている。
【００４３】
第１スキャナ回路ＳＣＬおよび第１選択駆動回路ＳＤＬは、表示領域２の辺２−Ｌに沿って、複数の駆動電極の一方の端部に近接するように配置されており、第１選択駆動回路ＳＤＬは、辺２−Ｌにおいて、駆動電極ＴＬ（０）〜ＴＬ（ｐ）のそれぞれの一方の端部に接続されている。同様に、第２スキャナ回路ＳＣＲおよび第２選択駆動回路ＳＤＲは、表示領域２の辺２−Ｒに沿って、複数の駆動電極の他方の端部に近接するように配置されており、第２選択駆動回路ＳＤＲは、辺２−Ｒにおいて、駆動電極ＴＬ（０）〜ＴＬ（ｐ）のそれぞれの他方の端部に接続されている。
【００４４】
第１スキャナ回路ＳＣＬは、一対のスキャナ回路ＳＣＡＬ、ＳＣＢＬを有し、第１選択駆動回路ＳＤＬは、選択回路ＳＥＬＬと駆動回路ＤＲＶＬを有している。同様に、第２スキャナ回路ＳＣＲは、一対のスキャナ回路ＳＣＡＲ、ＳＣＢＲを有し、第２選択駆動回路ＳＤＲは、選択回路ＳＥＬＲと駆動回路ＤＲＶＲを有している。本明細書においては、第１スキャナ回路ＳＣＬおよび第２スキャナ回路ＳＣＲと区別するために、スキャナ回路ＳＣＢＬは、第１単位スキャナ回路ＳＣＢＬとも称し、スキャナ回路ＳＣＡＬは、第２単位スキャナ回路ＳＣＡＬとも称することがある。同様に、スキャナ回路ＳＣＢＲは、第３単位スキャナ回路ＳＣＢＲとも称し、スキャナ回路ＳＣＡＲは、第４単位スキャナ回路ＳＣＡＲとも称することがある。駆動回路ＤＲＶＬ及び駆動回路ＤＲＶＲはそれぞれ信号配線ＴＰＨと信号配線ＴＰＬとを備える。
【００４５】
第１スキャナ回路ＳＣＬ、第２スキャナ回路ＳＣＲ、第１選択駆動回路ＳＤＬおよび第２選択駆動回路ＳＤＲは、磁界タッチ検出のとき、駆動電極ＴＬ（０）〜ＴＬ（ｐ）から、所望の駆動電極を選択し、選択した駆動電極に信号配線ＴＰＨおよびＴＰＬを介して磁界駆動信号と接地電圧を供給し、電界タッチ検出のときにも、所望の駆動電極を選択し、選択した駆動電極に信号配線ＴＰＨを介して電界駆動信号を供給する。そのため、磁界タッチ検出および電界タッチ検出の際には、第１スキャナ回路ＳＣＬ、第２スキャナ回路ＳＣＲ、第１選択駆動回路ＳＤＬおよび第２選択駆動回路ＳＤＲによって、駆動電極を駆動する駆動回路が構成されていると見なすことができる。
【００４６】
第１スキャナ回路ＳＣＬ、第２スキャナ回路ＳＣＲ、第１選択駆動回路ＳＤＬおよび第２選択駆動回路ＳＤＲについては、後で図を用いて詳しく説明するので、ここでは、これ以上、説明しない。
【００４７】
＜表示装置１のモジュール構成＞
図５は、表示装置１を実装したモジュール５００の全体構成を示す模式的な平面図である。模式的ではあるが、図５は、実際の配置に合わせて描かれている。同図において、５０１は、図１で示した第１基板ＴＧＢの領域を示し、５０２は、第１基板ＴＧＢと第２基板ＣＧＢとが積層された領域を示している。モジュール５００において、第１基板ＴＧＢは、領域５０１と５０２において一体となっている。また、領域５０２では、第１基板ＴＧＢの第１主面ＴＳＦ１と第２基板ＣＧＢの第２主面ＣＳＦ２とが対向するように、第１基板ＴＧＢに第２基板ＣＧＢが搭載されている。また、図５において、５００−Ｕ、５００−Ｄは、モジュール５００の短辺を示しており、５００−Ｌ、５００−Ｒは、モジュール５００の長辺を示している。
【００４８】
領域５０２であって、表示領域２の辺２−Ｌとモジュール５００の辺５００−Ｌとの間の領域には、図４で示したゲートドライバ４、第１スキャナ回路ＳＣＬおよび第１選択駆動回路ＳＤＬが配置されている。表示領域２の辺２−Ｒとモジュール５００の辺５００−Ｒとの間の領域には、図４で示した第２スキャナ回路ＳＣＲおよび第２選択駆動回路ＳＤＲが配置されている。表示領域２の辺２−Ｄとモジュール５００の辺５００−Ｄとの間の領域には、図４で示した検出回路ＤＥＴおよび制御装置３が配置されている。検出回路ＤＥＴは、領域５０１の第１基板ＴＧＢの第１主面ＴＳＦ１に形成された配線および部品により構成されている。平面視で見たとき、検出回路ＤＥＴを覆うように、制御装置３が、第１基板ＴＧＢに実装されている。また、第１スキャナ回路ＳＣＬ、第２スキャナ回路ＳＣＲ、第１選択駆動回路ＳＤＬおよび第２選択駆動回路ＳＤＲを構成する配線および部品も、領域５０２における第１基板ＴＧＢの第１主面ＴＳＦ１に形成されている。
【００４９】
図４において説明した検出信号Ｒｘ（０）〜Ｒｘ（ｐ）は、フレキシブルケーブルＦＢ１内の配線を介して、タッチ制御装置５に供給される。領域５０１には、フレキシブルケーブルＦＢ２が接続されており、このフレキシブルケーブルＦＢ２に設けられたコネクタＣＮを介して、タッチ制御装置５と制御装置３との間で信号の送受信が行われる。
【００５０】
表示領域２には、既に述べたように、複数の画素が行列状に配列された画素配列を有しており、画素配列の行に沿って配置された複数の駆動電極ＴＬ（０）〜ＴＬ（ｐ）および走査線と、配列の列に沿って配置された複数の信号線ＳＬ（０）〜ＳＬ（ｐ）と複数の検出電極ＲＬ（０）〜ＲＬ（ｐ）とを備えている。図５には、例として、２個の駆動電極ＴＬ（ｎ）、ＴＬ（ｍ）と２個の信号線ＳＬ（ｋ）、ＳＬ（ｎ）と３個の検出電極ＲＬ（ｎ−２）〜ＲＬ（ｎ）が示されている。なお、図５では、走査線は、省略されているが、走査線は、例示した駆動電極ＴＬ（ｎ）、ＴＬ（ｍ）と平行して、延在している。
【００５１】
また、図５には、画素配列が、破線ＰＤＭとして示されており、画素配列ＰＤＭに配置されている複数の画素のうち、表示領域２の４個の角に配置されている画素と、例示した駆動電極および信号線との交差部に配置された画素が、Ｐｉｘとして示されている。
【００５２】
＜第１スキャナ回路ＳＣＬ、第２スキャナ回路ＳＣＲ、第１選択駆動回路ＳＤＬおよび第２選択駆動回路ＳＤＲの構成＞
図６は、実施の形態１に係わる第１スキャナ回路ＳＣＬ、第２スキャナ回路ＳＣＲ、第１選択駆動回路ＳＤＬおよび第２選択駆動回路ＳＤＲの構成を示すブロック図である。図６では、図面が複雑になるのを避けるために、表示領域２に配置されている駆動電極ＴＬ（０）〜ＴＬ（ｐ）のうち、駆動電極ＴＬ（ｎ）〜ＴＬ（ｎ＋５）に対応する第１スキャナ回路ＳＣＬ、第２スキャナ回路ＳＣＲ、第１選択駆動回路ＳＤＬおよび第２選択駆動回路ＳＤＲの部分のみが示されているが、駆動電極ＴＬ（０）〜ＴＬ（ｎ−１）およびＴＬ（ｎ＋６）〜ＴＬ（ｐ）についても、同様な構成になっている。ここでは、図６に示した部分を、代表として説明する。
【００５３】
第１選択駆動回路ＳＤＬは、選択回路ＳＥＬＬと駆動回路ＤＲＶＬとを備えており、表示領域２の辺２−Ｌに沿って配置されている。駆動回路ＤＲＶＬは、駆動電極ＴＬ（ｎ）〜ＴＬ（ｎ＋５）に対応した複数の単位駆動回路ＵＳＬを備えている。また、選択回路ＳＥＬＬも、駆動電極ＴＬ（ｎ）〜ＴＬ（ｎ＋５）のそれぞれに対応した単位選択回路ＳＥＬ（ｎ）〜ＳＥＬ（ｎ＋５）を備えている。また、駆動電極ＴＬ（ｎ）〜ＴＬ（ｎ＋５）のそれぞれは、一対の端部ｎ１、ｎ２を有している。
【００５４】
単位駆動回路ＵＳＬのそれぞれは、単位選択回路ＳＥＬ（ｎ）〜ＳＥＬ（ｎ＋５）に１対１に対応しており、第１スイッチＳ０１と第２スイッチＳ００とを備えている。第１スイッチＳ０１は、対応する駆動電極の一方の端部ｎ１と信号配線ＴＰＨとの間に接続され、第２スイッチＳ００は、対応する駆動電極の一方の端部ｎ１と信号配線ＴＰＬとの間に接続されている。信号配線ＴＰＨおよびＴＰＬは磁界発生期間及び電界タッチ検出期間において異なる駆動信号が供給される信号配線である。この実施の形態では、磁界発生期間において信号配線ＴＰＨに磁界駆動信号が供給され、電界タッチ検出期間に電界駆動信号が供給される。磁界発生期間において信号配線ＴＰＬには接地電圧が供給され、電界タッチ検出期間において信号配線ＴＰＬには所定の直流電圧が供給される。この実施の形態において、磁界駆動信号は、接地電圧と異なる電圧値の直流電圧であることが好ましい。第１スイッチＳ０１は、対応する単位選択回路からの第１単位選択信号によってスイッチ制御され、第２スイッチＳ００も、対応する単位選択回路からの第２単位選択信号によってスイッチ制御される。
【００５５】
駆動電極ＴＬ（ｎ）を例にして述べると、単位選択回路ＳＥＬ（ｎ）と、この単位選択回路ＳＥＬ（ｎ）に接続された単位駆動回路ＵＳＬが、駆動電極ＴＬ（ｎ）に対応していることになる。駆動電極ＴＬ（ｎ）の一方の端部ｎ１は、単位選択回路ＳＥＬ（ｎ）からの第１単位選択信号ＳＥＬＨ＿Ｌ（ｎ）によってスイッチ制御される第１スイッチＳ０１を介して、信号配線ＴＰＨに接続される。また、駆動電極ＴＬ（ｎ）の一方の端部ｎ１は、単位選択回路ＳＥＬ（ｎ）からの第２単位選択信号ＳＥＬＧ＿Ｌ（ｎ）によってスイッチ制御される第２スイッチＳ００を介して、信号配線ＴＰＬに接続される。
【００５６】
残りの駆動電極ＴＬ（ｎ＋１）〜ＴＬ（ｎ＋５）のそれぞれも、その一方の端部ｎ１は、対応する単位選択回路ＳＥＬ（ｎ＋１）〜ＳＥＬ（ｎ＋５）からの第１単位選択信号ＳＥＬＨ＿Ｌ（ｎ＋１）〜ＳＥＬＨ＿Ｌ（ｎ＋５）によってスイッチ制御される第１スイッチＳ０１を介して、信号配線ＴＰＨに接続される。また、それぞれの一方の端部ｎ１は、対応する単位選択回路ＳＥＬ（ｎ＋１）〜ＳＥＬ（ｎ＋５）からの第２単位選択信号ＳＥＬＧ＿Ｌ（ｎ＋１）〜ＳＥＬＧ＿Ｌ（ｎ＋５）によってスイッチ制御される第２スイッチＳ００を介して、信号配線ＴＰＬに接続される。
【００５７】
選択回路ＳＥＬＬを構成する単位選択回路ＳＥＬ（ｎ）〜ＳＥＬ（ｎ＋５）には、第１スキャナ回路ＳＣＬから、磁界タッチ検出および電界タッチ検出の際に、選択信号が供給される。この時第１スキャナ回路ＳＣＬを構成する一対のスキャナ回路ＳＣＡＬ、ＳＣＢＬからそれぞれ第１選択信号および第２選択信号が供給される。すなわち、一対のスキャナ回路ＳＣＡＬとスキャナ回路ＳＣＢＬとはそれぞれの駆動電極に対応する単位選択回路を供給する。この実施の形態１においては、第１選択信号は、正相の第１選択信号ＡＬ（ｎ）〜ＡＬ（ｎ＋５）と逆相の第１選択信号ＸＡＬ（ｎ）〜ＸＡＬ（ｎ＋５）によって構成されている。ここで、逆相の第１選択信号ＸＡＬ（ｎ）〜ＸＡＬ（ｎ＋５）は、正相の第１選択信号ＡＬ（ｎ）〜ＡＬ（ｎ＋５）を位相反転した選択信号である。同様に、第２選択信号も、正相の第２選択信号ＢＬ（ｎ）〜ＢＬ（ｎ＋５）と、位相反転により得られた逆相の第２選択信号ＸＢＬ（ｎ）〜ＸＢＬ（ｎ）によって構成されている。
【００５８】
図６では、図面が複雑になるのを避けるために、逆相の第１選択信号は、正相の第１選択信号ＡＬ（ｎ）を位相反転した第１選択信号ＸＡＬ（ｎ）のみが示されている。同様に、逆相の第２選択信号は、正相の第２選択信号ＢＬ（ｎ）を位相反転した第２選択信号ＸＢＬ（ｎ）のみが示されている。以後の説明では、正相の第１選択信号を、第１選択信号と称し、逆相の第１選択信号を、第１反転選択信号と称する。また、正相の第２選択信号を、第２選択信号と称し、逆相の第２選択信号を、第２反転選択信号と称する。
【００５９】
一対のスキャナ回路ＳＣＡＬ、ＳＣＢＬのそれぞれは、複数のシフト段が直列接続されたシフトレジスタを有しており、それぞれのシフトレジスタには、シフトクロック信号ＣＫ−ＡＬ、ＣＫ−ＢＬおよびスタート信号ＳＴ−ＡＬ、ＳＴ−ＢＬが供給される。
【００６０】
図７（Ａ）および（Ｂ）は、実施の形態１に係わるスキャナ回路ＳＣＡＬ、ＳＣＢＬの構成を概略的に示すブロック図である。図７（Ａ）は、スキャナ回路ＳＣＡＬの構成を示し、図７（Ｂ）は、スキャナ回路ＳＣＢＬの構成を示している。スキャナ回路ＳＣＡＬ、ＳＣＢＬのそれぞれは、特に制限されないが、表示領域２に配置された駆動電極ＴＬ（０）〜ＴＬ（ｐ）のそれぞれに対応したシフト段を備えており、これらのシフト段が、直列的に接続されることによって、シフトレジスタが構成されている。図７（Ａ）および（Ｂ）には、図６に示した駆動電極ＴＬ（ｎ）〜ＴＬ（ｎ＋５）に対応するシフト段ＦＡＬ（ｎ）〜ＦＡＬ（ｎ＋５）、ＦＢＬ（ｎ）〜ＦＢＬ（ｎ＋５）のみが示されている。
【００６１】
シフト段ＦＡＬ（ｎ）〜ＦＡＬ（ｎ＋５）のそれぞれは、クロック端子ＣＫ、データ入力端子Ｄおよびデータ出力端子Ｑを備えており、クロック端子ＣＫに供給されているシフトクロック信号ＣＫ−ＡＬの変化に同期して、データ入力端子Ｄに供給されているデータ（情報）を取り込み、データ出力端子Ｑから出力する。シフト段ＦＡＬ（ｎ）のデータ出力端子Ｑは、次段のシフト段ＦＡＬ（ｎ＋１）のデータ入力端子Ｄに接続され、シフト段ＦＡＬ（ｎ＋１）のデータ出力端子Ｑは、次段のシフト段ＦＡＬ（ｎ＋２）のデータ入力端子Ｄに接続されている。以降、シフト段のデータ出力端子Ｑが、次段のシフト段のデータ入力端子Ｑに接続されることにより、シフト段が直列的に接続されている。シフト段ＦＡＬ（ｎ）〜ＦＡＬ（ｎ＋５）のそれぞれのクロック端子ＣＫには、シフトクロック信号ＣＫ−ＡＬが供給される。また、図７（Ａ）において、初段となるシフト段ＦＡＬ（ｎ）のデータ入力端子Ｄには、スタート信号ＳＴ−ＡＬが供給される。
【００６２】
磁界タッチ検出および電界タッチ検出の際には、駆動電極の選択を示す選択情報が、スタート信号ＳＴ−ＡＬとして、シフト段ＦＡＬ（ｎ）に供給される。また、磁界タッチ検出および電界タッチ検出の際には、シフトクロック信号ＣＫ−ＡＬが周期的に変化する。これにより、例えばシフト段ＦＡＬ（ｎ）に選択情報であるスタート信号ＳＴ−ＡＬが取り込まれ、シフトクロック信号ＣＫ−ＡＬが変化するたびに、選択情報であるスタート信号ＳＴ−ＡＬは、シフト段ＦＡＬ（ｎ）からシフト段ＦＡＬ（ｎ＋５）へ向かって順次移動することになる。この実施の形態１においては、特に制限されないが、選択を示す選択情報は、ハイレベルである。そのため、ハイレベルが、シフト段ＦＡＬ（ｎ）からシフト段ＦＡＬ（ｎ＋５）へ向かって移動することになる。
【００６３】
シフト段ＦＡＬ（ｎ）〜ＦＡＬ（ｎ＋５）のデータ出力端子Ｑから出力される信号が、スキャナ回路ＳＣＡＬから出力される第１選択信号となる。シフト段ＦＡＬ（ｎ）〜ＦＡＬ（ｎ＋５）のそれぞれが、駆動電極ＴＬ（ｎ）〜ＴＬ（ｎ＋５）に１対１で対応しているため、シフト段ＦＡＬ（ｎ）のデータ出力端子Ｑから出力される信号が、第１選択信号ＡＬ（ｎ）および第１反転選択信号ＸＡＬ（ｎ）となる。同様に、シフト段ＦＡＬ（ｎ＋１）〜ＦＡＬ（ｎ＋５）のデータ出力端子Ｑから出力される信号が、第１選択信号ＡＬ（ｎ＋１）〜ＡＬ（ｎ＋５）および第１反転選択信号ＸＡＬ（ｎ＋１）〜ＸＡＬ（ｎ＋５）となる。そのため、磁界タッチ検出および電界タッチ検出の際には、第１選択信号ＡＬ（ｎ）からＡＬ（ｎ＋５）に向かって、第１選択信号は、順次ハイレベルとなり、第１反転選択信号は、第１反転選択信号ＸＡＬ（ｎ）からＸＡＬ（ｎ＋５）に向かって、順次ロウレベルとなる。
【００６４】
スキャナ回路ＳＣＡＬを構成するシフト段ＦＡＬ（ｎ）〜ＦＡＬ（ｎ＋５）を例にして説明したが、スキャナ回路ＳＣＢＬを構成するシフト段ＦＢＬ（ｎ）〜ＦＢＬ（ｎ＋５）も同様である。シフト段ＦＢＬ（ｎ）〜ＦＢＬ（ｎ＋５）には、シフトクロック信号として、ＣＫ−ＢＬが供給され、スタート信号として、ＳＴ−ＢＬが供給される。選択を示すハイレベルのスタート信号ＳＴ−ＢＬは、シフトクロック信号ＣＫ−ＢＬの変化に同期して、シフト段ＦＢＬ（ｎ）からＦＢＬ（ｎ＋５）へ向かって移動し、第２選択信号ＢＬ（ｎ）〜ＢＬ（ｎ＋５）および第２反転選択信号ＸＢＬ（ｎ）〜ＸＢＬ（ｎ＋５）として、出力される。
【００６５】
上述したように、一対のスキャナ回路ＳＣＡＬとＳＣＢＬとは単位選択回路ＳＥＬ（ｎ）〜ＳＥＬ（ｎ＋５）のそれぞれを共有するため、制御装置３は、第１選択信号ＡＬと第２選択信号ＢＬが同時に同一の単位選択回路に対してハイレベルとならないように制御する。
【００６６】
選択回路ＳＥＬＬを構成する単位選択回路ＳＥＬ（ｎ）〜ＳＥＬ（ｎ＋５）は、磁界タッチ検出および電界タッチ検出の際、対応する第１選択信号または対応する第２選択信号が、駆動電極の選択を示しているとき、状態選択信号ＶＳＥＬ１、ＶＳＥＬ２に従って、対応する単位駆動回路ＵＳＬ内の第１スイッチＳ０１、第２スイッチＳ００を、オン状態とするような第１単位選択信号ＳＥＬＨ＿Ｌ（ｎ）〜ＳＥＬＨ＿Ｌ（ｎ＋５）および第２単位選択信号ＳＥＬＧ＿Ｌ（ｎ）〜ＳＥＬＧ＿Ｌ（ｎ＋５）を形成する。
【００６７】
第１スキャナ回路ＳＣＬおよび第１選択駆動回路ＳＤＬを例にして説明したが、第２スキャナ回路ＳＣＲおよび第２選択駆動回路ＳＤＲも、同様になっている。そのため、第２スキャナ回路ＳＣＲおよび第２選択駆動回路ＳＤＲについては、簡単に説明する。
【００６８】
第２スキャナ回路ＳＣＲも、一対のスキャナ回路ＳＣＡＲ、ＳＣＢＲを備えており、それぞれのスキャナ回路ＳＣＡＲ、ＳＣＢＲは、図７（Ｃ）および（Ｄ）に示すように、複数のシフト段ＦＡＲ（ｎ）〜ＦＡＲ（ｎ＋５）、ＦＢＲ（ｎ）〜ＦＢＲ（ｎ＋５）を有するシフトレジスタを備えている。スキャナ回路ＳＣＡＲのシフトレジスタには、ハイレベルのスタート信号ＳＴ−ＡＲが供給され、シフトクロック信号ＣＫ−ＡＲの変化に同期して、順次移動する。また、スキャナ回路ＳＣＢＡのシフトレジスタにも、ハイレベルのスタート信号ＳＴ−ＢＲが供給され、シフトクロック信号ＣＫ−ＢＲの変化に同期して、順次移動する。ここで、ハイレベルのスタート信号ＳＴ−ＡＲ、ＳＴ−ＢＲの移動する方向は、スタート信号ＳＴ−ＡＬ、ＳＴ−ＢＬの移動する方向と同じである。また、シフトクロック信号ＣＫ−ＡＲ、ＣＫ−ＢＲは、シフトクロック信号ＣＫ−ＡＬ、ＣＫ−ＢＬと同じ周期のクロック信号である。
【００６９】
スキャナ回路ＳＣＡＲからは、スキャナ回路ＳＣＡＬと同様に、それぞれの駆動電極ＴＬ（ｎ）〜ＴＬ（ｎ＋５）に対応した第１選択信号ＡＲ（ｎ）〜ＡＲ（ｎ＋５）、第１反転選択信号ＸＡＲ（ｎ）〜ＸＡＲ（ｎ＋５）が出力され、スキャナ回路ＳＣＢＲからは、スキャナ回路ＳＣＢＬと同様に、それぞれの駆動電極ＴＬ（ｎ）〜ＴＬ（ｎ＋５）に対応した第２選択信号ＢＲ（ｎ）〜ＢＲ（ｎ＋５）、第２反転選択信号ＸＢＲ（ｎ）〜ＸＢＲ（ｎ＋５）が出力される。なお、図６では、第１反転選択信号ＸＡＲ（ｎ）と第２反転選択信号ＸＢＲ（ｎ）のみが示されている。
【００７０】
選択回路ＳＥＬＲは、駆動電極ＴＬ（ｎ）〜ＴＬ（ｎ＋５）に対応した単位選択回路ＳＥＲ（ｎ）〜ＳＥＲ（ｎ＋５）を備えている。一対のスキャナ回路ＳＣＡＲとＳＣＢＲとはそれぞれの単位選択回路ＳＥＲ（ｎ）〜ＳＥＲ（ｎ＋５）を共有する。単位選択回路ＳＥＲ（ｎ）〜ＳＥＲ（ｎ＋５）は、対応する第１選択信号ＡＲ（ｎ）〜ＡＲ（ｎ＋５）、第１反転選択信号ＸＡＲ（ｎ）〜ＸＡＲ（ｎ＋５）、第２選択信号ＢＲ（ｎ）〜ＢＲ（ｎ＋５）、第２反転選択信号ＸＢＲ（ｎ）〜ＸＢＲ（ｎ＋５）および状態選択信号ＶＳＥＬ１、ＶＳＥＬ２を受け、第１単位選択信号ＳＥＬＨ＿Ｒ（ｎ）〜ＳＥＬＨ＿Ｒ（ｎ＋５）と第２単位選択信号ＳＥＬＧ＿Ｒ（ｎ）〜ＳＥＬＧ＿Ｒ（ｎ＋５）を形成する。
【００７１】
表示領域２の辺２−Ｒに沿って配置された駆動回路ＤＲＶＲは、複数の単位駆動回路ＵＳＲを備えている。単位駆動回路ＵＳＲは、対応する駆動電極ＴＬ（ｎ）〜ＴＬ（ｎ＋５）のそれぞれの他方の端部ｎ２と信号配線ＴＰＨとの間に接続された第１スイッチＳ０１と他方の端部ｎ２と信号配線ＴＰＬとの間に接続された第２スイッチＳ００とを備えている。単位駆動回路ＵＳＲ内の第１スイッチＳ０１は、対応する単位選択回路ＳＥＲ（ｎ）〜ＳＥＲ（ｎ＋５）からの第１単位選択信号ＳＥＬＨ＿Ｒ（ｎ）〜ＳＥＬＨ＿Ｒ（ｎ＋５）によってスイッチ制御され、第２スイッチＳ００は、対応する単位選択回路ＳＥＲ（ｎ）〜ＳＥＲ（ｎ＋５）からの第２単位選択信号ＳＥＬＧ＿Ｒ（ｎ）〜ＳＥＬＧ＿Ｒ（ｎ＋５）によってスイッチ制御される。
【００７２】
選択回路ＳＥＬＬと同様に、選択回路ＳＥＬＲを構成する単位選択回路ＳＥＲ（ｎ）〜ＳＥＲ（ｎ＋５）は、磁界タッチ検出および電界タッチ検出の際、対応する第１選択信号または対応する第２選択信号が、駆動電極の選択を示しているとき、状態選択信号ＶＳＥＬ１、ＶＳＥＬ２に従って、対応する単位駆動回路ＵＳＲ内の第１スイッチＳ０１および第２スイッチＳ００を、オン状態とするような第１単位選択信号ＳＥＬＨ＿Ｒ（ｎ）〜ＳＥＬＨ＿Ｒ（ｎ＋５）および第２単位選択信号ＳＥＬＧ＿Ｒ（ｎ）〜ＳＥＬＧ＿Ｒ（ｎ＋５）を形成する。
【００７３】
＜第１選択駆動回路ＳＤＬおよび第２選択駆動回路ＳＤＲの構成＞
第１選択駆動回路ＳＤＬを構成する選択回路ＳＥＬＬは、駆動電極ＴＬ（０）〜ＴＬ（ｐ）に対応した複数の単位選択回路ＳＥＬ（０）〜ＳＥＬ（ｐ）を備えており、駆動回路ＤＲＶＬも、駆動電極に対応した複数の単位駆動回路ＵＳＬを備えている。単位選択回路ＳＥＬ（０）〜ＳＥＬ（ｐ）は、互いに同じ構成を有し、単位駆動回路ＵＳＬも互いに同じ構成を有している。同様に、第２選択駆動回路ＳＤＲを構成する選択回路ＳＥＬＲも、駆動電極ＴＬ（０）〜ＴＬ（ｐ）に対応し、互いに同じ構成を有する単位選択回路ＳＥＲ（０）〜ＳＥＲ（ｐ）を備えており、駆動回路ＤＲＶＲも、互いに同じ構成を有する複数の単位駆動回路ＵＳＲを備えている。
【００７４】
そのため、ここでは、駆動電極ＴＬ（ｎ）に対応した単位選択回路ＳＥＬ（ｎ）および単位駆動回路ＵＳＬを例にして、第１選択駆動回路ＳＤＬを説明し、駆動電極ＴＬ（ｎ）に対応した単位選択回路ＳＥＲ（ｎ）および単位駆動回路ＵＳＲを例にして、第２選択駆動回路ＳＤＲを説明する。
【００７５】
図８は、実施の形態１に係わる第１選択駆動回路ＳＤＬおよび第２選択駆動回路ＳＤＲの構成を示す回路図である。ここで、図８（Ａ）は、第１選択駆動回路ＳＤＬを構成する単位選択回路ＳＥＬ（ｎ）と単位駆動回路ＵＳＬの構成を示しており、図８（Ｂ）は、第２選択駆動回路ＳＤＲを構成する単位選択回路ＳＥＲ（ｎ）と単位駆動回路ＵＳＲの構成を示している。
【００７６】
単位選択回路ＳＥＬ（ｎ）は、Ｎ型電界効果トランジスタ（以下、Ｎトランジスタとも称する）Ｎ０Ｌ〜Ｎ７Ｌと、Ｐ型電界効果トランジスタ（以下、Ｐトランジスタとも称する）Ｐ０Ｌ〜Ｐ５Ｌと、インバータ回路ＩＶ０Ｌ〜ＩＶ２Ｌを備えている。本明細書においては、Ｐトランジスタは、ゲートに○印を付して、Ｎトランジスタと区別するように描かれている。
【００７７】
ＮトランジスタＮ０ＬとＰトランジスタＰ０Ｌは、それぞれのソース・ドレイン経路が並列的に接続されるように、それぞれのソースとドレインが接続されている。また、ＮトランジスタＮ０Ｌのゲートには、第１選択信号ＡＬ（ｎ）が供給され、ＰトランジスタＰ０Ｌのゲートには、第１反転選択信号ＸＡＬ（ｎ）が供給されている。これにより、ＮトランジスタＮ０ＬとＰトランジスタＰ０Ｌによって、第１選択信号ＡＬ（ｎ）によりスイッチ制御される第１転送スイッチＴＰ１Ｌが構成されている。同様に、ＮトランジスタＮ１ＬとＰトランジスタＰ１Ｌによって、第１選択信号ＡＬ（ｎ）によりスイッチ制御される第２転送スイッチＴＰ２Ｌが構成されている。
【００７８】
また、ＮトランジスタＮ６ＬとＰトランジスタＰ４Ｌは、それぞれのソース・ドレイン経路が並列的に接続され、ＮトランジスタＮ６Ｌのゲートには、第２選択信号ＢＬ（ｎ）が供給され、ＰトランジスタＰ４Ｌのゲートには、第２反転選択信号ＸＢＬ（ｎ）が供給されている。これにより、ＮトランジスタＮ６ＬとＰトランジスタＰ４Ｌとによって、第２選択信号ＢＬ（ｎ）によりスイッチ制御される第３転送スイッチＴＰ３Ｌが構成されている。同様に、ＮトランジスタＮ７ＬとＰトランジスタＰ５Ｌによって、第２選択信号ＢＬ（ｎ）によりスイッチ制御される第４転送スイッチＴＰ４Ｌが構成されている。
【００７９】
第１転送スイッチＴＰ１Ｌの一方の端子には、状態選択信号ＶＳＥＬ１が供給され、第３転送スイッチＴＰ３Ｌの一方の端子には、状態選択信号ＶＳＥＬ２が供給されている。また、第１転送スイッチＴＰ１Ｌと第３転送スイッチＴＰ３Ｌのそれぞれの他方の端子は、共通に接続され、インバータ回路ＩＶ１Ｌの入力に接続されている。同様に、第２転送スイッチＴＰ２Ｌの一方の端子には、状態選択信号ＶＳＥＬ２が供給され、第４転送スイッチＴＰ４Ｌの一方の端子には、状態選択信号ＶＳＥＬ１が供給されている。また、第２転送スイッチＴＰ２Ｌと第４転送スイッチＴＰ４Ｌの他方の端子は、共通に、インバータ回路ＩＶ２Ｌの入力に接続されている。
【００８０】
インバータ回路ＩＶ１Ｌの出力は、第１単位選択信号ＳＥＬＨ＿Ｌ（ｎ）として、対応する単位駆動回路ＵＳＬに供給され、インバータ回路ＩＶ２Ｌの出力は、第２単位選択信号ＳＥＬＧ＿Ｌ（ｎ）として単位駆動回路ＵＳＬに供給される。単位駆動回路ＵＳＬは、駆動電極ＴＬ（ｎ）の一方の端部ｎ１と信号配線ＴＰＨとの間に接続されたＰトランジスタＰ６Ｌと、駆動電極ＴＬ（ｎ）の一方の端部ｎ１と信号配線ＴＰＬとの間に接続されたＰトランジスタＰ７Ｌとを備えている。このＰトランジスタＰ６Ｌが、図６に示した第１スイッチＳ０１に相当し、ＰトランジスタＰ７Ｌが、図６に示した第２スイッチＳ００に相当する。ＰトランジスタＰ６Ｌは、そのゲートに、インバータ回路ＩＶ１Ｌから第１単位選択信号ＳＥＬＨ＿Ｌ（ｎ）が供給され、スイッチ制御される。また、ＰトランジスタＰ７Ｌは、そのゲートに、インバータ回路ＩＶ２Ｌから第２単位選択信号ＳＥＬＧ＿Ｌ（ｎ）が供給され、スイッチ制御される。
【００８１】
ＮトランジスタＮ２ＬとＮ３Ｌは、そのソース・ドレイン経路が、インバータ回路ＩＶ１Ｌの入力と所定の電圧ＶＧＬＯとの間に直列的に接続されるように、直列接続されている。ＮトランジスタＮ２Ｌのゲートには、第２反転選択信号ＸＢＬ（ｎ）が供給され、ＮトランジスタＮ３Ｌのゲートには、第１反転選択信号ＸＡＬ（ｎ）が供給されている。これにより、第１選択信号ＡＬ（ｎ）および第２選択信号ＢＬ（ｎ）が、ロウレベルとなっているとき、すなわち駆動電極ＴＬ（ｎ）が非選択のとき、ＮトランジスタＮ２ＬとＮトランジスタＮ３Ｌがオン状態となり、インバータ回路ＩＶ１Ｌの入力には、所定の電圧ＶＧＬＯが供給されることになる。この所定の電圧ＶＧＬＯは、例えばロウレベルに相当する接地電圧である。そのため、駆動電極ＴＬ（ｎ）が非選択のとき、インバータ回路ＩＶ１Ｌからハイレベルの第１単位選択信号ＳＥＬＨ＿Ｌ（ｎ）が、ＰトランジスタＰ６Ｌに供給されることになり、ＰトランジスタＰ６Ｌはオフ状態となる。
【００８２】
ＮトランジスタＮ４ＬとＰトランジスタＰ２Ｌは、それぞれのソース・ドレイン経路が並列的に接続され、ＮトランジスタＮ４Ｌのゲートには、第１反転選択信号ＸＡＬ（ｎ）が供給され、ＰトランジスタＰ２Ｌのゲートには、第１選択信号ＡＬ（ｎ）が供給されている。これにより、ＮトランジスタＮ４ＬとＰトランジスタＰ２Ｌとによって、第１反転選択信号ＸＡＬ（ｎ）によりスイッチ制御される第５転送スイッチＴＰ５Ｌが構成されている。また、ＮトランジスタＮ５ＬとＰトランジスタＰ３Ｌは、それぞれのソース・ドレイン経路が並列的に接続され、ＮトランジスタＮ５Ｌのゲートには、第２反転選択信号ＸＢＬ（ｎ）が供給され、ＰトランジスタＰ３Ｌのゲートには、第２選択信号ＢＬ（ｎ）が供給されている。これにより、ＮトランジスタＮ５ＬとＰトランジスタＰ３Ｌとによって、第２反転選択信号ＸＢＬ（ｎ）によりスイッチ制御される第６転送スイッチＴＰ６Ｌが構成されている。
【００８３】
第５転送スイッチＴＰ５Ｌと第６転送スイッチＴＰ６Ｌは直列接続され、制御信号ＣＯＭＦＬが、直列接続された第５転送スイッチＴＰ５Ｌと第６転送スイッチＴＰ６Ｌを介して、インバータ回路ＩＶ０Ｌの入力に供給されている。このインバータ回路ＩＶ０Ｌの出力は、インバータ回路ＩＶ２Ｌの入力に接続されている。これにより、第１反転選択信号ＸＡＬ（ｎ）および第２反転選択信号ＸＢＬ（ｎ）がハイレベルのとき、言い換えるならば、第１選択信号ＸＡＬ（ｎ）および第２選択信号ＸＢＬ（ｎ）がロウレベルのとき、第５転送スイッチＴＰ５Ｌおよび第６転送スイッチＴＰ６Ｌが、ともにオン状態となる。第１選択信号ＡＬ（ｎ）および第２選択信号ＢＬ（ｎ）が、ともにロウレベルであるため、対応する駆動電極ＴＬ（ｎ）が非選択のとき、インバータ回路ＩＶ２Ｌには、第５転送スイッチＴＰ５Ｌ、第６転送スイッチＴＰ６Ｌおよびインバータ回路ＩＶ０Ｌを介して、制御信号ＣＯＭＦＬが供給されることになる。
【００８４】
その結果、制御信号ＣＯＭＦＬがハイレベルの時、第２単位選択信号ＳＥＬＧ＿Ｌ（ｎ）はハイレベルとなり、制御信号ＣＯＭＦＬがロウレベルの時、第２単位選択信号ＳＥＬＧ＿Ｌ（ｎ）はロウレベルとなる。例えば制御信号ＣＯＭＦＬを磁界タッチ検出期間にハイレベルとし、電界タッチ検出期間にロウレベルとすることにより、磁界タッチ検出期間の、第２単位選択信号ＳＥＬＧ＿Ｌ（ｎ）はハイレベルとなる。
【００８５】
これにより、磁界タッチ検出期間においては駆動電極ＴＬ（ｎ）がスキャナ回路ＳＣＡＬからもＳＣＢＬからも選択されていないとき、第１単位選択信号ＳＥＬＨ＿Ｌ（ｎ）および第２単位選択信号ＳＥＬＧ＿Ｌ（ｎ）は、ともにハイレベルとなり、単位駆動回路ＵＳＬを構成するＰトランジスタＰ６ＬおよびＰ７Ｌは、ともにオフ状態となり、対応する駆動電極ＴＬ（ｎ）の一方の端部ｎ１を信号配線ＴＰＨおよびＴＰＬから電気的に分離する。
【００８６】
また、電界タッチ検出期間においては、駆動電極ＴＬ（ｎ）がスキャナ回路ＳＣＡＬからもＳＣＢＬからも選択されていないとき、第１単位選択信号ＳＥＬＨ＿Ｌ（ｎ）がハイレベルとなり、第２単位選択信号ＳＥＬＧ＿Ｌ（ｎ）がロウレベルとなるため、単位駆動回路ＵＳＬを構成するＰトランジスタＰ７Ｌがオン状態となり、対応する駆動電極ＴＬ（ｎ）の一方の端部ｎ１が信号配線ＴＰＬに接続される。
【００８７】
これに対して、第１選択信号ＡＬ（ｎ）または第２選択信号ＢＬ（ｎ）がハイレベルのとき、すなわち対応する駆動電極ＴＬ（ｎ）が、スキャナ回路ＳＣＡＬまたはＳＣＢＬのどちらかによって選択されたとき、単位駆動回路ＵＳＬを構成するＰトランジスタＰ６ＬまたはＰ７Ｌが、状態選択信号ＶＳＥＬ１、ＶＳＥＬ２の電圧に応じてオン状態となり、対応する駆動電極ＴＬ（ｎ）の一方の端部ｎ１は、信号配線ＴＰＨまたはＴＰＬに電気的に接続される。
【００８８】
すなわち、第１選択信号ＡＬ（ｎ）が、ハイレベルとなった場合、第１転送スイッチＴＰ１Ｌと第２転送スイッチＴＰ２Ｌがオン状態となる。これにより、ＰトランジスタＰ６Ｌのゲートには、インバータ回路ＩＶ１Ｌから、位相反転された状態選択信号ＶＳＥＬ１が、第１単位選択信号ＳＥＬＨ＿Ｌ（ｎ）として供給され、ＰトランジスタＰ７Ｌのゲートには、インバータ回路ＩＶ２Ｌから、位相反転された状態選択信号ＶＳＥＬ２が、第２単位選択信号ＳＥＬＧ＿Ｌ（ｎ）として供給されることになる。
【００８９】
同様に、第２選択信号ＢＬ（ｎ）が、ハイレベルとなった場合には、第３転送スイッチＴＰ３Ｌおよび第４転送スイッチＴＰ４Ｌがオン状態となる。その結果、ＰトランジスタＰ６Ｌのゲートには、インバータ回路ＩＶ１Ｌから、位相反転された状態選択信号ＶＳＥＬ２が、第１単位選択信号ＳＥＬＨ＿Ｌ（ｎ）として供給され、ＰトランジスタＰ７Ｌのゲートには、インバータ回路ＩＶ２Ｌから、位相反転された状態選択信号ＶＳＥＬ１が、第２単位選択信号ＳＥＬＧ＿Ｌ（ｎ）として供給されることになる。
【００９０】
状態選択信号ＶＳＥＬ１、ＶＳＥＬ２は磁界タッチ検出期間において選択された駆動電極の第１駆動状態と第２駆動状態とを選択する信号である。制御装置３は、磁界タッチ検出期間の磁界発生期間において、状態選択信号ＶＳＥＬ１とＶＳＥＬ２とを、互いにオーバーラップしないように、相補的に複数回変化させる。
【００９１】
例えば、ハイレベルの第１選択信号ＡＬ（ｎ）によって、第１転送スイッチＴＰ１Ｌと第２転送スイッチＴＰ２Ｌがオン状態にされている場合、周期的に電圧が変化する第１単位選択信号ＳＥＬＨ＿Ｌ（ｎ）および第２単位選択信号ＳＥＬＧ＿Ｌ（ｎ）が、ＰトランジスタＰ６Ｌ、Ｐ７Ｌに供給される。このとき、状態選択信号ＶＳＥＬ１とＶＳＥＬ２は、相補的に変化するため、第１単位選択信号ＳＥＬＨ＿Ｌ（ｎ）と第２単位選択信号ＳＥＬＧ＿Ｌ（ｎ）の電圧も相補的に変化することになる。これにより、ＰトランジスタＰ６ＬとＰ７Ｌは、状態選択信号ＶＳＥＬ１とＶＳＥＬ２の変化に同期して交互にオン状態とオフ状態とを繰り返す。その結果、磁界発生期間に信号配線ＴＰＨとＴＰＬに供給されている磁界駆動信号と接地電圧が、単位駆動回路ＵＳＬを介して、時間的に交互に駆動電極ＴＬ（ｎ）に供給されることになる。
【００９２】
同様に、ハイレベルの第２選択信号ＢＬ（ｎ）によって、第３転送スイッチＴＰ３ＬとＴＰ４Ｌがオン状態にされている場合には、位相反転された状態選択信号ＶＳＥＬ２が、第１単位選択信号ＳＥＬＨ＿Ｌ（ｎ）として、インバータ回路ＩＶ１ＬからＰトランジスタＰ６Ｌに供給され、位相反転された状態選択信号ＶＳＥＬ１が、第２単位選択信号ＳＥＬＧ＿Ｌ（ｎ）として、インバータ回路ＩＶ２ＬからＰトランジスタＰ７Ｌに供給されることになる。その結果、信号配線ＴＰＨとＴＰＬに供給されている磁界駆動信号と接地電圧が、単位駆動回路ＵＳＬを介して、時間的に交互に駆動電極ＴＬ（ｎ）に供給されることになる。
【００９３】
第１選択信号ＡＬ（ｎ）がハイレベルのとき、ＰトランジスタＰ６Ｌのゲートには、位相反転された状態選択信号ＶＳＥＬ１が供給され、ＰトランジスタＰ７Ｌのゲートには、位相反転された状態選択信号ＶＳＥＬ２が供給される。これに対して、第２選択信号ＢＬ（ｎ）がハイレベルの時、ＰトランジスタＰ６Ｌのゲートには、位相反転された状態選択信号ＶＳＥＬ２が供給され、ＰトランジスタＰ７Ｌのゲートには、位相反転された状態選択信号ＶＳＥＬ１が供給される。すなわち、駆動電極ＴＬ（ｎ）を、スキャナ回路ＳＣＡＬが選択した時とスキャナ回路ＳＣＢＬが選択した時とでは、状態選択信号の変化に応じて駆動電極の端部ｎ１に接続される信号配線が逆になる。
【００９４】
状態選択信号ＶＳＥＬ１、ＶＳＥＬ２は電界タッチ検出期間においては、互いにオーバーラップしない値をとり、また、電界タッチ検出期間において値を変化しない。
【００９５】
駆動電極ＴＬ（ｎ）に対応した単位選択回路ＳＥＬ（ｎ）とそれに対応した単位駆動回路ＵＳＬを例にして説明したが、選択回路ＳＥＬＬ内の残りの単位選択回路および駆動回路ＤＲＶＬ内の残りの単位駆動回路も同様である。
【００９６】
表示領域２（図４）の辺２−Ｒに沿って配置された第２選択駆動回路ＳＤＲ内の選択回路ＳＥＬＲおよび駆動回路ＤＲＶＲも、選択回路ＳＥＬＬおよび駆動回路ＤＲＶＬと同様に、駆動電極ＴＬ（０）〜ＴＬ（ｐ）に対応した単位選択回路ＳＥＲ（０）〜ＳＥＲ（ｐ）と単位駆動回路ＵＳＲによって構成されている。単位選択回路ＳＥＲ（０）〜ＳＥＲ（ｐ）は、互いに同じ構成を有しており、複数の単位駆動回路ＵＳＲも互いに同じ構成を有しているため、図８（Ｂ）には、単位選択回路ＳＥＲ（ｎ）と、この単位選択回路ＳＥＲ（ｎ）に対応した単位駆動回路ＵＳＲが代表として示されている。
【００９７】
単位選択回路ＳＥＲ（ｎ）は、図８（Ａ）に示した単位選択回路ＳＥＬ（ｎ）と同じ構成を有し、単位駆動回路ＵＳＲは、図８（Ａ）に示した単位駆動回路ＵＳＬと同じ構成を有している。また、単位選択回路ＳＥＲ（ｎ）および単位駆動回路ＵＳＲの動作は、単位選択回路ＳＥＬ（ｎ）および単位駆動回路ＵＳＬと同じである。そのため、ここでは、単位選択回路ＳＥＬ（ｎ）および単位駆動回路ＵＳＬとの対応関係のみを述べて、構成と動作の詳しい説明は省略する。
【００９８】
単位選択回路ＳＥＲ（ｎ）は、ＮトランジスタＮ０Ｒ〜Ｎ７Ｒと、ＰトランジスタＰ０Ｒ〜Ｐ５Ｒと、インバータ回路ＩＶ０Ｒ〜ＩＶ２Ｒを備えている。ここで、ＮトランジスタＮ０Ｒ〜Ｎ７Ｒは、図８（Ａ）で説明したＮトランジスタＮ０Ｌ〜Ｎ７Ｌに対応し、ＰトランジスタＰ０Ｒ〜Ｐ５Ｒは、図８（Ａ）で説明したＰトランジスタＰ０Ｌ〜Ｐ５Ｌに対応し、インバータ回路ＩＶ０Ｒ〜ＩＶ２Ｒは、図８（Ａ）で説明したインバータ回路ＩＶ０Ｌ〜ＩＶ２Ｌに対応する。また、ＴＰ１Ｒ〜ＴＰ６Ｒは、第１〜第６転送スイッチであり、図８（Ａ）で説明した第１〜第６転送スイッチＴＰ１Ｌ〜ＴＰ６Ｌに対応している。また、単位駆動回路ＵＳＲは、図８（Ａ）で説明したＰトランジスタＰ６ＬおよびＰ７Ｌに対応するＰトランジスタＰ６ＲおよびＰ７Ｒを備えている。
【００９９】
単位選択回路ＳＥＲ（ｎ）には、表示領域２の辺２−Ｒに沿って配置された第２スキャナ回路ＳＣＲ内のスキャナ回路ＳＣＡＲから第１選択信号ＡＲ（ｎ）と第１反転選択信号ＸＡＲ（ｎ）が供給され、さらに第２スキャナ回路ＳＣＲ内のスキャナ回路ＳＣＢＲから第２選択信号ＢＲ（ｎ）と第２反転選択信号ＸＢＲ（ｎ）が供給される。また、単位選択回路ＳＥＲ（ｎ）には、状態選択信号ＶＳＥＬ１、ＶＳＥＬ２、制御信号ＣＯＭＦＬおよび所定の電圧ＶＧＬＯが供給され、図８（Ａ）で説明した単位選択回路ＳＥＬ（ｎ）と同様にして、第１単位選択信号ＳＥＬＨ＿Ｒ（ｎ）と第２単位選択信号ＳＥＬＧ＿Ｒ（ｎ）を形成する。
【０１００】
単位駆動回路ＵＳＲ内のＰトランジスタＰ６ＲとＰ７Ｒは、対応する駆動電極ＴＬ（ｎ）の他方の端部ｎ２と信号配線ＴＰＨ、ＴＰＬとの間に接続され、図８（Ａ）で説明した単位駆動回路ＵＳＬと同様に、第１単位選択信号ＳＥＬＨ＿Ｒ（ｎ）と第２単位選択信号ＳＥＬＧ＿Ｒ（ｎ）によってスイッチ制御される。
【０１０１】
＜磁界タッチ検出の基本動作＞
実施の形態１における磁界タッチ検出および電界タッチ検出の全体動作を説明する前に、磁界タッチ検出の基本動作を説明しておく。図９は、実施の形態１に係わる磁界タッチ検出の動作を説明するための説明図である。ここでの説明は、図２（Ａ）および（Ｃ）で説明した磁界発生期間における動作に該当する。
【０１０２】
図２（Ａ）および（Ｂ）では、磁界検出の原理を説明するために、平行に配置されている駆動電極間を、電気的に直列的に接続することにより、磁界発生コイルＧＸ（ｎ−１）〜ＧＸ（ｎ＋３）を構成する例を説明した。実施の形態１においては、平面視で見たとき、平行に配置されている一対の駆動電極において、互いに流れる電流の方向が反対になるようにすることにより、それぞれの駆動電極において磁界を発生させ、発生した磁界が、一対の駆動電極に挟まれた領域において重畳されるようにすることによって、強い磁界が発生するようにされている。この場合、平行に配置され、それぞれ反対方向に電流が流れる一対の駆動電極によって、駆動電極同士が直列に接続されていなくても、磁界発生コイル（例えば、ＧＸ（ｎ））が構成されていると見なすことができる。
【０１０３】
磁界発生コイルを構成する駆動電極は一つでもよいが、一対とする駆動電極に互いに反対に電流が流れるようにして構成された磁界発生コイルは磁界強度が高まるので入力検出装置の検出感度を向上させることができる。
【０１０４】
このような磁界発生コイルの構成により静電容量方式のタッチパネル構成の電極や金属配線等を電磁誘導方式のタッチ検出に使用することができる。
【０１０５】
以下、図４、図６〜図９を用いて、磁界タッチ検出における磁界発生期間の動作概要を説明する。
【０１０６】
図９において同時に選択される一対の駆動電極のうち、駆動電極ＴＬ（ｎ＋３）を第１駆動電極とし、駆動電極ＴＬ（ｎ＋１）を第２駆動電極として説明する。
【０１０７】
第１駆動電極ＴＬ（ｎ＋３）と第２駆動電極ＴＬ（ｎ＋１）とはそれぞれ１個の駆動電極からなる。言い換えればそれぞれ隣接する駆動電極を１個含んでいるので、この時束ね量ｍは１である。また、第１駆動電極ＴＬ（ｎ＋３）と第１駆動電極ＴＬ（ｎ＋１）とは間に１個の駆動電極ＴＬ（ｎ＋２）を挟んで離間して配置されているので、この時離間量ｎは１である。
【０１０８】
制御装置３は、第１駆動電極ＴＬ（ｎ＋３）と２駆動電極ＴＬ（ｎ＋１）の端部ｎ１をスキャナ回路ＳＣＡＬとスキャナ回路ＳＣＢＬとがそれぞれ同時に選択するように制御する。また同時に第１駆動電極ＴＬ（ｎ＋３）と２駆動電極ＴＬ（ｎ＋１）の端部ｎ２をスキャナ回路ＳＣＡＲとスキャナ回路ＳＣＢＲがそれぞれ同時に選択するように制御する。すなわち、選択される駆動電極の同時に両端が異なる信号配線に接続されるようにする。
【０１０９】
この時、スキャナ回路ＳＣＡＬがスキャナ回路ＳＣＢＬよりもｎ＋ｍ個分先の第１駆動電極ＴＬ（ｎ＋３）を選択し、スキャナ回路ＳＣＢＲがスキャナ回路ＳＣＡＲよりもｎ＋ｍ個分先の第１駆動電極ＴＬ（ｎ＋３）を選択するように制御する。
【０１１０】
まず、図４に示した離間量レジスタＳ−ＲＥＧに、離間量として１（ｎ＝１）を示す値が設定される。また束レジスタＣ−ＲＥＧに束ね量として１（ｍ＝１）が設定される。
【０１１１】
これにより、制御装置３は、シフトクロック信号ＣＫ−ＢＬを変化させる前にシフトクロック信号ＣＫ−ＡＬを２回（束ね量ｍ＋離間量ｎ）、変化させる。この時、最初にシフトクロック信号ＣＫ−ＡＬが１（ｍ）回分変化する間、スタート信号ＳＴ−ＡＬをハイレベルとし、その後１（ｎ）回分シフトクロック信号が変化する間は、スタート信号ＳＴ−ＡＬをロウレベルとする。また、制御装置３は、シフトクロック信号ＣＫ−ＡＲを変化させる前に、ｍ＋ｎ（２）回分、シフトクロック信号ＣＫ−ＢＲを変化させる。このときも、最初にシフトクロック信号ＣＫ−ＢＲが１（ｍ）回分変化する間、スタート信号ＳＴ−ＢＲをハイレベルとし、その後１（ｎ）回分シフトクロック信号が変化する間は、スタート信号ＳＴ−ＢＲをロウレベルとする。すなわち、シフトクロック信号ＣＫ−ＡＬとシフトクロック信号ＣＫ−ＢＲはシフトクロック信号ＣＫ−ＢＬ、ＣＫ−ＡＲが変化する前に、同時に、ｍ＋ｎ回分変化する。
【０１１２】
制御装置３は、シフトクロック信号ＣＫ−ＡＬおよびＣＫ−ＢＲを、ｍ＋ｎ分変化させた後、シフトクロック信号ＣＫ−ＡＬ、ＣＫ−ＢＬ、ＣＫ−ＡＲおよびＣＫ−ＢＲのそれぞれを、同一の周期で変化させる。また、制御装置３は、シフトクロック信号ＣＫ−ＢＬおよびＣＫ−ＡＲを、最初に変化させるとき、スタート信号ＳＴ−ＢＬおよびＳＴ−ＡＲのそれぞれを、駆動電極の選択を示すハイレベルにする。
【０１１３】
これにより、スキャナ回路ＳＣＡＬのシフトレジスタにおいては、スキャナ回路ＳＣＢＬのシフトレジスタに比べて、ハイレベルのスタート信号（選択情報）が、２個のシフト段分だけ、先に移動することになる。同様に、スキャナ回路ＳＣＢＲのシフトレジスタにおいては、スキャナ回路ＳＣＡＲのシフトレジスタに比べて、ハイレベルのスタート信号（選択情報）が、２個のシフト段分だけ、先に移動することになる。
【０１１４】
例えば、図７（Ｂ）に示したスキャナ回路ＳＣＢＬのシフト段ＦＢＬ（ｎ）が、ハイレベルのスタート信号を保持しているとき、図７（Ａ）に示したスキャナ回路ＳＣＡＬでは、シフト段ＦＡＬ（ｎ＋２）が、ハイレベルのスタート信号を保持している状態となる。このとき、図７（Ｃ）に示したスキャナ回路ＳＣＡＲにおいては、シフト段ＦＡＲ（ｎ）が、ハイレベルのスタート信号を保持しており、図７（Ｄ）に示したスキャナ回路ＳＣＢＲにおいては、シフト段ＦＢＲ（ｎ＋２）が、ハイレベルのスタート信号を保持している状態となる。この状態で、シフトクロック信号ＣＫ−ＡＬ、ＣＫ−ＢＬ、ＣＫ−ＡＲおよびＣＫ−ＢＲが変化すると、それぞれのシフトレジスタに格納されているハイレベルのスタート信号は移動し、シフト段ＦＡＬ（ｎ＋３）、ＦＢＬ（ｎ＋１）、ＦＡＲ（ｎ＋１）およびＦＢＲ（ｎ＋３）のそれぞれが、ハイレベルのスタート信号を保持する状態へ変化する。
【０１１５】
この状態へ変化することにより、スキャナ回路ＳＣＡＬは、第１選択信号ＡＬ（ｎ＋３）をハイレベルにし、第１選択信号ＡＬ（ｎ）〜ＡＬ（ｎ＋２）およびＡＬ（ｎ＋４）〜ＡＬ（ｎ＋５）をロウレベルにする。同様に、スキャナ回路ＳＣＢＬは、第２選択信号ＢＬ（ｎ＋１）をハイレベルにし、第２選択信号ＢＬ（ｎ）およびＢＬ（ｎ＋２）〜ＡＬ（ｎ＋５）をロウレベルにする。また、スキャナ回路ＳＣＡＲは、第１選択信号ＡＲ（ｎ＋１）をハイレベルにし、第１選択信号ＡＲ（ｎ）およびＡＲ（ｎ＋２）〜ＡＬ（ｎ＋５）をロウレベルにする。同様に、スキャナ回路ＳＣＢＲは、第２選択信号ＢＲ（ｎ＋３）をハイレベルにし、第２選択信号ＢＲ（ｎ）〜ＢＲ（ｎ＋２）およびＢＲ（ｎ＋４）〜ＢＲ（ｎ＋５）をロウレベルにする。
【０１１６】
その結果、ハイレベルの第１選択信号ＡＬ（ｎ＋３）が供給される単位選択回路ＳＥＬ（ｎ＋３）に対応する単位駆動回路ＵＳＬは、状態選択信号ＶＳＥＬ１、ＶＳＥＬ２に従って、駆動電極ＴＬ（ｎ＋３）の一方の端部ｎ１を、信号配線ＴＰＨまたはＴＰＬに接続することになる。同様に、ハイレベルの第２選択信号ＢＬ（ｎ＋１）が供給される単位選択回路ＳＥＬ（ｎ＋１）に対応する単位駆動回路ＵＳＬは、状態選択信号ＶＳＥＬ１、ＶＳＥＬ２に従って、対応する駆動電極ＴＬ（ｎ＋１）の一方の端部ｎ１を、信号配線ＴＰＨまたはＴＰＬに接続する。このとき、ハイレベルの第２選択信号ＢＲ（ｎ＋３）が供給される単位選択回路ＳＥＲ（ｎ＋３）に対応する単位駆動回路ＵＳＲは、状態選択信号ＶＳＥＬ１、ＶＳＥＬ２に従って、対応する駆動電極ＴＬ（ｎ＋３）の他方の端部ｎ２を、信号配線ＴＰＬまたはＴＰＨに接続し、ハイレベルの第１選択信号ＡＲ（ｎ＋１）が供給される単位選択回路ＳＥＲ（ｎ＋１）に対応する単位駆動回路ＵＳＲは、状態選択信号ＶＳＥＬ１、ＶＳＥＬ２に従って、対応する駆動電極ＴＬ（ｎ＋１）の他方の端部ｎ２を、信号配線ＴＰＬまたはＴＰＨに接続する。
【０１１７】
状態選択信号ＶＳＥＬ１とＶＳＥＬ２は、相補的に複数回変化する信号であるため、一方がハイレベルの時にはもう一方はロウレベルとなるようになっている。例えば状態選択信号ＶＳＥＬ１がハイレベルで、状態選択信号ＶＳＥＬ２がロウレベルのとき、単位選択回路ＳＥＬ（ｎ＋３）および単位選択回路ＳＥＲ（ｎ＋１）から出力される第２単位選択信号ＳＥＬＧ＿Ｌ（ｎ＋３）およびＳＥＬＧ＿Ｒ（ｎ＋１）は、ハイレベルとなり、第１単位選択信号ＳＥＬＨ＿Ｌ（ｎ＋３）およびＳＥＬＨ＿Ｒ（ｎ＋１）は、ロウレベルとなる。これにより、単位選択回路ＳＥＬ（ｎ＋３）およびＳＥＲ（ｎ＋１）に対応する単位駆動回路ＵＳＬおよびＵＳＲにおいては、ＰトランジスタＰ６ＬおよびＰ６Ｒ（第１スイッチＳ０１）がオン状態となり、ＰトランジスタＰ７ＬおよびＰ７Ｒ（第２スイッチＳ００）がオフ状態となる。
【０１１８】
これに対して、単位選択回路ＳＥＬ（ｎ＋１）および単位選択回路ＳＥＲ（ｎ＋３）から出力される第２単位選択信号ＳＥＬＧ＿Ｌ（ｎ＋１）およびＳＥＬＧ＿Ｒ（ｎ＋３）は、ロウレベルとなり、第１単位選択信号ＳＥＬＨ＿Ｌ（ｎ＋１）およびＳＥＬＨ＿Ｒ（ｎ＋３）は、ハイレベルとなる。これにより、単位選択回路ＳＥＬ（ｎ＋１）および単位選択回路ＳＥＲ（ｎ＋３）に対応した単位駆動回路ＵＳＬおよびＵＳＲにおいては、ＰトランジスタＰ６ＬおよびＰ６Ｒ（第１スイッチＳ０１）がオフ状態となり、ＰトランジスタＰ７ＬおよびＰ７Ｒ（第２スイッチＳ００）がオン状態となる。
【０１１９】
図６には、このときの状態が示されている。すなわち、単位選択回路ＳＥＬ（ｎ＋３）、ＳＥＲ（ｎ＋１）に対応した単位駆動回路ＵＳＬ、ＵＳＲ内のＰトランジスタＰ６Ｌ、Ｐ６Ｒ（第１スイッチＳ０１）を介して、第１駆動電極ＴＬ（ｎ＋３）の一方の端部ｎ１と第２駆動電極ＴＬ（ｎ＋１）の他方の端部ｎ２は、信号配線ＴＰＨに接続され、図９に＋で図示された磁界駆動信号が供給されている。また、単位選択回路ＳＥＲ（ｎ＋３）、ＳＥＬ（ｎ＋１）に対応した単位駆動回路ＵＳＲ、ＵＳＬ内のＰトランジスタＰ７Ｌ、Ｐ７Ｒ（第２スイッチＳ００）を介して、駆動電極ＴＬ（ｎ＋３）の他方の端部ｎ２と駆動電極ＴＬ（ｎ＋１）の一方の端部ｎ１は、信号配線ＴＰＬに接続され、図９の０で図示された接地電圧が供給されている。
【０１２０】
この時、図９の＋で図示される磁界駆動信号を第１駆動電圧とし、図９の０で図示される接地電圧を第２駆動電圧としたとき、第１駆動電極ＴＬ（ｎ＋３）は一方の端部ｎ１から第１駆動電圧が供給され、他方の端部ｎ２から第２駆動電圧が供給される第1駆動状態となっている。同時に、第２駆動電極ＴＬ（ｎ＋１）は一方の端部ｎ１から第２駆動電圧が供給され、他方の端部ｎ２から第１駆動電圧が供給される第２駆動状態となっている。
【０１２１】
次に、状態選択信号ＶＳＥＬ１がロウレベルとなり、状態選択信号ＶＳＥＬ２がハイレベルとなると、単位選択回路ＳＥＬ（ｎ＋３）および単位選択回路ＳＥＲ（ｎ＋１）から出力される第２単位選択信号ＳＥＬＧ＿Ｌ（ｎ＋３）およびＳＥＬＧ＿Ｒ（ｎ＋１）は、ロウレベルとなり、第１単位選択信号ＳＥＬＨ＿Ｌ（ｎ＋３）およびＳＥＬＨ＿Ｒ（ｎ＋１）は、ハイレベルとなる。これにより、単位選択回路ＳＥＬ（ｎ＋３）およびＳＥＲ（ｎ＋１）に対応する単位駆動回路ＵＳＬおよびＵＳＲにおいては、ＰトランジスタＰ６ＬおよびＰ６Ｒ（第１スイッチＳ０１）がオフ状態となり、ＰトランジスタＰ７ＬおよびＰ７Ｒ（第２スイッチＳ００）がオン状態となる。
【０１２２】
このとき、単位選択回路ＳＥＬ（ｎ＋１）および単位選択回路ＳＥＲ（ｎ＋３）から出力される第２単位選択信号ＳＥＬＧ＿Ｌ（ｎ＋１）およびＳＥＬＧ＿Ｒ（ｎ＋３）は、ハイレベルとなり、第１単位選択信号ＳＥＬＨ＿Ｌ（ｎ＋１）およびＳＥＬＨ＿Ｒ（ｎ＋３）は、ロウレベルとなる。これにより、単位選択回路ＳＥＬ（ｎ＋１）および単位選択回路ＳＥＲ（ｎ＋３）に対応した単位駆動回路ＵＳＬおよびＵＳＲにおいては、ＰトランジスタＰ６ＬおよびＰ６Ｒ（第１スイッチＳ０１）がオン状態となり、ＰトランジスタＰ７ＬおよびＰ７Ｒ（第２スイッチＳ００）がオフ状態となる。
【０１２３】
その結果、駆動電極ＴＬ（ｎ＋３）の一方の端部ｎ１と駆動電極ＴＬ（ｎ＋１）の他方の端部ｎ２には、信号配線ＴＰＬから図９の０で図示される接地電圧が供給され、ＴＬ（ｎ＋３）の他方の端部ｎ２と駆動電極ＴＬ（ｎ＋１）の一方の端部ｎ１には、信号配線ＴＰＨから図９の＋で図示される磁界駆動信号が供給されることになる。
【０１２４】
この時、第１駆動電極ＴＬ（ｎ＋３）は一方の端部ｎ１から第２駆動電圧が供給され、他方の端部ｎ２から第１駆動電圧が供給される第２駆動状態となっている。同時に、第２駆動電極ＴＬ（ｎ＋１）は一方の端部ｎ１から第１駆動電圧が供給され、他方の端部ｎ２から第２駆動電圧が供給される第２駆動状態となっている。
【０１２５】
図９（Ａ）は、状態選択信号ＶＳＥＬ１をハイレベルにし、状態選択信号ＶＳＥＬ２をロウレベルにしたときに、選択された駆動電極ＴＬ（ｎ＋３）、ＴＬ（ｎ＋１）に供給される駆動電圧の関係を示した図である。一方、図９（Ｂ）は、状態選択信号ＶＳＥＬ１をロウレベルにし、状態選択信号ＶＳＥＬ２をハイレベルにしたときに、選択された駆動電極ＴＬ（ｎ＋３）、ＴＬ（ｎ＋１）に供給される駆動電圧の関係を示した図である。
【０１２６】
図９（Ａ）では、第１駆動電極ＴＬ（ｎ＋３）は一方の端部ｎ１から＋で図示される第１駆動電圧が供給され、他方の端部ｎ２から０で図示される第２駆動電圧が供給される第1駆動状態となっている。同時に、第２駆動電極ＴＬ（ｎ＋１）は一方の端部ｎ１から０で図示される第２駆動電圧が供給され、他方の端部ｎ２から＋で図示される第１駆動電圧が供給される第２駆動状態となっている。この時第１駆動電極ＴＬ（ｎ＋３）の一方の端部ｎ１（辺２−Ｌ側）から他方の端部ｎ２（辺２−Ｒ側）へ向かう方向に電流Ｉ２が流れ、第２駆動電極ＴＬ（ｎ＋１）の他方の端部ｎ２（辺２−Ｒ側）から一方の端部ｎ１（辺２−Ｌ側）へ向かう方向に電流Ｉ１が流れるので、電流I２とI１の向きが反対となっている。電流I２とI１により形成された磁界φ１２とφ１１が駆動電極ＴＬ（ｎ＋２）の領域で重畳する。
【０１２７】
一方、図９（Ｂ）では、第１駆動電極ＴＬ（ｎ＋３）は一方の端部ｎ１から第２駆動電圧が供給され、他方の端部ｎ２から第１駆動電圧が供給される第２駆動状態となっている。同時に、第２駆動電極ＴＬ（ｎ＋１）は一方の端部ｎ１から第１駆動電圧が供給され、他方の端部ｎ２から第２駆動電圧が供給される第２駆動状態となっている。この時第１駆動電極ＴＬ（ｎ＋３）の他方の端部ｎ２（辺２−Ｒ側）から一方の端部ｎ１（辺２−Ｌ側）へ向かう方向に電流Ｉ１が流れ、第２駆動電極ＴＬ（ｎ＋１）において一方の端部ｎ１（辺２−Ｌ側）から他方の端部ｎ２（辺２−Ｒ側）へ向かう方向に電流Ｉ２が流れる。すなわち、図９（Ａ）とは第1駆動電極ＴＬ（ｎ＋３）と第２駆動電極ＴＬ（ｎ＋１）の駆動状態が反対になっている。
【０１２８】
本明細書においては、磁界タッチ期間において、選択された駆動電極の一方の端部ｎ１に第１駆動電圧が供給され、他方の端部ｎ２に第２駆動電圧が供給された状態を第１駆動状態とし、選択された駆動電極の一方の端部ｎ１に第２駆動電圧が供給され、他方の端部ｎ２に第１駆動電圧が供給された状態を第２駆動状態と定義する。すなわち、選択された駆動電極の端部ｎ１から端部ｎ２の方向に電流が流れる状態を第１駆動状態とし、端部ｎ２から端部ｎ１に電流が流れる状態を第２駆動状態とする。本明細書において、第１駆動電圧は、第２駆動電圧よりも電圧値が大きい電圧であればよい。例えば第１駆動電圧は接地電圧Ｖｓよりも電圧値の高い電圧Ｖｄである。第２駆動電圧は例えば接地電圧Ｖｓである。
【０１２９】
この実施の形態１においては、状態選択信号ＶＳＥＬ１、ＶＳＥＬ２の値を相補的に変化させることにより、選択した駆動電極の駆動状態を状態選択信号の変化の周期に応じて、所定時間ごとに、第１駆動状態と、第２駆動状態とに交互に切り替えることができる。すなわち、第１駆動電極ＴＬ（ｎ＋３）では、図９（Ａ）に示した第１駆動状態と図９（Ｂ）に示した第２駆動状態とが状態選択信号の変化に応じて交互に生じる。同時に第２駆動電極ＴＬ（ｎ＋１）では、図９（Ａ）に示した第２駆動状態と図９（Ｂ）に示した第１駆動状態とが状態選択信号の変化に応じて交互に生じる。なお、図６および図９では、第１駆動電極に対し第１駆動状態から第２駆動状態に遷移する動作について説明したが、第２駆動状態の後に第１駆動状態に遷移してもよい。これらは状態選択信号の値により調整できる。
【０１３０】
このようにして、選択された駆動電極において、第１駆動状態と第２駆動状態が、時間的に交互に生じるように駆動することで、連続的に、強い磁界を所望の時間、発生させ続けることができる。
【０１３１】
図１０に、駆動電極の駆動状態を交互に反転させない場合の比較例を説明する。図１０（Ａ）は図９（Ａ）と同様に第１駆動電極ＴＬ（ｎ＋３）が第１駆動状態にあり、第２駆動電極ＴＬ（ｎ＋１）が第２駆動状態にある状態である。時間経過とともに、第１駆動電極ＴＬ（ｎ＋３）と第２駆動電極ＴＬ（ｎ＋１）とに流れる電流I２とI１は徐々に変化量が少なくなり、所定時間経過後には、電流の変化量が定常に達し電流が流れなくなる。これに伴い発生する磁界φ１１、φ１２も弱くなっていくため、図１０（Ａ）の状態だけでは、ペン内のコイルの容量を充分に充電できなかったり、充電に時間がかかる場合があった。また、電流が流れなくなると、図１０（Ｂ）のように、第１駆動電極ＴＬ（ｎ＋３）と第２駆動電極ＴＬ（ｎ＋１）の端部ｎ１と端部ｎ２に例えば接地電圧を供給するリセット状態期間を所定時間設けなければならなかった。図１０（Ｂ）のリセット状態期間の後、図１０（Ａ）の駆動状態に戻すことで、再び電流I２、I１が流れ始め磁界φ１１、φ１２が発生するが、リセット状態期間は磁界発生に寄与しない時間であるため、リセット操作を行うことで磁界タッチ検出期間が長くなってしまう問題があった。
【０１３２】
本発明においては、選択した駆動電極に磁界を発生させるときに、流れる電流の向き、すなわち発生する磁界の向きが反転するような第１駆動状態と第２駆動状態とを交互に連続して行うため、連続的に強い磁界を発生させ続けることができ、ペン内の容量を短い時間であっても充分に充電することが可能となる。これにより磁界検出期間において、ペンＰｅｎが発生する磁界φ２が強くなることにより、入力検出装置の検出感度の向上を図ることが可能となる。また、常に駆動電極の両端に異なる電圧が供給され、磁界が発生しないリセット期間を含まないので、磁界タッチ検出における磁界発生期間を短縮することができる。あるいは、磁界φ２が強くなるため、磁界発生期間および／または磁界検出期間を短くすることが可能となり、タッチ検出にかかる時間の短縮化を図ることが可能となる。タッチ検出にかかる時間の短縮を図ることにより、表示領域２の大型化および／または高精細化を図ることが可能となる。
【０１３３】
磁界発生期間においては、状態選択信号ＶＳＥＬ１、ＶＳＥＬ２が変化することにより、第１駆動電極および第２駆動電極のそれぞれが、第１駆動状態と第２駆動状態に、少なくとも１回以上、駆動されることになる。特に制限されないが、第１駆動電極および第２駆動電極において、第１駆動状態（または第２駆動状態）から第２駆動状態（または第１駆動状態）へ変化させるタイミングは、第１駆動電極および／または第２駆動電極を流れる電流の変化量（電流変化量）が、所定の値よりも小さくなるタイミングあるいは電流が、時間的に定常になるタイミングで行う。この駆動状態を変化させるタイミングは、状態選択信号ＶＳＥＬ１、ＶＳＥＬ２を変化させるタイミングを制御することにより、変更することが可能である。
【０１３４】
第１駆動状態（または第２駆動状態）から第２駆動状態（または第１駆動状態）へ変化させる回数は、ペン内の容量を充分充電できる回数変化させればよく、特に制限されないが、所定期間内において少なくとも１回変化させるようにすればよい。
【０１３５】
また、本実施形態においては、磁界発生期間において、信号配線ＴＰＨに直流電圧として第１駆動電圧が供給され、信号配線ＴＰＬに直流電圧として第２駆動電圧が供給されていることが好ましい。
【０１３６】
＜磁界タッチ検出の全体動作＞
次に、実施の形態１に係わる表示装置１における磁界タッチ検出の全体動作を説明する。実施の形態１に係わる表示装置１の動作を、波形図を用いて説明するが、図面が複雑になるのを避けるために、波形図は、図１１および図１２に分けてある。
【０１３７】
図１１には、図４に示した第１スキャナ回路ＳＣＬ、第２スキャナ回路ＳＣＲ、第１選択駆動回路ＳＤＬおよび第２選択駆動回路ＳＤＲに共通に供給される制御信号ＣＯＭＦＬ、検出タイミング信号ＴＰＳＥＬ、状態選択信号ＶＳＥＬ１、ＶＳＥＬ２および駆動信号ＴＰＨ、ＴＰＬの波形と、第１スキャナ回路ＳＣＬに供給されるシフトクロック信号ＣＫ−ＡＬ、ＣＫ−ＢＬおよびスタート信号ＳＴ−ＡＬ、ＡＴ−ＢＬの波形とが示されている。また、図１１には、図６に示した単位選択回路ＳＥＬ（ｎ）〜ＳＥＬ（ｎ＋５）から出力される第１単位選択信号ＳＥＬＨ＿Ｌ（ｎ）〜ＳＥＬＨ＿Ｌ（ｎ＋５）および第２単位選択信号ＳＥＬＧ＿Ｌ（ｎ）〜ＳＥＬＧ＿Ｌ（ｎ＋５）の波形が示されている。
【０１３８】
一方、図１２には、第２スキャナ回路ＳＣＲに供給されるシフトクロック信号ＣＫ−ＡＲ、ＣＫ−ＢＲおよびスタート信号ＳＴ−ＡＲ、ＳＴ−ＢＲの波形と、図６に示した単位選択回路ＳＥＲ（ｎ）〜ＳＥＲ（ｎ＋５）から出力される第１単位選択信号ＳＥＬＨ＿Ｒ（ｎ）〜ＳＥＬＨ＿Ｒ（ｎ＋５）および第２単位選択信号ＳＥＬＧ＿Ｒ（ｎ）〜ＳＥＬＧ＿Ｒ（ｎ＋５）の波形が示されている。図１２を、図１１の下側に配置することによって、表示装置１の動作を示す波形図が完成する。
【０１３９】
図１１および図１２において、ＤＰは、表示領域２において画像の表示が行われる表示期間を示している。また、ＴＰ（ｎ−１）〜ＴＰ（ｎ＋４）は、磁界検出の期間（以下、磁界タッチ検出期間とも称する）を示している。また、ＴＰ（ｓｓ）は、磁界タッチ検出を開始する開始期間を示している。この実施の形態１においては、磁界タッチ検出期間ＴＰ（ｎ−１）〜ＴＰ（ｎ＋４）のそれぞれは、図２で説明したように、磁界発生期間と磁界検出期間とによって構成されている。図１１では、例として磁界タッチ検出期間ＴＰ（ｎ＋３）を構成する磁界発生期間に符合ＴＰＧが付され、磁界検出期間に符合ＴＰＤが付されている。他の磁界タッチ検出期間についても、同様に磁界発生期間ＴＰＧとそれに続く磁界検出期間ＴＰＤによって、磁界タッチ検出期間は構成されている。
【０１４０】
この実施の形態１においては、特に制限されないが、開始期間ＴＰ（ｓｓ）以降、磁界タッチ検出期間と表示期間ＤＰとが交互に発生するように、制御装置３が制御を行う。また、制御装置３は、１回の磁界タッチ検出期間において、１個の駆動電極の領域で磁界が発生するように制御する。この実施の形態１では、駆動電極ＴＬ（０）の領域から駆動電極ＴＬ（ｐ）の領域に向けて、順次、磁界が発生するように制御している。図１１および図１２に示した磁界タッチ検出期間ＴＰ（ｎ−１）における磁界発生期間では、駆動電極ＴＬ（ｎ−１）の領域において、磁界が発生するように制御する。同様に、磁界タッチ検出期間ＴＰ（ｎ）〜ＴＰ（ｎ＋４）のそれぞれにおける磁界発生期間では、駆動電極ＴＬ（ｎ）〜ＴＬ（ｎ＋４）の領域で磁界が発生するように制御する。
【０１４１】
この実施の形態１においては、制御装置３が、制御信号ＣＯＭＦＬによって、第１スキャナ回路ＳＣＬおよび第２スキャナ回路ＳＣＲ等に、磁界タッチ検出期間ＴＰと、表示期間ＤＰとを把握させる。また、検出タイミング信号ＴＰＳＥＬによって、第１スキャナ回路ＳＣＬおよび第２スキャナ回路ＳＣＲ等に、磁界発生期間ＴＰＧを把握させる。すなわち、制御装置３は、磁界タッチ検出期間ＴＰにおいて制御信号ＣＯＭＦＬをハイレベルとし、表示期間ＤＰにおいてロウレベルとする。また、磁界発生期間ＴＰＧのとき、検出タイミング信号ＴＰＳＥＬをハイレベルにする。第１スキャナ回路ＳＣＬおよび第２スキャナ回路ＳＣＲは、検出タイミング信号ＴＰＳＥＬがハイレベルのときに、上記した第１選択信号および第２選択信号を出力する。また、図４に示した検出回路ＤＥＴは、制御信号ＣＯＭＦＬがハイレベルかつ検出タイミング信号ＴＰＳＥＬがロウレベルのときに動作する。制御装置３は、制御信号ＣＯＭＦＬと検出タイミング信号ＴＰＳＥＬがロウレベルの表示期間ＤＰにおいて、信号線ＳＬ（０）〜ＳＬ（ｐ）に画像信号を供給して表示を行う。
【０１４２】
制御装置３は、それぞれの磁界発生期間ＴＰＧのとき、状態選択信号ＶＳＥＬ１、ＶＳＥＬ２の電圧を周期的に複数回、変化させる。また、磁界発生期間ＴＰＧにおいて、制御装置３は、信号配線ＴＰＬに接地電圧Ｖｓを供給し、信号配線ＴＰＨに接地電圧Ｖｓより電圧値の高い直流の電圧Ｖｄを供給する。制御装置３は、表示期間ＤＰにおいて信号配線ＴＰＬに表示駆動電圧ＶＣＯＭＤＣを供給する。ＶＣＯＭＤＣは、表示期間の共通電極電位に相当する所定の直流電圧である。この実施の形態ではＶＣＯＭＤＣは接地電圧よりも電位の低い負の直流電圧であるが、これに限定されず、どのような値を設定してもよい。
【０１４３】
制御装置３は、時刻ｔ５において、開始期間ＴＰ（ｓｓ）を始めるときから、シフトクロック信号ＣＫ−ＢＬ、ＣＫ−ＡＲを変化させ始めるが、シフトクロック信号ＣＫ−ＡＬおよびＣＫ−ＢＲについては、時刻ｔ５よりも前に、離間量レジスタＳ−ＲＥＧに格納されている離間量ｎと束レジスタＣ−ＲＥＧに格納されている束ね量ｍの合計数だけ、シフトクロック信号ＣＫ−ＡＬおよびＣＫ−ＢＲを変化させる。図１１および図１２の例では、離間量レジスタＳ−ＲＥＧに離間量ｎとして１が格納され、束レジスタＣ−ＲＥＧに束ね量ｍとして１が格納されている場合を示している。そのため、制御装置３は、時刻ｔ５よりも前の時刻ｔ１およびｔ３においてシフトクロック信号ＣＫ−ＡＬおよびＣＫ−ＢＲを２回変化させる。また、制御装置３は、時刻ｔ０から時刻ｔ２の間、すなわちシフトクロック信号ＣＫ−ＡＬおよびＣＫ−ＢＲが束ね量分、すなわち１回分変化する間、スタート信号ＳＴ−ＡＬおよびＳＴ−ＢＲを、駆動電極の選択を示すハイレベルにし、その後ロウレベルとする。
【０１４４】
その後、時刻ｔ４において、制御装置３は、スタート信号ＳＴ−ＢＬおよびＳＴ−ＡＲを、駆動電極の選択を示すハイレベルにする。制御装置３は、時刻ｔ５において、シフトクロック信号ＣＫ−ＡＬ、ＣＫ−ＢＬ、ＣＬ−ＡＲおよびＣＫ−ＢＬを変化させ、以降、磁界タッチ検出期間のたびに、制御装置３は、シフトクロック信号ＣＫ−ＡＬ、ＣＫ−ＢＬ、ＣＬ−ＡＲおよびＣＫ−ＢＬを変化させる。このとき、シフトクロック信号ＣＫ−ＡＬ、ＣＫ−ＢＬ、ＣＫ−ＡＲおよびＣＫ−ＢＬは、互いに同じ周期となるように、制御装置３は、変化させる。
【０１４５】
これにより、スキャナ回路ＳＣＡＬのシフトレジスタにおいて、駆動電極の選択を示すハイレベルのスタート信号ＳＴ−ＡＬを格納しているシフト段は、スキャナ回路ＳＣＢＬのシフトレジスタにおいて、ハイレベルのスタート信号ＳＴ−ＢＬを格納しているシフト段よりも、２段先に進んでいることになる。同様に、スキャナ回路ＳＣＢＲのシフトレジスタにおいて、駆動電極の選択を示すハイレベルのスタート信号ＳＴ−ＢＲを格納しているシフト段は、スキャナ回路ＳＣＡＲのシフトレジスタにおいて、ハイレベルのスタート信号ＳＴ−ＡＲを格納しているシフト段よりも、２段先に進んでいることになる。すなわち、スキャナ回路ＳＣＡＬ、ＳＣＢＲは、スキャナ回路ＳＣＢＬ、ＳＣＡＲに比べて、離間量ｎ＋束ね量ｍ個分に相当する２個分先の駆動電極を選択することになる。
【０１４６】
シフトクロック信号ＣＫ−ＡＬ、ＣＫ−ＢＬ、ＣＫ−ＡＲおよびＣＫ−ＢＬが、周期的に変化し、磁界タッチ検出期間ＴＰ（ｎ−１）に到達すると、スキャナ回路ＳＣＡＬのシフト段ＦＡＬ（ｎ）（図７（Ａ）参照）が、ハイレベルのスタート信号を保持し、ハイレベルの第１選択信号ＡＬ（ｎ）を出力する。磁界タッチ検出期間ＴＰ（ｎ−１）において、状態選択信号ＶＳＥＬ１、ＶＳＥＬ２が変化することにより、シフト段ＦＡＬ（ｎ）に対応した単位選択回路ＳＥＬ（ｎ）からは、図１１に示すように、状態選択信号ＶＳＥＬ１、ＶＳＥＬ２の変化に同期して変化する第１単位選択信号ＳＥＬＨ＿Ｌ（ｎ）、第２単位選択信号ＳＥＬＧ＿Ｌ（ｎ）が出力される。
【０１４７】
このとき、スキャナ回路ＳＣＢＲのシフト段ＦＢＲ（ｎ）（図７（Ｄ）参照）においても、ハイレベルのスタート信号が保持されるため、シフト段ＦＢＴ（ｎ）は、ハイレベルの第２選択信号ＢＲ（ｎ）を出力する。そのため、磁界タッチ検出期間ＴＰ（ｎ−１）において、状態選択信号ＶＳＥＬ１、ＶＳＥＬ２の変化に同期した第１単位選択信号ＳＥＬＨ＿Ｒ（ｎ）および第２単位選択信号ＳＥＬＧ＿Ｒ（ｎ）が、図１２に示すように、対応する単位選択回路ＳＥＲ（ｎ）から出力されることになる。
【０１４８】
この時、状態選択信号ＶＳＥＬ１がハイレベルで状態選択信号状態選択信号ＶＳＥＬ２がロウレベルの期間においては駆動電極ＴＬ（ｎ）の端部ｎ１に信号配線ＴＰＨを介して第１駆動電圧Ｖｄが供給され、端部ｎ２から信号配線ＴＰＬを介して第２駆動電圧Ｖｓが供給される第１駆動状態となる。また、状態選択信号ＶＳＥＬ１がロウレベルで状態選択信号状態選択信号ＶＳＥＬ２がハイレベルの期間においては駆動電極ＴＬ（ｎ）の端部ｎ１に信号配線ＴＰＬを介して第２駆動電圧Ｖｓが供給され、端部ｎ２から信号配線ＴＰＨを介して第１駆動電圧Ｖｄが供給される第２駆動状態となる。磁界タッチ検出期間ＴＰ（ｎ−１）の磁界発生期間ＴＰＧにおいて、状態選択信号ＶＳＥＬ１とＶＳＥＬ２の値がそれぞれ交互に４回ずつ変化しているので、駆動電極ＴＬ（ｎ）は、第１駆動状態→第２駆動状態→第１駆動状態→第２駆動状態に４回交互に変化する。
【０１４９】
シフトクロック信号ＣＫ−ＡＬ、ＣＫ―ＢＬ、ＣＫ−ＡＲおよびＣＫ−ＢＲが変化して、磁界タッチ検出期間ＴＰ（ｎ＋１）に到達すると、ハイレベルのスタート信号が、シフト段ＦＡＬ（ｎ＋１）からシフト段ＦＡＬ（ｎ＋２）へ移動し、シフト段ＦＡＬ（ｎ＋２）に格納される。同様に、シフト段ＦＢＲ（ｎ＋１）からシフト段ＦＢＲ（ｎ＋２）へ、ハイレベルのスタート信号が移動し、シフト段ＦＢＲ（ｎ＋２）に格納される。
【０１５０】
このとき、スキャナ回路ＳＣＢＬのシフトレジスタのシフト段ＦＢＬ（ｎ）（図７（Ｂ）参照）に、時刻ｔ５で、スキャナ回路ＳＣＢＬのシフトレジスタに取り込まれたハイレベルのスタート信号が、前段のシフト段から移動し、シフト段ＦＢＬ（ｎ）に格納される。同様に、このとき、スキャナ回路ＳＣＡＲのシフトレジスタのシフト段ＦＡＲ（ｎ）（図７（Ｃ）参照）に、時刻ｔ５で、スキャナ回路ＳＣＡＲのシフトレジスタに取り込まれたハイレベルのスタート信号が、前段のシフト段から移動し、シフト段ＦＡＲ（ｎ）に格納される。
【０１５１】
そのため、磁界タッチ検出期間ＴＰ（ｎ＋１）の磁界発生期間ＴＰＧにおいては、シフト段ＦＡＬ（ｎ＋２）、ＦＢＲ（ｎ＋２）に対応した単位選択回路ＳＥＬ（ｎ＋２）、ＳＥＲ（ｎ＋２）からだけではなく、シフト段ＦＡＬ（ｎ）、ＦＢＲ（ｎ）に対応した単位選択回路ＳＥＬ（ｎ）、ＳＥＲ（ｎ）からも、状態選択信号ＶＳＥＬ１、ＶＳＥＬ２の周期的な変化に同期した第１単位選択信号と第２単位選択信号が出力されることになる。すなわち、図１１および図１２に示すように、単位選択回路ＳＥＬ（ｎ＋２）、ＳＥＲ（ｎ＋２）から、周期的に変化する第１単位選択信号ＳＥＬＨ＿Ｌ（ｎ＋２）、ＳＥＬＨ＿Ｒ（ｎ＋２）および第２単位選択信号ＳＥＬＧ＿Ｌ（ｎ＋２）、ＳＥＬＧ＿Ｒ（ｎ＋２）が出力され、単位選択回路ＳＥＬ（ｎ）、ＳＥＲ（ｎ）からも、周期的に変化する第１単位選択信号ＳＥＬＨ＿Ｌ（ｎ）、ＳＥＬＨ＿Ｒ（ｎ）および第２単位選択信号ＳＥＬＧ＿Ｌ（ｎ）、ＳＥＬＧ＿Ｒ（ｎ）が出力される。
【０１５２】
これにより、磁界タッチ検出期間ＴＰ（ｎ＋１）の磁界発生期間ＴＰＧにおいては、駆動電極ＴＬ（ｎ＋１）を挟む駆動電極ＴＬ（ｎ）、ＴＬ（ｎ＋２）のそれぞれが、状態選択信号ＶＳＥＬ１、ＶＳＥＬ２の周期的な変化に従って、交互に第１駆動状態と第２駆動状態になる。
【０１５３】
すなわち、状態選択信号ＶＳＥＬ１がハイレベルで状態選択信号ＶＳＥＬ２がロウレベルの期間においては駆動電極ＴＬ（ｎ＋２）の端部ｎ１に第１駆動電圧Ｖｄが供給され、端部ｎ２から第２駆動電圧Ｖｓが供給される第１駆動状態となり、同時に駆動電極ＴＬ（ｎ）の端部ｎ１に第２駆動電圧Ｖｓが供給され、端部ｎ２から第１駆動電圧Ｖｄが供給される第２駆動状態となる。また、状態選択信号ＶＳＥＬ１がロウレベルで状態選択信号ＶＳＥＬ２がハイレベルの期間においては駆動電極ＴＬ（ｎ＋２）の端部ｎ１に信号配線ＴＰＬを介して第２駆動電圧Ｖｓが供給され、端部ｎ２から信号配線ＴＰＨを介して第１駆動電圧Ｖｄが供給される第２駆動状態となるとともに、駆動電極ＴＬ（ｎ）の端部ｎ１に第１駆動電圧Ｖｄが供給され、端部ｎ２から第２駆動電圧Ｖｓが供給される第１駆動状態となっている。磁界タッチ検出期間ＴＰ（ｎ−１）の磁界発生期間ＴＰＧにおいて、状態選択信号ＶＳＥＬ１とＶＳＥＬ２の値がそれぞれ交互に４回ずつ変化しているので、駆動電極ＴＬ（ｎ＋２）と駆動電極ＴＬ（ｎ）は、それぞれの駆動状態が４回交互に変化する。
【０１５４】
磁界タッチ検出期間ＴＰ（ｎ＋２）〜ＴＰ（ｎ＋４）のそれぞれにおける動作は、ハイレベルのスタート信号が、移動することにより、状態選択信号ＶＳＥＬ１、ＶＳＥＬ２の周期的な変化に同期して、変化する第１単位選択信号および第２単位選択信号が、順次移動することを除いて、磁界タッチ検出期間ＴＰ（ｎ＋１）と同じであるため、説明は省略する。
【０１５５】
なお、図６に示した接続状態は、図１１および図１２において、一点鎖線Ｆ６で囲んだタイミングのときに相当する。
【０１５６】
この実施の形態１においては、スキャナ回路ＳＣＡＬおよびＳＣＢＲのそれぞれのシフトレジスタは、図１１および図１２に示した時刻ｔ１において、ハイレベルのスタート信号を取り込んだ後は、シフトクロック信号ＣＫ−ＡＬ、ＣＫ−ＢＲの変化に同期して、駆動電極の非選択を示すロウレベルを取り込む。同様に、スキャナ回路ＳＣＢＬおよびＳＣＡＲのそれぞれのシフトレジスタは、図１１および図１２に示した時刻ｔ５において、ハイレベルのスタート信号を取り込んだ後は、シフトクロック信号ＣＫ−ＢＬ、ＣＫ−ＡＲの変化に同期して、駆動電極の非選択を示すロウレベルを取り込む。
【０１５７】
これにより、ハイレベルのスタート信号を保持しているシフト段を除いたシフト段は、磁界タッチ検出期間のとき、ロウレベルの第１選択信号および第２選択信号を出力することになる。例えば、図１１および図１２に示した磁界タッチ検出期間ＴＰ（ｎ＋１）で述べると、シフト段ＦＡＬ（ｎ）〜ＦＡＬ（ｎ＋１）、ＦＡＬ（ｎ＋３）〜ＦＡＬ（ｎ＋５）、ＦＢＬ（ｎ＋１）〜ＦＢＬ（ｎ＋５）、ＦＡＲ（ｎ＋１）〜ＦＡＲ（ｎ＋５）およびＦＢＲ（ｎ）〜ＦＢＲ（ｎ＋１）、ＦＢＲ（ｎ＋３）〜ＦＢＲ（ｎ＋５）は、非選択のロウレベルを保持している。
【０１５８】
このうち、第１選択信号および第２選択信号の両方がロウレベルとなるシフト段ＦＡＬ（ｎ＋１）、ＦＡＬ（ｎ＋３）〜ＦＡＬ（ｎ＋５）、ＦＢＬ（ｎ＋１）、ＦＢＬ（ｎ＋５）、ＦＡＲ（ｎ＋１）、ＦＡＲ（ｎ＋３）〜ＦＡＲ（ｎ＋５）およびＦＢＲ（ｎ＋１）、ＦＢＲ（ｎ＋３）〜ＦＢＲ（ｎ＋５）に対応する駆動電極ＴＬ（ｎ＋１），ＴＬ（ｎ＋３）については、図８で説明したように、端部ｎ１、ｎ２ともに信号配線ＴＰＨ、ＴＰＬのいずれからも分離されたフローティング電位となる。これにより、非選択の駆動電極と選択された駆動電極との間の寄生容量を低減し、入力検出装置の検出速度を向上させることができる。
【０１５９】
また、この実施の形態１において、制御装置３は、磁界タッチ検出期間のとき、図４に示したゲートドライバ４が、全ての走査線ＧＬ（０）〜ＧＬ（ｐ）をフローティング状態とするように、ゲートドライバ４を制御する。さらに、磁界タッチ検出期間のとき、制御装置３は、全ての信号線ＳＬ（０）〜ＳＬ（ｐ）をフローティング状態にする。これにより、選択された駆動電極の電圧を変化させるとき、走査線および信号線と選択された駆動電極との間の寄生容量の充放電を低減することが可能となり、選択された駆動電極の電圧を変化させる速度を向上することが可能となる。
【０１６０】
磁界タッチ検出期間において、磁界発生期間ＴＰＧに続く磁界検出期間ＴＰＤでは、ペンＰｅｎからの磁界の検出が行われるが、磁界検出期間ＴＰＤにおける動作は、図２（Ｂ）で説明した動作と同じである。すなわち、第２基板ＣＧＢに形成された検出電極ＲＬ（０）〜ＲＬ（ｐ）によって、ＤＹ（ｎ−２）〜ＤＹ（ｎ＋１）のような磁界検出コイルを構成し、ペンＰｅｎからの磁界を検出する。図２（Ｂ）で説明した動作と同じであるため、磁界検出期間ＴＰＤの動作は省略する。
【０１６１】
＜電界タッチ検出の動作＞
実施の形態１に係わる表示装置１は、磁界タッチ検出と電界タッチ検出の両方が可能である。次に、電界タッチ検出を行う場合の動作を説明する。
【０１６２】
表示装置１の構成は、電界タッチ検出の場合も同じであり、制御装置３によって形成される信号の波形が、磁界タッチ検出のときとは異なる。電界タッチ検出の動作を、波形図を用いて説明するが、図面が複雑になるのを避けるために、ここでも、波形図は、図１３および図１４に分けてある。図１４を、図１３の下側に配置することにより、波形図が完成する。図１３および図１４は、図１１および図１２と類似しているため、ここでは相違点を主に説明する。
【０１６３】
磁界タッチ検出では、既に説明したように、磁界発生期間と磁界検出期間を識別するために、検出タイミング信号ＴＰＳＥＬが用いられていた。これに対して、電界タッチ検出においては、図３で説明したように、駆動電極で電界を発生し、そのときの電界の変化を検出電極によって検出することにより、タッチの検出が行われる。そのため、電界を発生する期間と電界を検出する期間を識別することは要求されず、検出タイミング信号ＴＰＳＥＬは、用いられないため、図１３および図１４では省略されている。また、磁界タッチ検出ではタッチ期間に制御信号ＣＯＭＦＬがハイレベルとなっていたが、電界タッチ検出では制御信号ＣＯＭＦＬは常にロウレベルを維持する。すなわち制御信号ＣＯＭＦＬがハイレベルかロウレベルかによって磁界タッチ検出か電界タッチ検出かが識別される。
【０１６４】
この実施の形態１においては、磁界タッチ検出のときと同様に、表示期間と電界タッチ検出期間とが交互に生じるように、制御装置３が制御する。図１３および図１４において、ＤＰは、表示期間を示し、ＴＣ（ｎ）〜ＴＣ（ｎ＋５）は、駆動電極ＴＬ（ｎ）〜ＴＬ（ｎ＋５）の領域において電界タッチ検出を行う電界タッチ検出期間を示している。また、ＴＣ（ｓｓ）は、電界タッチ検出を開始する開始期間を示している。
【０１６５】
制御装置３は、電界タッチ検出の際、図１３に示すように、制御信号ＣＯＭＦＬをロウレベルＬにし、駆動信号ＴＰＬを表示駆動電圧ＶＣＯＭＤＣにする。また、制御装置３は、開始期間ＴＣ（ｓｓ）および電界タッチ検出期間（図１３、図１４では、ＴＣ（ｎ）〜ＴＣ（ｎ＋５））において、駆動信号ＴＰＨの電圧を、接地電圧Ｖｓと接地電圧より電圧値の高い電圧Ｖｄとの間で周期的に変化させる。この周期的に変化する交流信号が電界駆動信号に相当する。さらに、制御装置３は、電界タッチ検出期間のとき、状態選択信号ＶＳＥＬ２を、ロウレベルＬにし、開始期間ＴＣ（ｓｓ）および電界タッチ検出期間のとき、状態選択信号ＶＳＥＬ１を、ロウレベルＬからハイレベルＨへ変化させる。
【０１６６】
制御装置３は、磁界タッチ検出のときには、離間量レジスタＳ−ＲＥＧに格納されている離間量を用いて、シフトクロック信号とスタート信号を生成していたが、電界タッチ検出のときには、離間量を用いずに、シフトクロック信号とスタート信号を生成する。すなわち、電界タッチ検出の場合、図１３および図１４に示すように、時刻ｔ０において、制御装置３は、スタート信号ＳＴ−ＡＬおよびＳＴ−ＡＲを、束ね量ｍ＝１に応じた１回分、ロウレベルから駆動電極の選択を示すハイレベルへ変化させる。また、制御装置３は、開始期間ＴＣ（ｓｓ）および電界タッチ検出期間ごとに、シフトクロック信号ＣＫ−ＡＬおよびＣＫ−ＡＲを、ロウレベルからハイレベルに変化させる。すなわち、シフトクロック信号ＣＫ−ＡＬ、ＣＫ−ＡＲを周期的に変化させる。一方、電界タッチ検出のとき、制御装置３は、図１３および図１４に示すように、スタート信号ＳＴ−ＢＬおよびＳＲ−ＢＲのそれぞれをロウレベルＬに維持し、シフトクロック信号ＣＫ−ＢＬおよびＣＫ−ＢＲをロウレベルＬに維持する。すなわち、電界タッチ検出のとき、シフトクロック信号ＣＫ−ＢＬ、ＣＫ−ＢＲを変化させない。つまり、電界タッチ検出の時には、スキャナ回路ＳＣＡＬとスキャナ回路ＳＣＡＲだけが駆動電極を選択し、スキャナ回路ＳＣＢＬとスキャナ回路ＳＣＢＲとは駆動電極を選択しない。
【０１６７】
時刻ｔ０において、シフトクロック信号ＣＫ−ＡＬ、ＣＫ−ＡＲが変化することにより、スキャナ回路ＳＣＡＬ、ＳＣＡＲのシフトレジスタが、駆動電極の選択を示すハイレベルのスタート信号ＳＴ−ＡＬ、ＳＴ−ＡＲを取り込む。これに対して、シフトクロック信号ＣＫ−ＢＬ、ＣＫ−ＢＲは変化しないため、スキャナ回路ＳＣＢＬ、ＳＣＢＲのシフトレジスタは、スタート信号ＳＴ−ＢＬ、ＳＴ−ＢＲを取り込まず、以前の状態を出力する。特に制限されないが、スキャナ回路ＳＣＢＬ、ＳＣＢＲのシフトレジスタは、時刻ｔ０よりも前の時刻において、リセットされ、スキャナ回路ＳＣＢＬ、ＳＣＢＲから出力されている第２選択信号は、全てロウレベルとなっている。
【０１６８】
電界タッチ検出期間が繰り返されるたびに、シフトクロック信号ＣＫ−ＡＬ、ＣＫ−ＡＲが変化し、電界タッチ検出期間ＴＣ（ｎ）に到達すると、シフトクロック信号ＣＫ−ＡＬ、ＣＫ−ＡＲの変化に同期して、図７（Ａ）および（Ｃ）に示したシフト段ＦＡＬ（ｎ）、ＦＡＲ（ｎ）が、前段のシフト段から出力されている選択を示すハイレベルのスタート信号ＳＴ−ＡＬ、ＳＴ−ＡＲを取り込み、保持する。その結果、シフト段ＦＡＬ（ｎ）、ＦＡＲ（ｎ）から出力されている第１選択信号ＡＬ（ｎ）、ＡＲ（ｎ）がロウレベルからハイレベルへ変化する。これにより、図８に示した単位選択回路ＳＥＬ（ｎ）、ＳＥＲ（ｎ）のそれぞれにおいて、第１転送スイッチＴＰ１Ｌ、ＴＰ１Ｒおよび第２転送スイッチＴＰ２Ｌ、ＴＰ２Ｒがオン状態となる。
【０１６９】
このとき、状態選択信号ＶＳＥＬ１はハイレベルＨになっており、状態選択信号ＶＳＥＬ２はロウレベルＬとなっているため、図１３および図１４に示すように、第２単位選択信号ＳＥＬＧ＿Ｌ（ｎ）、ＳＥＬＧ＿Ｒ（ｎ）はハイレベルとなり、第１単位選択信号ＳＥＬＨ＿Ｌ（ｎ）、ＳＥＬＨ＿Ｒ（ｎ）はロウレベルとなる。これにより、単位選択回路ＳＥＬ（ｎ）、ＳＥＲ（ｎ）に対応した単位駆動回路ＵＳＬ、ＵＳＲにおいて、ＰトランジスタＰ６Ｌ、Ｐ６Ｒがオン状態となり、ＰトランジスタＰ７Ｌ、Ｐ７Ｒはオフ状態となる。その結果、シフト段ＦＡＬ（ｎ）、ＦＡＲ（ｎ）に対応した駆動電極ＴＬ（ｎ）の一方の端部ｎ１は、ＰトランジスタＰ６Ｌを介して信号配線ＴＰＨに接続され、他方の端部ｎ２は、ＰトランジスタＰ６Ｒを介して信号配線ＴＰＨに接続されることになる。
【０１７０】
電界タッチ検出期間ＴＣ（ｎ）において、駆動電極ＴＬ（ｎ）は、その両端ｎ１、ｎ２に、周期的に変化する交流の電界駆動信号が供給され、この時、検出電極ＲＬは電界駆動信号に応じた検出信号を出力する。
【０１７１】
なお、スキャナ回路ＳＣＢＬ、ＳＣＢＲは、電界タッチ検出のとき、ロウレベルの第２選択信号を継続的に出力しているので、スキャナ回路ＳＣＡＬ、ＳＣＡＲに選択されない駆動電極は、いずれのスキャナ回路からも選択されないこととなる。
【０１７２】
図８で説明したように、磁界タッチ検出期間と異なり、電界タッチ検出期間では、制御信号ＣＯＭＦＬがロウレベルとなるため、単位選択回路ＳＥＬ（ｎ）、ＳＥＲ（ｎ）に供給される第１選択信号および第２選択信号がロウレベルの時、インバータ回路ＩＶ２Ｌ及びＩＶ２Ｒからロウレベルの第２単位選択信号ＳＥＬＧ＿ＬおよびＳＥＬＧ＿Ｒが出力され、非選択の駆動電極の端部ｎ１と端部ｎ２とが、信号配線ＴＰＬに接続される。
【０１７３】
電界タッチ検出期間ＴＣ（ｎ）において、スキャナ回路ＳＣＡＬ及びＳＣＡＲに選択されない駆動電極ＴＬ（ｎ＋１）〜ＴＬ（ｎ＋５）に対応する単位選択回路ＳＥＬ（ｎ）〜（ｎ＋５）およびＳＥＲ（ｎ）〜（ｎ＋５）からはハイレベルの第１単位選択信号ＳＥＬＨ＿Ｌ（ｎ＋１）〜ＳＥＬＨ＿Ｌ（ｎ＋５）およびＳＥＬＨ＿Ｒ（ｎ＋１）〜ＳＥＬＨ＿Ｒ（ｎ＋５）と、ロウレベルの第２単位選択信号ＳＥＬＧ＿Ｌ（ｎ＋１）〜（ｎ＋５）およびＳＥＬＧ＿Ｒ（ｎ＋１）〜（ｎ＋５）とが出力され、それぞれの端部ｎ１とｎ２とが信号配線ＴＰＬに接続され、表示駆動電圧ＶＣＯＭＤＣが供給される。非選択の駆動電極の両端部に直流の表示駆動電圧ＶＣＯＭＤＣを供給することで、非選択の駆動電極が検出電極に及ぼすノイズを低減できる。
【０１７４】
電界タッチ検出期間ＴＣ（ｎ）を例にして説明したが、駆動電極の選択を示すハイレベルが、シフト段を移動することにより、電界タッチ検出期間ＴＣ（ｎ＋１）〜ＴＣ（ｎ＋５）においても同様に、選択された駆動電極ＴＬ（ｎ＋１）〜ＴＬ（ｎ＋５）において電界が発生する。例えば、図１３および図１４において、電界タッチ検出期間ＴＣ（ｎ＋２）であるタイミングでは、シフト段ＦＡＬ（ｎ＋２）、ＦＡＲ（ｎ＋２）が、駆動電極ＴＬ（ｎ＋２）の選択を示すハイレベルを保持している。これにより、図１３および図１４に示すような、第２単位選択信号ＳＥＬＧ＿Ｌ（ｎ）〜ＳＥＬＧ＿Ｌ（ｎ＋５）、ＳＥＬＧ＿Ｒ（ｎ）〜ＳＥＬＧ＿Ｒ（ｎ＋５）および第１選択信号ＳＥＬＨ＿Ｌ（ｎ）〜ＳＥＬＨ＿Ｌ（ｎ＋５）、ＳＥＬＨ＿Ｒ（ｎ）〜ＳＥＬＨ＿Ｒ（ｎ＋５）が出力され、第２スイッチＳ００（Ｐ７Ｌ、Ｐ７Ｒ）、第１スイッチＳ０１（Ｐ６Ｌ、Ｐ６Ｒ）は、図１５に示すような状態になる。この状態では、駆動電極ＴＬ（ｎ＋２）が選択され、その両端ｎ１、ｎ２に、信号配線ＴＰＨが接続され、この駆動電極ＴＬ（ｎ＋２）において、電界駆動信号に従った電界が発生する。なお、図１５に示したブロック図は、第１スイッチＳ０１、第２スイッチＳ００の接続が変わるだけで、図６に示したブロック図と同じであるため、説明は省略する。
【０１７５】
電界タッチ検出期間ＴＣ（ｎ）〜ＴＣ（ｎ＋５）のそれぞれにおいて、第２基板に形成された検出電極ＲＬ（０）〜ＲＬ（ｐ）を用いて、電界の変化が、図３で説明したように検出される。検出電極を用いた電界の変化の検出は、図３で説明したのと同様であるため、説明は省略する。
【０１７６】
また、表示期間ＤＰにおいては制御信号ＣＯＭＦＬ及び検出タイミング信号ＣＯＭＳＥＬがロウレベルであり、またいずれのスキャナ回路も駆動電極を選択しない為、図８で示した回路の動作に従って、全ての単位選択回路ＳＥＬ（ｎ）にハイレベルの第１単位選択信号ＳＥＬＨ＿Ｌ（ｎ）とロウレベルの第２単位選択信号ＳＥＬＧ＿Ｌ（ｎ）が出力され、全ての単位選択回路ＳＥＲ（ｎ）にハイレベルの第３単位選択信号ＳＥＬＨ＿Ｒ（ｎ）とロウレベルの第４単位選択信号ＳＥＬＧ＿Ｒ（ｎ）が出力され、全ての駆動電極が信号配線ＴＰＬに接続され、表示駆動信号ＶＣＯＭＤＣが供給される。この時駆動電極ＴＬ（ｎ）は表示装置の共通電極として機能する。
【０１７７】
（実施の形態２）
図１６は、実施の形態２に係わる第１スキャナ回路ＳＣＬ、第２スキャナ回路ＳＣＲ、第１選択駆動回路ＳＤＬおよび第２選択駆動回路ＳＤＲの構成を示すブロック図である。図１６は、先に説明した図６と類似しているので、ここでは相違点を主に説明する。相違点は、スキャナ回路ＳＣＡＲとスキャナ回路ＳＣＢＲから第２スキャナ回路ＳＣＲと第２選択駆動回路ＳＤＲへ出力する選択信号の接続が、図１６と図６とでは、異なることである。すなわち、第２選択駆動回路ＳＤＲを構成する単位選択回路ＳＥＲ（ｎ）〜ＳＥＲ（ｎ＋５）に供給される第１選択信号ＡＲ（ｎ）〜ＡＲ（ｎ＋５）および第１反転選択信号ＸＡＲ（ｎ）〜ＸＡＲ（ｎ＋５）と、第２選択信号ＢＲ（ｎ）〜ＢＲ（ｎ＋５）および第２反転選択信号ＸＢＲ（ｎ）〜ＸＢＲ（ｎ＋５）との接続箇所が入れ替わっていることである。この相違点を除いて、図１６と図６は同じである。
【０１７８】
図１７は、実施の形態２に係わる第２選択駆動回路ＳＤＲの構成を示す回路図である。図１７には、第２選択駆動回路ＳＤＲを構成する複数の単位選択回路のうち、単位選択回路ＳＥＲ（ｎ）とこの単位選択回路ＳＥＲ（ｎ）に対応する単位駆動回路ＵＳＲの構成が示されている。実施の形態２に係わる第１選択駆動回路ＳＤＬを構成する単位選択回路ＳＥＬ（ｎ）〜ＳＥＬ（ｎ＋５）および単位駆動回路ＵＳＬの構成は、実施の形態１と同じである。例えば、図１６に示した単位選択回路ＳＥＬ（ｎ）とこの単位選択回路ＳＥＬ（ｎ）に対応した単位駆動回路ＵＳＬは、図８（Ａ）に示した構成を有している。図１６に示した単位選択回路ＳＥＬ（ｎ＋１）〜ＳＥＬ（ｎ＋５）とそれぞれに対応した単位駆動回路ＵＳＬについても、それぞれ図８（Ａ）に示したような構成を有している。
【０１７９】
図１７に示した単位選択回路ＳＥＲ（ｎ）は、図８（Ｂ）に示した単位選択回路と同様に、第１転送スイッチＴＰ１Ｒ〜第６転送スイッチＴＰ６Ｒ、ＮトランジスタＮ２Ｒ、Ｎ３Ｒおよびインバータ回路ＩＶ０Ｒ〜ＩＶ２Ｒを備えている。これらの第１転送スイッチＴＰ１Ｒ〜第６転送スイッチＴＰ６Ｒ、ＮトランジスタＮ２Ｒ、Ｎ３Ｒおよびインバータ回路ＩＶ０Ｒ〜ＩＶ２Ｒの相互の接続は、図８（Ｂ）と同じである。また、単位選択回路ＳＥＲ（ｎ）に対応した単位駆動回路ＵＳＲの構成は、図８（Ｂ）に示した単位駆動回路と同じである。
【０１８０】
図８（Ｂ）に示した単位選択回路においては、第１転送スイッチＴＰ１Ｒ、第２転送スイッチＴＰ２Ｒおよび第５転送スイッチＴＰ５Ｒが、スキャナ回路ＳＣＡＲからの第１選択信号ＡＲ（ｎ）および第１反転選択信号ＸＡＲ（ｎ）によって、スイッチ制御され、ＮトランジスタＮ３Ｒが、第１反転選択信号ＸＡＲ（ｎ）によって、スイッチ制御されていた。また、図８（Ｂ）の単位選択回路においては、第３転送スイッチＴＰ３Ｒ、第４転送スイッチＴＰ４Ｒおよび第６転送スイッチＴＰ６Ｒが、スキャナ回路ＳＣＢＲからの第２選択信号ＢＲ（ｎ）および第２反転選択信号ＸＢＲ（ｎ）によって、スイッチ制御され、ＮトランジスタＮ２Ｒが、第２反転選択信号ＸＢＲ（ｎ）によって、スイッチ制御されていた。
【０１８１】
これに対して、図１７に示す単位選択回路ＳＥＲ（ｎ）においては、第１転送スイッチＴＰ１Ｒ、第２転送スイッチＴＰ２Ｒおよび第５転送スイッチＴＰ５Ｒは、スキャナ回路ＳＣＢＲからの第２選択信号ＢＲ（ｎ）および第２反転選択信号ＸＢＲ（ｎ）によって、スイッチ制御され、ＮトランジスタＮ３Ｒは、第２反転選択信号ＸＢＲ（ｎ）によって、スイッチ制御される。また、図１７の単位選択回路においては、第３転送スイッチＴＰ３Ｒ、第４転送スイッチＴＰ４Ｒおよび第６転送スイッチＴＰ６Ｒは、スキャナ回路ＳＣＡＲからの第１選択信号ＡＲ（ｎ）および第１反転選択信号ＸＡＲ（ｎ）によって、スイッチ制御され、ＮトランジスタＮ２Ｒは、第１反転選択信号ＸＡＲ（ｎ）によって、スイッチ制御される。ここでは、単位選択回路ＳＥＲ（ｎ）を例にして、説明したが、他の単位選択回路ＳＥＲ（ｎ＋１）〜ＳＥＲ（ｎ＋５）も同様になっている。これにより、実施の形態２においては、第１選択信号ＡＲ（ｎ）がハイレベルの時の動作と、第２選択信号ＢＲ（ｎ）がハイレベルの時の動作が、実施の形態１に対して入れ替えられている。
【０１８２】
＜磁界タッチ検出の全体動作＞
次に、実施の形態２に係わる表示装置１における磁界タッチ検出の全体動作を、波形図を用いて説明する。ここでも、図面が複雑になるのを避けるために、波形図は、図１８および図１９に分けてある。図１９を、図１８の下側に配置することによって、表示装置１の動作を示す波形図が完成する。図１８および図１９は、図１１および図１２に類似しているので、ここでは主に相違点を説明する。
【０１８３】
実施の形態１と同様に、この実施の形態２においても、制御装置３は、離間量レジスタＳ−ＲＥＧに格納された離間量と束レジスタＣ−ＲＥＧに格納された束ね量の情報に基づいて、スタート信号ＳＴ−ＡＲ、ＳＴ−ＢＲ、ＳＴ−ＡＬ、ＳＴ−ＢＬおよびシフトクロック信号ＣＫ−ＡＬ、ＣＫ−ＢＬ、ＣＫ−ＡＲ、ＣＫ−ＢＲを形成する。実施の形態１では、開始期間ＴＰ（ｓｓ）の前に、離間量に基づいた回数、シフトクロック信号ＣＫ−ＡＬ、ＣＫ−ＢＲを変化させ、シフトクロック信号ＣＫ−ＡＬ、ＣＫ−ＢＲを最初に変化させるとき、駆動電極の選択を示すハイレベルのスタート信号ＳＴ−ＡＬ、ＳＴ−ＢＲを、スキャナ回路ＳＣＡＬ、ＳＣＢＲに供給していた。これに対して、実施の形態２において、制御装置３は、スキャナ回路ＳＣＡＬ、ＳＣＡＲに供給されるシフトクロック信号ＣＫ−ＡＬ、ＣＫ−ＡＲを、開始期間ＴＰ（ｓｓ）の前に、離間量と束ね量の合計に基づいた回数、変化させ、シフトクロック信号ＣＫ−ＡＬ、ＣＫ−ＡＲを最初に束ね量ｍの回数分変化させるとき、駆動電極の選択を示すハイレベルのスタート信号ＳＴ−ＡＬ、ＳＴ−ＡＲを、スキャナ回路ＳＣＡＬ、ＳＣＡＲに供給する。
【０１８４】
すなわち、制御装置３は、図１８および図１９において、開始期間ＴＰ（ｓｓ）が始まる時刻ｔ５よりも前の時刻ｔ１のときに、シフトクロック信号ＣＫ−ＡＬ、ＣＫ−ＡＲを変化させる。この実施の形態２においても、離間量と束ね量に基づいた回数は、実施の形態１と同様に２回であるため、時刻ｔ５よりも前の時刻ｔ１と時刻ｔ３において、制御装置３は、シフトクロック信号ＣＫ−ＡＬ、ＣＫ−ＡＲを変化させる。また、制御装置３は、時刻ｔ０から時刻ｔ２において、スタート信号ＳＴ−ＡＬ、ＳＴ−ＡＲを、駆動電極の選択を示すハイレベルにする。その後、時刻ｔ４において、制御装置３は、スタート信号ＳＴ−ＢＬ、ＳＴ−ＢＲを、駆動電極の選択を示すハイレベルにする。以降、制御装置３は、磁界タッチ検出期間（例えばＴＰ（ｎ）〜ＴＰ（ｎ＋５））ごとに、シフトクロック信号ＣＫ−ＡＬ、ＣＫ−ＢＬ、ＣＫ−ＡＲおよびＣＫ―ＢＲを変化させる。このとき、シフトクロック信号ＣＫ−ＡＬ、ＣＫ−ＢＬ、ＣＫ−ＡＲおよびＣＫ―ＢＲが、互いに同じ周期となるように、制御装置３は、これらのシフトクロック信号を変化させる。
【０１８５】
これにより、スキャナ回路ＳＣＡＬ、ＳＣＡＲは、スキャナ回路ＳＣＢＬ、ＳＣＢＲが出力する第２選択信号によって指定される駆動電極よりも２個分、駆動電極ＴＬ（ｐ）側に近い駆動電極を指定する第１選択信号を出力するようになる。
【０１８６】
シフトクロック信号ＣＫ−ＡＬ、ＣＫ−ＢＬ、ＣＫ−ＡＲ、ＣＫ−ＢＲが変化して、例えば、磁界タッチ検出期間ＴＰ（ｎ−１）に到達すると、スキャナ回路ＳＣＡＬおよびＳＣＡＲのそれぞれにおいて、シフト段ＦＡＬ（ｎ）、ＦＡＲ（ｎ）（図７参照）が、前段のシフト段からハイレベルのスタート信号ＳＴ−ＡＬ、ＳＴ−ＡＲを取り込み、保持する。これにより、第１選択信号ＡＬ（ｎ）、ＡＲ（ｎ）がハイレベルとなる。第１選択信号ＡＬ（ｎ）がハイレベルとなることにより、図８（Ａ）に示した単位選択回路ＳＥＬ（ｎ）において、第１転送スイッチＴＰ１Ｌ、ＴＰ２Ｌがオン状態となり、単位選択回路ＳＥＬ（ｎ）は、図１８に示すように、状態選択信号ＶＳＥＬ１、ＶＳＥＬ２に従って変化する第１単位選択信号ＳＥＬＨ＿Ｌ（ｎ）、第２単位選択信号ＳＥＬＧ＿Ｌ（ｎ）を出力する。これに対して、第１選択信号ＡＲ（ｎ）がハイレベルとなることにより、図１７に示した単位選択回路ＳＥＲ（ｎ）において、第３転送スイッチＴＰ３Ｒ、第４転送スイッチＴＰ４Ｒがオン状態となる。その結果、図１９に示すように、単位選択回路ＳＥＲ（ｎ）は、状態選択信号ＶＳＥＬ１、ＶＳＥＬ２に従って変化する第１単位選択信号ＳＥＬＨ＿Ｒ（ｎ）、第２単位選択信号ＳＥＬＧ＿Ｒ（ｎ）を出力することになる。
【０１８７】
この時、単位選択回路ＳＥＲ（ｎ）では第１選択信号ＡＲ（ｎ）と第２選択信号ＢＲ（ｎ）の接続関係が単位選択回路ＳＥＬ（ｎ）と入れ替わっている為、状態選択信号ＶＳＥＬ１と状態選択信号ＶＳＥＬ２の値に応じて出力される第１単位選択信号ＳＥＬＨ＿Ｒ（ｎ）、第２単位選択信号ＳＥＬＧ＿Ｒ（ｎ）の値が、実施の形態１と反対になる。
【０１８８】
これにより、状態選択信号ＶＳＥＬ１がハイレベルで状態選択信号ＶＳＥＬ２がロウレベルの時、駆動電極ＴＬ（ｎ）の端部ｎ１には信号配線ＴＰＨから第１駆動電圧Ｖｄが供給され、端部ｎ２には信号配線ＴＰＬから第２駆動電圧Ｖｓが供給される第１駆動状態となる。また、状態選択信号ＶＳＥＬ１がロウレベルで状態選択信号ＶＳＥＬ２がハイレベルの時、駆動電極ＴＬ（ｎ）の端部ｎ１には信号配線ＴＰＬから第２駆動電圧Ｖｓが供給され、端部ｎ２には信号配線ＴＰＨから第２駆動電圧Ｖｄが供給される第２駆動状態となる。
【０１８９】
次に、シフトクロック信号ＣＫ−ＡＬ、ＣＫ−ＢＬ、ＣＫ−ＡＲおよびＣＫ−ＢＲが変化して、例えば磁界タッチ検出期間ＴＰ（ｎ＋１）に到達すると、スキャナ回路ＳＣＡＬ、ＳＣＢＬ、ＳＣＡＲおよびＳＣＢＲのシフトレジスタにおいて、ハイレベルのスタート信号が移動して、シフト段ＦＡＬ（ｎ＋２）、ＦＡＲ（ｎ＋２）、ＦＢＬ（ｎ）およびＦＢＲ（ｎ）に到達する。これにより、スキャナ回路ＳＣＡＬおよびＳＣＡＲは、駆動電極ＴＬ（ｎ＋２）を選択するように、第１選択信号ＡＬ（ｎ＋２）およびＡＲ（ｎ＋２）をハイレベルにし、スキャナ回路ＳＣＢＬおよびＳＣＢＲは、駆動電極ＴＬ（ｎ）を選択するように、第２選択信号ＢＬ（ｎ）およびＢＲ（ｎ）をハイレベルにする。
【０１９０】
第１選択信号ＡＬ（ｎ＋２）およびＡＲ（ｎ＋２）がハイレベルとなることにより、状態選択信号ＶＳＥＬ１、ＶＳＥＬ２に従って、図１８および図１９に示すように、第１単位選択信号ＳＥＬＨ＿Ｌ（ｎ＋２）、ＳＥＬＨ＿Ｒ（ｎ＋２）および第２単位選択信号ＳＥＬＧ＿Ｌ（ｎ＋２）、ＳＥＬＧ＿Ｒ（ｎ＋２）が変化する。その結果、駆動電極ＴＬ（ｎ＋２）は、交互に第１駆動状態と第２駆動状態になり、磁界を発生する。
【０１９１】
また、第２選択信号ＢＬ（ｎ）、ＢＲ（ｎ）がハイレベルとなることにより、図８（Ａ）に示した第３転送スイッチＴＰ３Ｌ、第４転送スイッチＴＰ４Ｌがオン状態となり、図１７に示した第１転送スイッチＴＰ１Ｒ、第２転送スイッチＴＰ２Ｒがオン状態となる。これにより、状態選択信号ＶＳＥＬ１、ＶＳＥＬ２に従って、図１８および図１９に示すように、第１単位選択信号ＳＥＬＨ＿Ｌ（ｎ）、ＳＥＬＨ＿Ｒ（ｎ）および第２単位選択信号ＳＥＬＧ＿Ｌ（ｎ）、ＳＥＬＧ＿Ｒ（ｎ）が変化する。その結果、駆動電極ＴＬ（ｎ）は、交互に第２駆動状態と第１駆動状態になり、磁界を発生する。
【０１９２】
駆動電極ＴＬ（ｎ）によって発生した磁界と、駆動電極ＴＬ（ｎ＋２）によって発生した磁界は、駆動電極ＴＬ（ｎ＋１）の領域において、重畳される。それぞれの磁界が、第１駆動状態と第２駆動状態を繰り返すことにより発生するため、発生する磁界の変化を多くすることが可能となる。
【０１９３】
以降、磁界タッチ検出期間ＴＰ（ｎ＋２）〜ＴＰ（ｎ＋５）のそれぞれにおいて、同様に磁界が発生する。なお、図１６に示した接続状態は、図１８および図１９において、一点鎖線Ｆ１６で囲んだタイミングのときに相当する。
【０１９４】
実施の形態２においても、磁界タッチ検出期間において、非選択の駆動電極はフローティング電位となっている。また、磁界タッチ検出期間においては、走査線および信号線がフローティング電位となっている。
【０１９５】
＜電界タッチ検出の動作＞
実施の形態１と同様に、実施の形態２においても、電界タッチ検出が可能である。次に、波形図を用いて、電界タッチ検出のときの動作を説明する。図面が複雑になるのを避けるために、ここでも、波形図は、図２０および図２１に分けてある。図２１を、図２０の下側に配置することにより、波形図が完成する。図２０および図２１は、図１３および図１４に類似しているため、相違点を主に説明する。
【０１９６】
この実施の形態２においても、実施の形態１と同様に、制御装置３は、電界タッチ検出のとき、離間量を用いずに、シフトクロック信号とスタート信号を生成する。しかしながら、実施の形態１と異なり、第１選択信号ＡＲ（ｎ）と第２選択信号ＢＲ（ｎ）がハイレベルの時の動作が入れ替わっているので、制御装置３は、図２０および図２１に示すように、時刻ｔ０において、スタート信号ＳＴ−ＡＲの代わりにスタート信号ＳＴ−ＢＲを、ロウレベルから選択を示すハイレベルへ変化させる。また、制御装置３は、開始期間ＴＣ（ｓｓ）および電界タッチ検出期間ごとに、シフトクロック信号ＣＫ−ＡＬおよびＣＫ−ＢＲを、ロウレベルからハイレベルに変化させる。すなわち、シフトクロック信号ＣＫ−ＡＬ、ＣＫ−ＢＲを周期的に変化させる。また、制御装置３は、図２０および図２１に示すように、スタート信号ＳＴ−ＢＬおよびＳＲ−ＡＲのそれぞれをロウレベルＬに維持し、シフトクロック信号ＣＫ−ＢＬおよびＣＫ−ＡＲをロウレベルＬに維持する。すなわち、電界タッチ検出のとき、シフトクロック信号ＣＫ−ＢＬ、ＣＫ−ＡＲは変化しない。
【０１９７】
シフトクロック信号ＣＫ−ＡＬ、ＣＫ−ＢＲが変化し、駆動電極の選択を示すハイレベルのスタート信号ＳＴ−ＡＬ、ＳＴ−ＢＲが、シフト段ＦＡＬ（ｎ）、ＦＢＲ（ｎ）（図７参照）に保持されると、電界タッチ検出期間ＴＣ（ｎ）となる。シフト段ＦＡＬ（ｎ）、ＦＢＲ（ｎ）が、ハイレベルのスタート信号ＳＴ−ＡＬ、ＳＴ−ＢＬを格納することにより、第１選択信号ＡＬ（ｎ）および第２選択信号ＢＲ（ｎ）がハイレベルとなる。これにより、図８（Ａ）に示した第１転送スイッチＴＰ１Ｌおよび第２転送スイッチＴＰ２Ｌと、図１７に示した第１転送スイッチＴＰ１Ｒおよび第２転送スイッチＴＰ２Ｒがオン状態となる。電界タッチ検出期間ＴＣ（ｎ）においては、状態選択信号ＶＳＥＬ１がハイレベルとなり、状態選択信号ＶＳＥＬ２がロウレベルとなっているため、図２０および図２１に示すように、第１単位選択信号ＳＥＬＨ＿Ｌ（ｎ）およびＳＥＬＨ＿Ｒ（ｎ）は、ハイレベルとなり、第２単位選択信号ＳＥＬＧ＿Ｌ（ｎ）およびＳＥＬＧ＿Ｒ（ｎ）は、ロウレベルとなる。
【０１９８】
その結果、駆動電極ＴＬ（ｎ）の一方の端部ｎ１は、単位駆動回路ＵＳＬ内のＰトランジスタＰ６Ｌを介して、信号配線ＴＰＨに接続され、他方の端部ｎ２は、単位駆動回路ＵＳＲ内のＰトランジスタＰ６Ｒを介して、信号配線ＴＰＨに接続されることになる。これにより、電界タッチ検出期間ＴＣ（ｎ）においては、信号配線ＴＰＨに供給されている周期的に変化する電界駆動信号が、駆動電極ＴＬ（ｎ）の両端部から供給され、電界を発生することになる。
【０１９９】
電界タッチ検出期間ＴＣ（ｎ）を例にして説明したが、他の電界タッチ検出期間においても同様である。また、この実施の形態２においても、電界タッチ検出期間においては、制御信号ＣＯＭＦＬがロウレベルにされているため、非選択の駆動電極には、表示駆動電圧ＶＣＯＭＤＣが供給されるため、ノイズの低減を図ることができる。また、表示期間ＤＰにおいて、全ての駆動電極が非選択となり信号配線ＴＰＬから表示駆動電圧ＶＣＯＭＤＣが供給される。
【０２００】
磁界タッチ検出期間において、ペンＰｅｎからの磁界は、図２で説明したように、第２基板に形成された検出電極ＲＬ（０）〜ＲＬ（ｐ）によって検出され、電界タッチ検出期間において、電界の変化も、図３で説明したように、検出電極ＲＬ（０）〜ＲＬ（ｐ）によって検出される。
【０２０１】
（実施の形態３）
実施の形態３においては、第１駆動電極と第２電極とが、それぞれ複数の隣接する駆動電極を含み、それぞれが同時に第１駆動状態と第２駆動状態とに変化する。すなわち、隣り合った複数の駆動電極が、実質的に同時に、第１駆動状態にされ、次のタイミングでは、実質的に同時に、第２駆動状態にされる。第１駆動電極と第２駆動電極が隣接する複数の駆動電極を含むと、発生する磁界を強くすることが可能である。また、時間的に、交互に第１駆動状態と第２駆動状態とされるため、磁界の変化を多くすることが可能である。
【０２０２】
さらに、実施の形態３においては、平面視において、１個の駆動電極を挟むように、２個の束駆動電極が離間して配置され、それぞれの束駆動電極において発生する磁界が、間に挟まれた駆動電極の領域において重畳されるように、それぞれの束駆動電極は、駆動される。これにより、挟まれた駆動電極の領域においては、さらに強い磁界を発生することが可能となる。
【０２０３】
この実施の形態３に係わる表示装置１の構成は、実施の形態１と同様であり、第１スキャナ回路ＳＣＬおよび第２スキャナ回路ＳＣＲに供給するスタート信号およびシフトクロック信号を、実施の形態１とは異なるようにすることにより、実現することが可能である。先ず、実施の形態３における磁界タッチ検出の動作概要を、図２２を用いて説明する。図２２は、実施の形態３に係わる駆動電極の状態を示す模式的な平面図である。
【０２０４】
図２２において、ＴＬ（ｎ−１）〜ＴＬ（ｐ）は、第１基板ＴＦＧに配置された駆動電極を示している。図１等で説明したように、駆動電極ＴＬ（０）〜ＴＬ（ｐ）は、平面視で見たとき、第１基板ＴＦＧにおいて、互いに平行に配置されており、図２２には、これらの駆動電極のうち、駆動電極ＴＬ（ｎ−１）〜ＴＬ（ｎ＋８）およびＴＬ（ｐ）が明示されている。また、図２２において、Ｓ０１およびＳ００は、図６で説明した第１スイッチおよび第２スイッチを示しており、ＴＰＨおよびＴＰＬは、図６で説明した信号配線を示している。
【０２０５】
図２２では、磁界タッチ検出期間のとき、隣り合った３個の駆動電極を束駆動電極として使う場合が示されている。勿論、束駆動電極を構成する駆動電極の数は、これに限定されるものではない。駆動電極ＴＬ（ｎ−１）〜ＴＬ（ｐ）のそれぞれは、その一方の端部ｎ１が、第１スイッチＳ０１を介して信号配線ＴＰＨに接続され、第２スイッチＳ００を介して信号配線ＴＰＬに接続される。また、駆動電極ＴＬ（ｎ−１）〜ＴＬ（ｐ）のそれぞれの他方の端部ｎ２は、第１スイッチＳ０１を介して信号配線ＴＰＨに接続され、第２スイッチＳ００を介して信号配線ＴＰＬに接続されている。なお、図２２では、駆動電極ＴＬ（ｐ）についてのみ、符合ｎ１、ｎ２が付されている。
【０２０６】
駆動電極ＴＬ（ｎ−１）〜ＴＬ（ｐ）の一方の端部ｎ１に接続された第１スイッチＳ０１および第２スイッチＳ００は、実施の形態１で述べた単位駆動回路ＵＳＬを構成し、選択回路ＳＥＬＬ（図６）からの第１単位選択信号および第２単位選択信号によってスイッチ制御される。また、駆動電極ＴＬ（ｎ−１）〜ＴＬ（ｐ）の他方の端部ｎ２に接続された第１スイッチＳ０１および第２スイッチＳ００は、実施の形態１で述べた単位駆動回路ＵＳＲを構成し、選択回路ＳＥＬＲ（図６）からの第１単位選択信号および第２単位選択信号によってスイッチ制御される。
【０２０７】
磁界タッチ検出期間において、選択回路ＳＥＬＬからの第１単位選択信号および第２単位選択信号により、駆動電極ＴＬ（ｎ）〜ＴＬ（ｎ＋２）の一方の端部ｎ１が、信号配線ＴＰＬに接続されるように、第１スイッチＳ０１および第２スイッチＳ００が制御される。このとき、選択回路ＳＥＬＲからの第１単位選択信号および第２単位選択信号により、駆動電極ＴＬ（ｎ）〜ＴＬ（ｎ＋２）の他方の端部ｎ２が、信号配線ＴＰＨに接続されるように、第１スイッチＳ０１および第２スイッチＳ００が制御される。磁界タッチ検出期間においては、実施の形態１で述べたように、信号配線ＴＰＬに、接地電圧Ｖｓが供給され、信号配線ＴＰＨに、接地電圧Ｖｓよりも高い電圧Ｖｄが供給されている。図２２では、接地電圧Ｖｓが０として図示され、電圧Ｖｄは＋として図示される。
【０２０８】
このとき、選択回路ＳＥＬＬからの第１単位選択信号および第２単位選択信号により、駆動電極ＴＬ（ｎ＋４）〜ＴＬ（ｎ＋６）の一方の端部ｎ１が、信号配線ＴＰＨに接続されるように、第１スイッチＳ０１および第２スイッチＳ００が制御される。また、選択回路ＳＥＬＲからの第１単位選択信号および第２単位選択信号により、駆動電極ＴＬ（ｎ＋４）〜ＴＬ（ｎ＋６）の他方の端部ｎ２が、信号配線ＴＰＬに接続されるように、第１スイッチＳ０１および第２スイッチＳ００が制御される。
【０２０９】
これにより、図２２（Ａ）に示すように、駆動電極ＴＬ（ｎ＋４）〜ＴＬ（ｎ＋６）が、束駆動電極として、第１駆動状態となり、駆動電極ＴＬ（ｎ）〜ＴＬ（ｎ＋２）が、束駆動電極として、第２駆動状態となる。第１駆動状態となった束駆動電極においては、一方の端部ｎ１から他方の端部ｎ２に向けて電流が流れ、第２駆動状態となった束駆動電極においては、反対に他方の端部ｎ２から一方の端部ｎ１に向けて電流が流れる。これにより、それぞれの束駆動電極を構成する複数の駆動電極において磁界が発生し、間に挟まれた駆動電極ＴＬ（ｎ＋３）の領域において、磁界が重畳されることになる。この時駆動電極ＴＬ（ｎ＋４）〜ＴＬ（ｎ＋６）を第１駆動電極、駆動電極ＴＬ（ｎ）〜ＴＬ（ｎ＋２）を第２駆動電極とみなすことができる。
【０２１０】
時間的に次のタイミングでは、選択回路ＳＥＬＬからの第１単位選択信号および第２単位選択信号によって、駆動電極ＴＬ（ｎ）〜ＴＬ（ｎ＋２）の一方の端部ｎ１に第２の電圧Ｖｄ（＋）が供給されるように制御され、選択回路ＳＥＬＲからの第１単位選択信号および第２単位選択信号によって、駆動電極ＴＬ（ｎ）〜ＴＬ（ｎ＋２）の他方の端部ｎ２に第１の電圧Ｖｓ（０）が供給されるように制御される。このとき、駆動電極ＴＬ（ｎ＋４）〜ＴＬ（ｎ＋６）は、選択回路ＳＥＬＬからの第１単位選択信号および第２単位選択信号によって、その一方の端部ｎ１に第１の電圧Ｖｓ（０）が供給されるように制御され、選択回路ＳＥＬＲからの第１単位選択信号および第２単位選択信号によって、その他方の端部ｎ２に第２の電圧Ｖｄ（＋）が供給されるように制御される。
【０２１１】
これにより、上記した次のタイミングでは、図２２（Ｂ）に示すように、駆動電極ＴＬ（ｎ）〜ＴＬ（ｎ＋２）によって構成された束駆動電極は、第２駆動状態から第１駆動状態へ変化することになり、駆動電極ＴＬ（ｎ＋４）〜ＴＬ（ｎ＋６）によって構成された束駆動電極は、第１駆動状態から第２駆動状態へ変化することになる。図２２（Ｂ）の場合にも、それぞれの束駆動電極を流れる電流の方向が反対であるため、束駆動電極の間に配置されている駆動電極ＴＬ（ｎ＋３）の領域において、それぞれの束駆動電極により発生した磁界が重畳されることになる。
【０２１２】
＜磁界タッチ検出の全体動作＞
次に、実施の形態３に係わる表示装置１における磁界タッチ検出の全体動作を、波形図を用いて説明する。ここでも、図面が複雑になるのを避けるために、波形図は、図２３および図２４に分けてある。図２３を、図２４の下側に配置することにより、波形図を完成することができる。図２３および図２４は、図１１および図１２に類似しているため、相違点を主に説明する。例えば、制御信号ＣＯＭＦＬ、検出タイミング信号ＴＰＳＥＬ、状態選択信号ＶＳＥＬ１、ＶＳＥＬ２および駆動信号ＴＰＨ、ＴＰＬの波形は、図１１と同じで有るため、説明は省略する。
【０２１３】
この実施の形態３においても、制御装置３は、表示期間ＤＰと磁界タッチ検出期間が交互に発生するように、制御する。図２３および図２４には、磁界タッチ検出期間として、駆動電極ＴＬ（ｎ−３）〜ＴＬ（ｎ＋４）の領域において、重畳された磁界を発生する磁界タッチ検出期間ＴＰ（ｎ−３）〜ＴＰ（ｎ＋４）が示されている。
【０２１４】
この実施の形態３において、制御装置３は、束レジスタＣ−ＲＥＧに格納された束ね量（束駆動電極を構成する駆動電極の個数）ｍの情報と、離間量レジスタＳ−ＲＥＧに格納された離間量ｎの情報に基づいて、スタート信号ＳＴ−ＡＬ、ＳＴ−ＢＬ、ＳＴ−ＡＲ、ＳＴ−ＢＲおよびシフトクロック信号ＣＫ−ＡＬ、ＣＫ−ＢＬ、ＣＫ−ＡＲ、ＣＫ−ＢＲを形成する。すなわち、制御装置３は、スタート信号ＳＴ−ＡＬ、ＳＴ−ＢＬおよびクロック信号ＣＫ−ＡＬ、ＣＫ−ＢＬを用いて、束ね量ｍの情報に従った回数分、スキャナ回路ＳＣＡＬおよびＳＣＢＬのシフトレジスタが、駆動電極の選択を示すハイレベルのスタート信号を、連続的に格納するように制御する。また、制御装置３は、スタート信号ＳＴ−ＡＬ、ＳＴ−ＢＬおよびクロック信号ＣＫ−ＡＬ、ＣＫ−ＢＬを用いて、ｍ＋ｎの情報に従った数分、スキャナ回路ＳＣＡＬのシフトレジスタにおいてスタート信号を格納するシフト段と、スキャナ回路ＳＣＢＬのシフトレジスタにおいてスタート信号を格納するシフト段との間に、段数の差が生じるように制御する。
【０２１５】
同様に、スタート信号ＳＴ−ＡＲ、ＳＴ−ＢＲおよびクロック信号ＣＫ−ＡＲ、ＣＫ−ＢＲを用いて、束ね量ｍの情報に従った数分、スキャナ回路ＳＣＡＲおよびＳＣＢＲのシフトレジスタが、駆動電極の選択を示すハイレベルのスタート信号を、連続的に格納するように制御する。また、スタート信号ＳＴ−ＡＲ、ＳＴ−ＢＲおよびクロック信号ＣＫ−ＡＲ、ＣＫ−ＢＲによって、ｍ＋ｎの情報に従った数分、スキャナ回路ＳＣＡＲのシフトレジスタにおいてスタート信号を格納するシフト段と、スキャナ回路ＳＣＢＲのシフトレジスタにおいてスタート信号を格納するシフト段との間に、段数の差が生じるように制御する。
【０２１６】
ここでは、束駆動電極を構成する駆動電極の個数ｍが、図２２に示したように３個（ｍ＝３）であり、束駆動電極間に１個の駆動電極が挟まれる場合（離間量ｎ＝１）を例として説明する。
【０２１７】
図２３および図２４に示すように、開始期間ＴＰ（ｓｓ）が始まる時刻ｔ１０よりも前の時刻ｔ０において、制御装置３は、スタート信号ＳＴ−ＡＬおよびＳＴ−ＢＲを、駆動電極の選択を示すハイレベルに変化させ、時刻ｔ４まで、ハイレベルを維持する。次に、制御装置３は、時刻ｔ１、ｔ２およびｔ３において、シフトクロック信号ＣＫ−ＡＬおよびＣＫ−ＢＲをｍ回分、すなわち３回変化させる。これにより、スキャナ回路ＳＣＡＬ、ＳＣＢＲのシフトレジスタは、ハイレベルのスタート信号ＳＴ−ＡＬ、ＳＴ−ＢＲを連続して取り込み、３個の連続したシフト段に格納する。その後、時刻ｔ４において、制御装置３は、スタート信号ＳＴ−ＡＬおよびＳＴ−ＢＲをロウレベルにする。
【０２１８】
次に時刻ｔ５において、制御装置は、シフトクロック信号ＣＫ−ＡＬおよびＣＫ−ＢＲを離間量に応じたｎ回分、すなわち１回変化させる。そのため、スキャナ回路ＳＣＡＬおよびＳＣＢＲのシフトレジスタは、時刻ｔ５でシフトクロック信号ＣＫ−ＡＬ、ＣＫ−ＢＲが変化すると、ロウレベルのスタート信号を取り込み保持することになる。これにより、スキャナ回路ＳＣＡＬ、ＳＣＢＲのそれぞれのシフトレジスタには、連続した３個のハイレベルのスタート信号と１個のロウレベルのスタート信号が格納されることになる。この時点でスキャナ回路ＳＣＡＬとスキャナ回路ＳＣＢＲはスキャナ回路ＳＣＢＬ、スキャナ回路ＳＣＡＲよりもｍ＋ｎ＝４段分多くシフトクロック信号が変化していることになる。
【０２１９】
次に、時刻ｔ６において、制御装置３は、スタート信号ＳＴ−ＢＬおよびＳＴ−ＡＲをハイレベルに変化させ、時刻ｔ１１までハイレベルを維持する。また、時刻ｔ７、ｔ８およびｔ９のそれぞれにおいて、制御装置３は、シフトクロック信号ＣＫ−ＡＬ、ＣＫ−ＢＬ、ＣＫ−ＡＲ、ＣＫ−ＢＬをｍ回分すなわち３回変化させる。以降、制御装置３は、磁界タッチ検出期間ごとに、シフトクロック信号ＣＫ−ＡＬ、ＣＫ−ＢＬ、ＣＫ−ＡＲ、ＣＫ−ＢＬを変化させる。なお、図２３および図２４に示すように、制御装置３は、時刻ｔ１、ｔ２、ｔ３およびｔ５では、シフトクロック信号ＣＫ−ＢＬ、ＣＫ−ＡＲを変化させない。
【０２２０】
段差分を維持するため、時刻ｔ７、ｔ８、ｔ９のときに、シフトクロック信号ＣＫ−ＡＬ、ＣＫ−ＢＲもシフトクロックＣＫ−ＢＬ、ＣＫ−ＡＲと同様の回数変化させるが、スタート信号ＳＴ−ＡＬ、ＳＴ−ＢＲはロウレベルに維持されているため、スキャナ回路ＳＣＡＬ、ＳＣＢＲのシフトレジスタは、時刻ｔ７、ｔ８およびｔ９のそれぞれのときに、ロウレベルのスタート信号を取り込むことになる。一方、時刻ｔ７、ｔ８、ｔ９のとき、スタート信号ＳＴ−ＢＬ、ＳＴ−ＡＲは、駆動電極の選択を示すハイレベルとなっているため、スキャナ回路ＳＣＢＬ、ＳＣＡＲのシフトレジスタは、それぞれの時刻において、ハイレベルのスタート信号を取り込むことになる。
【０２２１】
時刻ｔ１０から始まる開始期間ＴＰ（ｓｓ）のタイミングで、スキャナ回路ＳＣＡＬ、ＳＣＢＲ，ＳＣＢＲ、ＳＣＡＬのそれぞれのシフトレジスタが格納している状態を述べると、次のようになる。すなわち、スキャナ回路ＳＣＡＬ、ＳＣＢＲのシフトレジスタは、ハイレベルのスタート信号を３個格納し、その後にロウレベルのスタート信号を４個格納した状態となっている。これに対して、スキャナ回路ＳＣＢＬ、ＳＣＡＲのシフトレジスタは、ハイレベルのスタート信号を３個格納した状態となっている。すなわち、それぞれのスキャナ回路はｍ個分のハイレベルのスタート信号を連続して格納し、スキャナ回路ＳＣＡＬとＳＣＢＲはスキャナ回路ＳＣＢＬとＳＣＡＲよりｍ＋ｎ個分シフト段が先に進んでいる。
【０２２２】
制御装置３が、以後、磁界タッチ検出期間ごとに、シフトクロック信号ＣＫ−ＡＬ、ＣＫ−ＢＬ、ＣＫ−ＡＲおよびＣＫ−ＢＲを変化させるごとに、上記した状態が維持されながら、ハイレベルのスタート信号が、それぞれのシフトレジスタ内を移動する。
【０２２３】
シフトクロック信号ＣＫ−ＡＬ、ＣＫ−ＢＬ、ＣＫ−ＡＲおよびＣＫ−ＢＲが変化を繰り返して、磁界タッチ検出期間ＴＰ（ｎ＋３）に到達すると、スキャナ回路ＳＣＡＬのシフトレジスタにおいて、シフト段ＦＡＬ（ｎ＋４）〜ＦＡＬ（ｎ＋６）が、ハイレベルのスタート信号を格納し、スキャナ回路ＳＣＢＲのシフトレジスタにおいて、シフト段ＦＢＲ（ｎ＋４）〜ＦＢＲ（ｎ＋６）が、ハイレベルのスタート信号を格納した状態となる。
【０２２４】
このとき、スキャナ回路ＳＣＢＬのシフトレジスタにおいては、シフト段ＦＢＬ（ｎ）〜ＦＢＬ（ｎ＋２）が、ハイレベルのスタート信号を格納し、スキャナ回路ＳＣＡＲのシフトレジスタにおいては、シフト段ＦＡＲ（ｎ）〜ＦＡＲ（ｎ＋２）が、ハイレベルのスタート信号を格納した状態となる。上記したシフト段ＦＡＬ（ｎ）〜ＦＡＬ（ｎ＋５）、ＦＢＬ（ｎ）〜ＢＬ（ｎ＋５）、ＦＡＲ（ｎ）〜ＦＡＲ（ｎ＋５）およびＦＢＬ（ｎ）〜ＦＢＬ（ｎ＋５）は、図７に示されている。
【０２２５】
なお、上記したシフト段ＦＡＬ（ｎ＋６）、ＦＢＬ（ｎ＋６）、ＦＡＲ（ｎ＋６）およびＦＡＬ（ｎ＋６）は、図７には示されていないが、シフト段ＦＡＬ（ｎ＋５）、ＦＢＬ（ｎ＋５）、ＦＡＲ（ｎ＋５）およびＦＡＬ（ｎ＋５）の後段である。
【０２２６】
シフト段ＦＡＬ（ｎ＋４）〜ＦＡＬ（ｎ＋６）およびＦＡＲ（ｎ）〜ＦＡＲ（ｎ＋２）が、ハイレベルのスタート信号を格納することにより、第１選択信号ＡＬ（ｎ＋４）〜ＡＬ（ｎ＋６）およびＡＲ（ｎ）〜ＡＲ（ｎ＋２）が、ハイレベルになる。また、シフト段ＦＢＬ（ｎ＋４）〜ＦＢＬ（ｎ＋６）およびＦＢＲ（ｎ）〜ＦＢＲ（ｎ＋２）が、ハイレベルのスタート信号を格納することにより、第２選択信号ＢＬ（ｎ＋４）〜ＢＬ（ｎ＋６）およびＢＲ（ｎ）〜ＢＲ（ｎ＋２）が、ハイレベルになる。これらのシフト段に対応する単位選択回路においては、ハイレベルの第１選択信号またはハイレベルの第２選択信号が供給されるため、実施の形態１で説明したように、第１転送スイッチと第２転送スイッチまたは第３転送スイッチと第４転送スイッチがオン状態となる。
【０２２７】
これにより、図２３および図２４に示すように、第１単位選択信号ＳＥＬＨ＿Ｌ（ｎ）〜ＳＥＬＨ＿Ｌ（ｎ＋２）、ＳＥＬＨ＿Ｌ（ｎ＋４）〜ＳＥＬＨ＿Ｌ（ｎ＋６）、ＳＥＬＨ＿Ｒ（ｎ）〜ＳＥＬＨ＿Ｒ（ｎ＋２）、ＳＥＬＨ＿Ｒ（ｎ＋４）〜ＳＥＬＨ＿Ｒ（ｎ＋６）は、選択駆動信号ＶＳＥＬ１、ＶＳＥＬ２の変化に従って変化する。同様に、第２単位選択信号ＳＥＬＧ＿Ｌ（ｎ）〜ＳＥＬＧ＿Ｌ（ｎ＋２）、ＳＥＬＧ＿Ｌ（ｎ＋４）〜ＳＥＬＧ＿Ｌ（ｎ＋６）、ＳＥＬＧ＿Ｒ（ｎ）〜ＳＥＬＧ＿Ｒ（ｎ＋２）、ＳＥＬＧ＿Ｒ（ｎ＋４）〜ＳＥＬＧ＿Ｒ（ｎ＋６）も、選択駆動信号ＶＳＥＬ１、ＶＳＥＬ２の変化に従って変化する。
【０２２８】
上記した第１単位選択信号および第２単位選択信号の変化に従って、駆動電極ＴＬ（ｎ）〜ＴＬ（ｎ＋２）の一方の端部ｎ１は、信号配線ＴＰＨまたはＴＰＬに接続され、その他方の端部ｎ２は、信号配線ＴＰＬまたはＴＰＨに接続される。同様に、駆動電極ＴＬ（ｎ＋４）〜ＴＬ（ｎ＋６）の一方の端部ｎ１は、信号配線ＴＰＬまたはＴＰＨに接続され、その他方の端部ｎ２は、信号配線ＴＰＨまたはＴＰＬに接続される。これにより、駆動電極ＴＬ（ｎ）〜ＴＬ（ｎ＋２）、ＴＬ（ｎ＋４）〜ＴＬ（ｎ＋６）のそれぞれは、磁界を発生する。束駆動電極を構成する駆動電極ＴＬ（ｎ）〜ＴＬ（ｎ＋２）は、それぞれを流れる電流の向きが同じであるため、発生する磁界の方向が同じになり、磁界は重畳されることになる。同様に、束駆動電極を構成する駆動電極ＴＬ（ｎ＋４）〜ＴＬ（ｎ＋６）は、それぞれを流れる電流の向きが同じであるため、発生する磁界の方向も同じになり、磁界は重畳されることになる。その結果、この２個の束駆動電極の間に挟まれた駆動電極ＴＬ（ｎ＋３）の領域においては、２個の束駆動電極によって発生した磁界が重畳されることになる。
【０２２９】
図２３および図２４において、一点鎖線Ｆ２２（Ａ）で示したタイミングのときの波形により、図２２（Ａ）に示す駆動状態となり、一点鎖線Ｆ２２（Ｂ）で示したタイミングのときの波形により、図２２（Ｂ）に示す駆動状態となる。
【０２３０】
すなわち、Ｆ２２（Ａ）では状態選択信号ＶＳＥＬ１がハイレベルで状態選択信号ＶＳＥＬ２がロウレベルとなっている。この時第１駆動電極ＴＬ（ｎ＋４）〜ＴＬ（ｎ＋６）の端部ｎ１から第１駆動電圧Ｖｄを供給され、端部ｎ２から第２駆動電圧Ｖｓが供給される第１駆動状態にあると同時に、第２駆動電極ＴＬ（ｎ）〜ＴＬ（ｎ＋２）は端部ｎ１から第２駆動電圧Ｖｓが供給され、端部ｎ２から第1駆動電圧Ｖｄが供給される第２駆動状態となっている。その次のタイミングＦ２２（Ｂ）では状態選択信号ＶＳＥＬ１がロウレベルで状態選択信号ＶＳＥＬ２がハイレベルとなっている。この時第１駆動電極ＴＬ（ｎ＋４）〜ＴＬ（ｎ＋６）の端部ｎ１から第２駆動電圧Ｖｓを供給され、端部ｎ２から第１駆動電圧Ｖｄが供給される第２駆動状態にあると同時に、第２駆動電極ＴＬ（ｎ）〜ＴＬ（ｎ＋２）の端部ｎ１から第１駆動電圧Ｖｄが供給され、端部ｎ２から第２駆動電圧Ｖｓが供給される第１駆動状態となっている。このように、１回の磁界タッチ検出期間ＴＰ（ｎ＋３）において、状態選択信号の相補的変化の回数に応じて図２２（Ａ）に示す駆動状態と図２２（Ｂ）に示す駆動状態が交互に繰り返されることになる。
【０２３１】
ここでは、磁界タッチ検出期間ＴＰ（ｎ＋３）を例にして説明したが、他の磁界タッチ検出期間においても同様である。なお、磁界検出期間ＴＰＤにおける動作は、図２を用いて説明した動作と同じであるため、説明は省略する。
【０２３２】
この実施の形態３においては、磁界タッチ検出期間においては、第１駆動電極及び第２駆動電極が、隣り合う複数の駆動電極を含む束駆動電極であるため、発生する磁界を強くすることが可能となる。また、束駆動電極を構成するそれぞれの第１駆動電極と第２駆動電極は、時間的に交互に第１駆動状態と第２駆動状態とされるため、磁界の変化を多くすることが可能となる。結果として、ペンＰｅｎの容量素子Ｃ（図２）に蓄積される電荷量を、さらに増やすことが可能となり、検出感度の向上を図ることが可能となる。
【０２３３】
図２５は、実施の形態１〜３において説明した表示装置１を備えた電子装置１００の構成を示す斜視図である。電子装置１００は、表示装置１を備えたタブレット型のコンピュータ１０１とペンＰｅｎとを備えている。図２５において、２は、上記した表示領域を示し、１０２は、表示領域２を囲むように配置された額縁を示している。また、１０３は、コンピュータ１０１のボタンを示している。コンピュータ１０１はノート型もしくはデスクトップ型のコンピュータであってもよい。電子装置１００がペンＰｅｎを備えず、コンピュータ１０１が電子装置１００であってもよい。
【０２３４】
コンピュータ１０１は、表示期間ＤＰにおいて表示領域２に画像の表示を行い、磁界タッチ検出期間ＴＰ（ｎ）〜ＴＰ（ｎ＋５）において表示領域２におけるペンＰｅｎの近接または接触の有無、及び座標の検出を行う。また電界タッチ検出期間ＴＣ（ｎ）〜ＴＣ（ｎ＋５）において表示領域２における指の近接または接触の有無、及び座標の検出を行う。これらの検出結果に応じてコンピュータ１０１が処理を行う。
【０２３５】
（実施の形態４）
実施の形態１〜３においては、表示装置１と一体化された入力検出装置を説明した。また、表示装置１を用いた電子装置の例を、図２５で説明した。この実施の形態４においては、入力検出装置としてタッチパネルを説明する。この場合、タッチパネルは、入力検出装置であり、電子装置でもあると見なすことができる。図２６は、実施の形態４に係わるタッチパネル２００の構成を示す模式的な平面図である。
【０２３６】
この実施の形態４に係わるタッチパネルは、表示機能を有していない。タッチパネル２００は、平面視で見たとき、横方向に延在し、縦方向に平行に配置された複数の駆動電極ＴＬ（０）〜ＴＬ（ｐ）と、縦方向に延在し、横方向に平行に配置された複数の検出電極を備えている。図２６には、駆動電極ＴＬ（０）〜ＴＬ（ｐ）のうち、駆動電極ＴＬ（ｎ）〜ＴＬ（ｐ）が例示されている。図２６では、検出電極は省略されているが、平面視で見たとき、駆動電極ＴＬ（０）〜ＴＬ（ｐ）と交差するように配置されている。例えば、駆動電極ＴＬ（ｎ）〜ＴＬ（ｐ）は、図１に示したように、第１基板ＴＧＢに形成され、検出電極は、図１に示したように、第２基板ＣＧＢに形成される。これにより、駆動電極と検出電極とは電気的に分離されている。
【０２３７】
駆動電極ＴＬ（ｎ）〜ＴＬ（ｐ）は、磁界発生期間のとき、磁界を発生する。図示しないペンＰｅｎが、磁界発生期間のときに、近接していれば、ペンＰｅｎ内の容量素子Ｃが充電され、磁界検出期間のときに、ペンＰｅｎ内のコイルＬ１が磁界を発生する。磁界検出期間においては、検出電極により構成された磁界検出コイルによって、ペンＰｅｎからの磁界が検出される。
【０２３８】
駆動電極ＴＬ（ｎ）〜ＴＬ（Ｐ）の一方の端部ｎ１は、駆動電極の一方の端部とタッチパネル２００の辺２−Ｌとの間に配置された信号配線を介して、選択駆動回路ＤＲＬＲに接続されている。また、駆動電極ＴＬ（ｎ）〜ＴＬ（Ｐ）の他方の端部ｎ２は、駆動電極の他方の端部とタッチパネル２００の辺２−Ｒとの間に配置された信号配線を介して、選択駆動回路ＤＲＬＲに接続されている。
【０２３９】
選択駆動回路ＤＲＬＲは、信号配線を介して、対応する駆動電極ＴＬ（ｎ）〜ＴＬ（ｐ）の一方の端部ｎ１に接続された単位選択駆動回路ＵＤＬ（ｎ）〜ＵＤＬ（ｐ）と、信号配線を介して、対応する駆動電極ＴＬ（ｎ）〜ＴＬ（ｐ）の他方の端部ｎ２に接続された単位選択駆動回路ＵＤＲ（ｎ）〜ＵＤＲ（ｐ）を備えている。
【０２４０】
単位選択駆動回路ＵＤＬ（ｎ）〜ＵＤＬ（ｐ）は、磁界発生期間のとき、駆動電極を選択し、選択した駆動電極の一方の端部ｎ１に、接地電圧Ｖｓまたは接地電圧よりも電圧値の高い電圧Ｖｄを供給する。同様に、単位選択駆動回路ＵＤＲ（ｎ）〜ＵＤＲ（ｐ）は、磁界発生期間のとき、駆動電極を選択し、選択した駆動電極の他方の端部ｎ２に、電圧Ｖｄまたは接地電圧Ｖｓを供給する。すなわち、この実施の形態においては、スキャナ回路を使わずに選択駆動回路ＤＲＬＲからそれぞれの駆動電極に対応する信号配線を介して、接地電圧Ｖｓと電圧Ｖｄとを選択的に供給するようになっている。
【０２４１】
単位選択駆動回路ＵＤＬ（ｎ）〜ＵＤＬ（ｐ）と、単位選択駆動回路ＵＤＲ（ｎ）〜ＵＤＲ（ｐ）は、互いに同期して動作し、磁界発生期間のとき、同じ駆動電極を選択する。また、選択した駆動電極に対して、異なる電圧である第１駆動電圧と第２駆動電圧を供給する。この実施の形態では電圧Ｖｄを第1駆動電圧とし、接地電圧Ｖｓを第２駆動電圧とするが第１駆動電圧と第２駆動電圧とは、第１駆動電圧のほうが第２駆動電圧よりも電圧値が高ければ、それぞれどのような値であってもよい。第１駆動電圧、第２駆動電圧は、それぞれ交流電圧であってもよいし、直流電圧であってもよい。
【０２４２】
図２６（Ａ）では、駆動電極ＴＬ（ｎ＋１）とＴＬ（ｎ＋３）が選択されている。選択された駆動電極ＴＬ（ｎ＋１）の一方の端部ｎ１には、単位選択駆動回路ＵＤＬ（ｎ＋１）から０で図示される接地電圧Ｖｓが供給され、その他方の端部ｎ２には、単位選択駆動回路ＵＤＲ（ｎ＋１）から＋で図示される、電圧Ｖｄが供給されている。また、選択された駆動電極ＴＬ（ｎ＋３）の一方の端部ｎ１には、単位選択駆動回路ＵＤＬ（ｎ＋３）から電圧Ｖｄが供給され、その他方の端部ｎ２には、単位選択駆動回路ＵＤＲ（ｎ＋３）から接地電圧Ｖｓが供給される。
【０２４３】
同じ磁界発生期間において、次のタイミングでは、図２６（Ｂ）に示すように、選択された駆動電極ＴＬ（ｎ＋１）の一方の端部ｎ１には、単位選択駆動回路ＵＤＬ（ｎ＋１）から接地電圧Ｖｓが供給され、その他方の端部ｎ２には、単位選択駆動回路ＵＤＲ（ｎ＋１）から電圧Ｖｄが供給されている。また、選択された駆動電極ＴＬ（ｎ＋３）の一方の端部ｎ１には、単位選択駆動回路ＵＤＬ（ｎ＋３）から電圧Ｖｄが供給され、その他方の端部ｎ２には、単位選択駆動回路ＵＤＲ（ｎ＋３）から接地電圧Ｖｓが供給される。
【０２４４】
これにより、図２６（Ａ）では、駆動電極ＴＬ（ｎ＋３）は、第１駆動状態となり、駆動電極ＴＬ（ｎ＋１）は、第２駆動状態となる。また、次のタイミングでは、駆動電極ＴＬ（ｎ＋１）は、第１駆動状態となり、駆動電極ＴＬ（ｎ＋３）は、第２駆動状態となる（図２６（Ｂ））。これにより、選択された駆動電極のそれぞれにおいて、磁界の変化を多くすることが可能となる。
【０２４５】
その結果、選択された駆動電極ＴＬ（ｎ＋１）とＴＬ（ｎ＋３）との間に挟まれた駆動電極ＴＬ（ｎ＋２）の領域において、重畳される電界の変化を多くすることが可能となり、検出感度の向上を図ることが可能となる。同じ磁界発生期間において、図２６（Ａ）に示した状態と図２６（Ｂ）に示した状態は、１回に限られず、複数回繰り返される。図２６では、選択駆動回路ＤＲＬＲが、タッチパネル２００と分離されている例を示したが、これに限定されるものではない。例えば、タッチパネル２００に選択駆動回路ＤＲＬＲを実装するようにしてもよい。例えば、選択駆動回路ＤＲＬＲをフレキシブル基板に配置し、駆動電極ＴＬ（０）〜ＴＬ（ｐ）が配置されているガラス基板に接続するようにしてもよい。
【０２４６】
実施の形態１〜４においては、平面視において、互いに平行に配置された駆動電極に、磁界発生期間のとき、互いに異なる方向に電流を流して、駆動電極によって挟まれた領域で、強い磁界が発生するようにしている。磁界を発生すると言う観点で見た場合には、磁界発生期間のときに、互いに異なる方向に電流が流れるように駆動される少なくとも一対の駆動電極によって、磁界発生コイルが構成されていると見なすことができる。この場合には、図４に示した第１スキャナ回路ＳＣＬ、第２スキャナ回路ＳＣＲ、第１選択駆動回路ＳＤＬおよび第２選択駆動回路ＳＤＲによって、磁界発生コイルを駆動する駆動回路が構成されていると見なすことができる。この駆動回路は、１回の磁界タッチ検出期間において、選択された磁界発生コイルを流れる電流の方向が、所定時間間隔で、複数回、反転するように、磁界発生コイルを駆動することになる。すなわち、選択された磁界発生コイルを流れている電流の方向を、所定時間経過後に、反転するように駆動する。
【０２４７】
本発明の思想の範疇において、当業者であれば、各種の変形例及び修正例に想到し得るものであり、それら変形例及び修正例についても本発明の範囲に属するものと了解される。
【０２４８】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０２４９】
例えば、実施の形態においては、駆動電極ＴＬ（０）〜ＴＬ（ｐ）は、行方向に延在し、列方向に平行に配置されている場合を説明したが、行方向および列方向は、見る視点により変化する。見る視点を変えて、駆動電極ＴＬ（０）〜ＴＬ（ｐ）が、列方向に延在し、行方向に並列に配置されている場合も本発明の範囲に含まれるものである。また、本明細書で用いている「平行」とは、互いに一端から他端に亘るまで交わることなく延在することを意味する。そのため、一方の線（あるいは電極）の一部又は全部が他方の線（あるいは電極）に対して傾いた状態で設けられていたとしても、これらの線が一端から他端まで交わるものでなければ、本明細書においては、この状態も「平行」であるとする。
【符号の説明】
【０２５０】
１  タッチ機能付き液晶表示装置
３  制御装置
５  タッチ制御装置
１００  電子装置
２００  タッチパネル
ＴＬ（０）〜ＴＬ（ｐ）  駆動電極
ＲＬ（０）〜ＲＬ（ｐ）  検出電極
ＳＣＡＬ、ＳＣＡＲ、ＳＣＢＬ、ＳＣＢＲ  スキャナ回路
ＳＣＬ  第１スキャナ回路
ＳＣＲ  第２スキャナ回路
ＳＤＬ  第１選択駆動回路
ＳＤＲ  第２選択駆動回路
ＳＥＬ（ｎ）〜ＳＥＬ（ｎ＋５）、ＳＥＲ（ｎ）〜ＳＥＲ（ｎ＋５）  単位選択回路
ＳＥＬＬ、ＳＥＬＲ  選択回路
ＤＲＶＬ、ＤＲＶＲ  駆動回路
ＵＳＬ、ＵＳＲ  単位駆動回路
【図１】
0006717673.tif 000002
【図２】
0006717673.tif 000003
【図３】
0006717673.tif 000004
【図４】
0006717673.tif 000005
【図５】
0006717673.tif 000006
【図６】
0006717673.tif 000007
【図７】
0006717673.tif 000008
【図８】
0006717673.tif 000009
【図９】
0006717673.tif 000010
【図１０】
0006717673.tif 000011
【図１１】
0006717673.tif 000012
【図１２】
0006717673.tif 000013
【図１３】
0006717673.tif 000014
【図１４】
0006717673.tif 000015
【図１５】
0006717673.tif 000016
【図１６】
0006717673.tif 000017
【図１７】
0006717673.tif 000018
【図１８】
0006717673.tif 000019
【図１９】
0006717673.tif 000020
【図２０】
0006717673.tif 000021
【図２１】
0006717673.tif 000022
【図２２】
0006717673.tif 000023
【図２３】
0006717673.tif 000024
【図２４】
0006717673.tif 000025
【図２５】
0006717673.tif 000026
【図２６】
0006717673.tif 000027